(57)【要約】  本発明の実施形態は、フロントホールトポロジを探索するための方法および装置に関する。当該方法は、送信元経路探索フレームをベースバンドデバイスが送信する段階と、宛先経路探索フレームを受信する段階であって、宛先経路探索フレームは、第１の転送ネットワークデバイスが送信元経路探索フレームに第１のポート情報を記録し、かつ第２の転送ネットワークデバイスが送信元経路探索フレームに第２のポート情報を記録した後に形成される、段階と、宛先経路探索フレームにしたがって探索情報をベースバンドデバイスが決定する段階と、探索情報をエレメント管理システムＥＭＳに送信する段階とを備える。本発明の実施形態における、フロントホールトポロジを探索するための方法および装置によると、ベースバンドデバイスは、パスを探索するために使用される経路探索フレームを、転送ネットワークの転送ネットワークデバイスを使用することによって無線周波デバイスに送信し、転送ネットワークデバイスは関連するポート情報を記録し、経路探索フレームをベースバンドデバイスに返す。そして、ベースバンドデバイスは、探索結果を無線ＥＭＳに報告し、これにより、無線ＥＭＳは、探索結果にしたがって、無線デバイスと転送ネットワークデバイスとの間のトポロジについての情報を決定でき、様々なデバイスのポート間の接続関係を決定できる。
2018522480.tif 000002
【特許請求の範囲】
【請求項１】
送信元経路探索フレームを転送ネットワークの第１の転送ネットワークデバイスにベースバンドデバイスが送信する段階であって、前記送信元経路探索フレームは、前記転送ネットワークを使用することによって無線周波デバイスに送信される、段階と、
前記第１の転送ネットワークデバイスによって送信される宛先経路探索フレームを前記ベースバンドデバイスが受信する段階であって、前記宛先経路探索フレームは、前記第１の転送ネットワークデバイスが前記送信元経路探索フレームに第１のポート情報を記録し、かつ前記転送ネットワークの第２の転送ネットワークデバイスが前記送信元経路探索フレームに第２のポート情報を記録した後に形成され、前記第１のポート情報は、前記ベースバンドデバイスの目標ポートに接続された、前記第１の転送ネットワークデバイスの入力ポートを示し、前記第２のポート情報は、前記無線周波デバイスの受信ポートに接続された、前記第２の転送ネットワークデバイスの出力ポートを示す、段階と、
前記宛先経路探索フレームにしたがって探索情報を前記ベースバンドデバイスが決定する段階であって、前記探索情報は、前記ベースバンドデバイスの前記目標ポートが前記第１の転送ネットワークデバイスの前記入力ポートに接続されていることと、前記第２の転送ネットワークデバイスの前記出力ポートが前記無線周波デバイスの前記受信ポートに接続されていることとを示す、段階と、
前記探索情報をエレメント管理システムＥＭＳに前記ベースバンドデバイスが送信する段階と
を備える、フロントホールトポロジを探索するための方法。
【請求項２】
前記第１のポート情報は、前記第１の転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記第１の転送ネットワークデバイスの作動状態のうちの少なくとも１つを含み、
前記第２のポート情報は、前記第２の転送ネットワークデバイスのデバイス識別子、デバイスタイプ、前記出力ポートが位置付けられているサブラックの番号、前記出力ポートが位置付けられているキャビネットの番号、前記出力ポートが位置付けられているスロットの番号、前記出力ポートのポート番号、または前記第２の転送ネットワークデバイスの作動状態のうちの少なくとも１つを含む、
請求項１に記載の方法。
【請求項３】
前記探索情報は、前記ベースバンドデバイスのポート情報、前記第１のポート情報、および前記第２のポート情報を備え、前記ベースバンドデバイスの前記ポート情報は、前記ベースバンドデバイスの前記目標ポートを示す、
請求項１または２に記載の方法。
【請求項４】
前記探索結果は、前記無線周波デバイスのポート情報を含み、前記無線周波デバイスの前記ポート情報は、前記無線周波デバイスの前記出力ポートを示す、
請求項３に記載の方法。
【請求項５】
前記送信元経路探索フレームは、前記ベースバンドデバイスの前記ポート情報を備え、前記ベースバンドデバイスの前記ポート情報は、前記ベースバンドデバイスの前記目標ポートを示す、
請求項１から４のいずれか一項に記載の方法。
【請求項６】
前記送信元経路探索フレームはさらに、前記無線周波デバイスの前記ポート情報を備え、前記無線周波デバイスの前記ポート情報は、前記無線周波デバイスの前記出力ポートを示す、
請求項５に記載の方法。
【請求項７】
前記宛先経路探索フレームはさらに、前記無線周波デバイスの前記ポート情報を備え、前記無線周波デバイスの前記ポート情報は、前記無線周波デバイスの前記出力ポートを示す、
請求項１から５のいずれか一項に記載の方法。
【請求項８】
前記方法は、
前記ＥＭＳによって送信される指示メッセージを前記ベースバンドデバイスが受信する段階であって、前記指示メッセージは、前記送信元経路探索フレームを送信するよう前記ベースバンドデバイスに命令するために使用される、段階
をさらに備える、請求項１から７のいずれか一項に記載の方法。
【請求項９】
ベースバンドデバイスによって送信される送信元経路探索フレームを転送ネットワークの第１の転送ネットワークデバイスが受信する段階であって、前記送信元経路探索フレームは、前記転送ネットワークを使用することによって無線周波デバイスに送信される、段階と、
第１の経路探索フレームを取得すべく、前記送信元経路探索フレームに第１のポート情報を前記第１の転送ネットワークデバイスが記録する段階であって、前記第１のポート情報は、前記ベースバンドデバイスの目標ポートに接続された、前記第１の転送ネットワークデバイスの入力ポートを示す、段階と、
前記第１の経路探索フレームを前記転送ネットワークの第２の転送ネットワークデバイスに前記第１の転送ネットワークデバイスが送信する段階と、
前記第２の転送ネットワークデバイスによって送信される宛先経路探索フレームを前記第１の転送ネットワークデバイスが受信する段階であって、前記宛先経路探索フレームは、前記第２の転送ネットワークデバイスが前記第１の経路探索フレームに第２のポート情報を記録した後に形成され、前記宛先経路探索フレームは前記第１のポート情報および前記第２のポート情報を保持し、前記第２のポート情報は、前記無線周波デバイスの受信ポートに接続された、前記第２の転送ネットワークデバイスの出力ポートを示す、段階と、
前記宛先経路探索フレームを前記ベースバンドデバイスに前記第１の転送ネットワークデバイスが送信する段階と
を備える、フロントホールトポロジを探索するための方法。
【請求項１０】
前記第１のポート情報は、前記第１の転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記第１の転送ネットワークデバイスの作動状態のうちの少なくとも１つを含み、
前記第２のポート情報は、前記第２の転送ネットワークデバイスのデバイス識別子、デバイスタイプ、前記出力ポートが位置付けられているサブラックの番号、前記出力ポートが位置付けられているキャビネットの番号、前記出力ポートが位置付けられているスロットの番号、前記出力ポートのポート番号、または前記第２の転送ネットワークデバイスの作動状態のうちの少なくとも１つを含む、
請求項９に記載の方法。
【請求項１１】
前記送信元経路探索フレームは、前記ベースバンドデバイスのポート情報を備え、前記ベースバンドデバイスの前記ポート情報は、前記ベースバンドデバイスの前記目標ポートを示す、
請求項９または１０に記載の方法。
【請求項１２】
前記送信元経路探索フレームはさらに、前記無線周波デバイスのポート情報を備え、前記無線周波デバイスの前記ポート情報は、前記無線周波デバイスの前記受信ポートを示す、
請求項１１に記載の方法。
【請求項１３】
前記宛先経路探索フレームは、前記無線周波デバイスのポート情報を保持し、前記無線周波デバイスの前記ポート情報は、前記無線周波デバイスの前記受信ポートを示す、
請求項９から１１のいずれか一項に記載の方法。
【請求項１４】
無線送信デバイスによって送信される経路探索フレームを転送ネットワークの転送ネットワークデバイスが受信する段階であって、前記経路探索フレームは、前記無線送信デバイスの送信ポート情報を備え、前記送信ポート情報は、前記転送ネットワークデバイスの入力ポートに接続された、前記無線送信デバイスの送信ポートを示す、段階と、
前記経路探索フレームにしたがって探索情報をエレメント管理システムＥＭＳに前記転送ネットワークデバイスが送信する段階であって、前記探索情報は、前記無線送信デバイスの前記送信ポートが前記転送ネットワークデバイスの前記入力ポートに接続されていることを示すために使用される、段階と
を備える、フロントホールトポロジを探索するための方法。
【請求項１５】
前記送信ポート情報は、前記無線送信デバイスのデバイス識別子、デバイスタイプ、前記送信ポートが位置付けられているサブラックの番号、前記送信ポートが位置付けられているキャビネットの番号、前記送信ポートが位置付けられているスロットの番号、前記送信ポートのポート番号、または前記無線送信デバイスの作動状態のうちの少なくとも１つを含む、
請求項１４に記載の方法。
【請求項１６】
前記探索情報は、前記送信ポート情報と前記転送ネットワークデバイスの入力ポート情報とを備え、前記入力ポート情報は、前記転送ネットワークデバイスの前記入力ポートを示す、
請求項１４または１５に記載の方法。
【請求項１７】
前記入力ポート情報は、前記転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記転送ネットワークデバイスの作動状態のうちの少なくとも１つを含む、
請求項１６に記載の方法。
【請求項１８】
前記経路探索フレームはさらに、前記無線送信デバイスに対応する無線受信デバイスの受信ポート情報を備え、前記受信ポート情報は、前記無線受信デバイスの前記受信ポートを示す、
請求項１４から１７のいずれか一項に記載の方法。
【請求項１９】
前記探索情報は、前記受信ポート情報を備える、
請求項１８に記載の方法。
【請求項２０】
前記受信ポート情報は、前記無線受信デバイスのデバイス識別子、デバイスタイプ、前記受信ポートが位置付けられているサブラックの番号、前記受信ポートが位置付けられているキャビネットの番号、前記受信ポートが位置付けられているスロットの番号、前記受信ポートのポート番号、または前記無線受信デバイスの作動状態のうちの少なくとも１つを含む、
請求項１８または１９に記載の方法。
【請求項２１】
前記無線送信デバイスは、ベースバンドデバイスであり、前記無線受信デバイスは無線周波デバイスであるか、または、
前記無線送信デバイスは無線周波デバイスであり、前記無線受信デバイスはベースバンドデバイスである、
請求項１４から２０のいずれか一項に記載の方法。
【請求項２２】
経路探索フレームを無線送信デバイスが生成する段階であって、前記経路探索フレームは、前記無線送信デバイスの送信ポート情報を備え、前記送信ポート情報は、転送ネットワークデバイスに接続された、前記無線送信デバイスの送信ポートを示す、段階と、
前記経路探索フレームを前記転送ネットワークデバイスに前記無線送信デバイスが送信する段階と
を備える、フロントホールトポロジを探索するための方法。
【請求項２３】
前記送信ポート情報は、前記無線送信デバイスのデバイス識別子、デバイスタイプ、前記送信ポートが位置付けられているサブラックの番号、前記送信ポートが位置付けられているキャビネットの番号、前記送信ポートが位置付けられているスロットの番号、前記送信ポートのポート番号、または前記無線送信デバイスの作動状態のうちの少なくとも１つを含む、
請求項２２に記載の方法。
【請求項２４】
前記経路探索フレームはさらに、前記無線送信デバイスに対応する無線受信デバイスの受信ポート情報を備え、前記受信ポート情報は、前記無線受信デバイスの受信ポートを示す、
請求項２２または２３に記載の方法。
【請求項２５】
前記受信ポート情報は、前記無線受信デバイスのデバイス識別子、デバイスタイプ、前記受信ポートが位置付けられているサブラックの番号、前記受信ポートが位置付けられているキャビネットの番号、前記受信ポートが位置付けられているスロットの番号、前記受信ポートのポート番号、または前記無線受信デバイスの作動状態のうちの少なくとも１つを含む、
請求項２４に記載の方法。
【請求項２６】
前記方法は、
エレメント管理システムＥＭＳによって送信される指示情報を前記無線送信デバイスが受信する段階であって、前記指示情報は前記経路探索フレームを送信するよう前記ベースバンドデバイスに命令するために使用される、段階
をさらに備える、請求項２２から２５のいずれか一項に記載の方法。
【請求項２７】
前記無線送信デバイスはベースバンドデバイスであり、前記無線受信デバイスは無線周波デバイスであるか、または、
前記無線送信デバイスは無線周波デバイスであり、前記無線受信デバイスはベースバンドデバイスである、
請求項２２から２６のいずれか一項に記載の方法。
【請求項２８】
ベースバンドデバイスであって、
送信元経路探索フレームを転送ネットワークの第１の転送ネットワークデバイスに送信するよう構成される第１の送信モジュールであって、前記送信元経路探索フレームは、前記転送ネットワークを使用することによって無線周波デバイスに送信される、第１の送信モジュールと、
前記第１の転送ネットワークデバイスによって送信される宛先経路探索フレームを受信するよう構成される第１の受信モジュールであって、前記宛先経路探索フレームは、前記第１の転送ネットワークデバイスが前記送信元経路探索フレームに第１のポート情報を記録し、かつ前記転送ネットワークの第２の転送ネットワークデバイスが前記送信元経路探索フレームに第２のポート情報を記録した後に形成され、前記第１のポート情報は、前記ベースバンドデバイスの目標ポートに接続された、前記第１の転送ネットワークデバイスの入力ポートを示し、前記第２のポート情報は、前記無線周波デバイスの受信ポートに接続された、前記第２の転送ネットワークデバイスの出力ポートを示す、第１の受信モジュールと、
前記宛先経路探索フレームにしたがって探索情報を決定するよう構成される決定モジュールであって、前記探索情報は、前記ベースバンドデバイスの前記目標ポートが前記第１の転送ネットワークデバイスの前記入力ポートに接続されていることと、前記第２の転送ネットワークデバイスの前記出力ポートが前記無線周波デバイスの前記受信ポートに接続されていることとを示す、決定モジュールと、
前記探索情報をエレメント管理システムＥＭＳに送信するよう構成される第２の送信モジュールと
を備えるベースバンドデバイス。
【請求項２９】
前記第１のポート情報は、前記第１の転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記第１の転送ネットワークデバイスの作動状態のうちの少なくとも１つを含み、
前記第２のポート情報は、前記第２の転送ネットワークデバイスのデバイス識別子、デバイスタイプ、前記出力ポートが位置付けられているサブラックの番号、前記出力ポートが位置付けられているキャビネットの番号、前記出力ポートが位置付けられているスロットの番号、前記出力ポートのポート番号、または前記第２の転送ネットワークデバイスの作動状態のうちの少なくとも１つを含む、
請求項２８に記載のベースバンドデバイス。
【請求項３０】
前記探索情報は、前記ベースバンドデバイスのポート情報、前記第１のポート情報、および前記第２のポート情報を備え、前記ベースバンドデバイスの前記ポート情報は、前記ベースバンドデバイスの前記目標ポートを示す、
請求項２８または２９に記載のベースバンドデバイス。
【請求項３１】
前記探索結果は、前記無線周波デバイスのポート情報を含み、前記無線周波デバイスの前記ポート情報は、前記無線周波デバイスの前記出力ポートを示す、
請求項３０に記載のベースバンドデバイス。
【請求項３２】
前記送信元経路探索フレームは、前記ベースバンドデバイスの前記ポート情報を備え、前記ベースバンドデバイスの前記ポート情報は、前記ベースバンドデバイスの前記目標ポートを示す、
請求項２８から３１のいずれか一項に記載のベースバンドデバイス。
【請求項３３】
前記送信元経路探索フレームはさらに、前記無線周波デバイスの前記ポート情報を備え、前記無線周波デバイスの前記ポート情報は、前記無線周波デバイスの前記出力ポートを示す、
請求項３２に記載のベースバンドデバイス。
【請求項３４】
前記宛先経路探索フレームはさらに、前記無線周波デバイスの前記ポート情報を備え、前記無線周波デバイスの前記ポート情報は、前記無線周波デバイスの前記出力ポートを示す、
請求項２８から３２のいずれか一項に記載のベースバンドデバイス。
【請求項３５】
前記ベースバンドデバイスはさらに、
前記ＥＭＳによって送信される指示メッセージを受信するよう構成される第２の受信モジュールであって、前記指示メッセージは、前記送信元経路探索フレームを送信するよう前記ベースバンドデバイスに命令するために使用される、第２の受信モジュールを備える、
請求項２８から３４のいずれか一項に記載のベースバンドデバイス。
【請求項３６】
転送ネットワークの第１の転送ネットワークデバイスであって、
ベースバンドデバイスによって送信される送信元経路探索フレームを受信するよう構成される第１の受信モジュールであって、前記送信元経路探索フレームは、前記転送ネットワークを使用することによって無線周波デバイスに送信される、第１の受信モジュールと、
第１の経路探索フレームを取得すべく、前記送信元経路探索フレームに第１のポート情報を記録するよう構成される処理モジュールであって、前記第１のポート情報は、前記ベースバンドデバイスの目標ポートに接続された、前記第１の転送ネットワークデバイスの入力ポートを示す、処理モジュールと、
前記第１の経路探索フレームを前記転送ネットワークの第２の転送ネットワークデバイスに送信するよう構成される第１の送信モジュールと、
前記第２の転送ネットワークデバイスによって送信される宛先経路探索フレームを受信するよう構成される第２の受信モジュールであって、前記宛先経路探索フレームは、前記第２の転送ネットワークデバイスが前記第１の経路探索フレームに第２のポート情報を記録した後に形成され、前記宛先経路探索フレームは前記第１のポート情報および前記第２のポート情報を保持し、前記第２のポート情報は、前記無線周波デバイスの受信ポートに接続された、前記第２の転送ネットワークデバイスの出力ポートを示す、第２の受信モジュールと、
前記宛先経路探索フレームを前記ベースバンドデバイスに送信するよう構成される第２の送信モジュールと
を備える第１の転送ネットワークデバイス。
【請求項３７】
前記第１のポート情報は、前記第１の転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記第１の転送ネットワークデバイスの作動状態のうちの少なくとも１つを含み、
前記第２のポート情報は、前記第２の転送ネットワークデバイスのデバイス識別子、デバイスタイプ、前記出力ポートが位置付けられているサブラックの番号、前記出力ポートが位置付けられているキャビネットの番号、前記出力ポートが位置付けられているスロットの番号、前記出力ポートのポート番号、または前記第２の転送ネットワークデバイスの作動状態のうちの少なくとも１つを含む、
請求項３６に記載の第１の転送ネットワークデバイス。
【請求項３８】
前記送信元経路探索フレームは、前記ベースバンドデバイスのポート情報を備え、前記ベースバンドデバイスの前記ポート情報は、前記ベースバンドデバイスの前記目標ポートを示す、
請求項３６または３７に記載の第１の転送ネットワークデバイス。
【請求項３９】
前記送信元経路探索フレームはさらに、前記無線周波デバイスのポート情報を備え、前記無線周波デバイスの前記ポート情報は、前記無線周波デバイスの前記受信ポートを示す、
請求項３８に記載の第１の転送ネットワークデバイス。
【請求項４０】
前記宛先経路探索フレームは、前記無線周波デバイスのポート情報を保持し、前記無線周波デバイスの前記ポート情報は、前記無線周波デバイスの前記受信ポートを示す、
請求項３６から３８のいずれか一項に記載の第１の転送ネットワークデバイス。
【請求項４１】
転送ネットワークの転送ネットワークデバイスであって、
無線送信デバイスによって送信される経路探索フレームを受信するよう構成される受信モジュールであって、前記経路探索フレームは、前記無線送信デバイスの送信ポート情報を備え、前記送信ポート情報は、前記転送ネットワークデバイスの入力ポートに接続された、前記無線送信デバイスの送信ポートを示す、受信モジュールと、
前記経路探索フレームにしたがって探索情報をエレメント管理システムＥＭＳに送信するよう構成される送信モジュールであって、前記探索情報は、前記無線送信デバイスの前記送信ポートが前記転送ネットワークデバイスの前記入力ポートに接続されていることを示すために使用される、送信モジュールと
を備える転送ネットワークデバイス。
【請求項４２】
前記送信ポート情報は、前記無線送信デバイスのデバイス識別子、デバイスタイプ、前記送信ポートが位置付けられているサブラックの番号、前記送信ポートが位置付けられているキャビネットの番号、前記送信ポートが位置付けられているスロットの番号、前記送信ポートのポート番号、または前記無線送信デバイスの作動状態のうちの少なくとも１つを含む、
請求項４１に記載の転送ネットワークデバイス。
【請求項４３】
前記探索情報は、前記送信ポート情報と前記転送ネットワークデバイスの入力ポート情報とを備え、前記入力ポート情報は、前記転送ネットワークデバイスの前記入力ポートを示す、
請求項４１または４２に記載の転送ネットワークデバイス。
【請求項４４】
前記入力ポート情報は、前記転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記転送ネットワークデバイスの作動状態のうちの少なくとも１つを含む、
請求項４３に記載の転送ネットワークデバイス。
【請求項４５】
前記経路探索フレームはさらに、前記無線送信デバイスに対応する無線受信デバイスの受信ポート情報を備え、前記受信ポート情報は、前記無線受信デバイスの前記受信ポートを示す、
請求項４１から４４のいずれか一項に記載の転送ネットワークデバイス。
【請求項４６】
前記探索情報は、前記受信ポート情報を備える、
請求項４５に記載の転送ネットワークデバイス。
【請求項４７】
前記受信ポート情報は、前記無線受信デバイスのデバイス識別子、デバイスタイプ、前記受信ポートが位置付けられているサブラックの番号、前記受信ポートが位置付けられているキャビネットの番号、前記受信ポートが位置付けられているスロットの番号、前記受信ポートのポート番号、または前記無線受信デバイスの作動状態のうちの少なくとも１つを含む、
請求項４５または４６に記載の転送ネットワークデバイス。
【請求項４８】
前記無線送信デバイスはベースバンドデバイスであり、前記無線受信デバイスは無線周波デバイスであるか、または、
前記無線送信デバイスは無線周波デバイスであり、前記無線受信デバイスはベースバンドデバイスである、
請求項４１から４７のいずれか一項に記載の転送ネットワークデバイス。
【請求項４９】
無線送信デバイスであって、
経路探索フレームを生成するよう構成される生成モジュールであって、前記経路探索フレームは、前記無線送信デバイスの送信ポート情報を含み、前記送信ポート情報は、転送ネットワークデバイスに接続された、前記無線送信デバイスの送信ポートを示す、生成モジュールと、
前記経路探索フレームを前記転送ネットワークデバイスに送信するよう構成される送信モジュールと
を備える無線送信デバイス。
【請求項５０】
前記送信ポート情報は、前記無線送信デバイスのデバイス識別子、デバイスタイプ、前記送信ポートが位置付けられているサブラックの番号、前記送信ポートが位置付けられているキャビネットの番号、前記送信ポートが位置付けられているスロットの番号、前記送信ポートのポート番号、または前記無線送信デバイスの作動状態のうちの少なくとも１つを含む、
請求項４９に記載の無線送信デバイス。
【請求項５１】
前記経路探索フレームはさらに、前記無線送信デバイスに対応する無線受信デバイスの受信ポート情報を含み、前記受信ポート情報は、前記無線受信デバイスの受信ポートを示す、
請求項４９または５０に記載の無線送信デバイス。
【請求項５２】
前記受信ポート情報は、前記無線受信デバイスのデバイス識別子、デバイスタイプ、前記受信ポートが位置付けられているサブラックの番号、前記受信ポートが位置付けられているキャビネットの番号、前記受信ポートが位置付けられているスロットの番号、前記受信ポートのポート番号、または、前記無線受信デバイスの作動状態のうちの少なくとも１つを含む、
請求項５１に記載の無線送信デバイス。
【請求項５３】
前記無線送信デバイスはさらに、
エレメント管理システムＥＭＳによって送信される指示情報を受信するよう構成される受信モジュールであって、前記指示情報は、前記経路探索フレームを送信するよう前記ベースバンドデバイスに命令するために使用される、受信モジュールを備える、
請求項４９から５２のいずれか一項に記載の無線送信デバイス。
【請求項５４】
前記無線送信デバイスはベースバンドデバイスであり、前記無線受信デバイスは無線周波デバイスであるか、または、
前記無線送信デバイスは無線周波デバイスであり、前記無線受信デバイスはベースバンドデバイスである、
請求項４９から５３のいずれか一項に記載の無線送信デバイス。
【発明の詳細な説明】
【技術分野】
【０００１】
本発明の実施形態は通信分野に関し、具体的にはフロントホールトポロジを探索するための方法および装置に関する。
【背景技術】
【０００２】
現在、分散型基地局の遠隔無線ユニット（Ｒｅｍｏｔｅ  Ｒａｄｉｏ  Ｕｎｉｔ、略して「ＲＲＵ」、またはＲａｄｉｏ  Ｈｅａｄ、略して「ＲＨ」）とベースバンドユニット（Ｂａｓｅ  Ｂａｎｄ  Ｕｎｉｔ、略して「ＢＢＵ」）とが、通常、光ファイバまたはケーブルを使用することによって物理的に接続され、公衆無線インタフェース（Ｃｏｍｍｏｎ  Ｐｕｂｌｉｃ  Ｒａｄｉｏ  Ｉｎｔｅｒｆａｃｅ、略して「ＣＰＲＩ」）プロトコルがサービスに関して使用される。遠隔地に配置されたＢＢＵが、集中機器室において集中して配置され、光ファイバを使用することによって無線周波ユニットに接続される。ＢＢＵと無線周波ユニットとの間の距離は、数キロメートル、または数十キロメートルにも延長され得る。この方式は、クリーン、集中処理、協調的無線、およびリアルタイムクラウド無線アクセスネットワーク（Ｃｌｅａｎ、  Ｃｅｎｔｒａｌｉｚｅｄ  ｐｒｏｃｅｓｓｉｎｇ，  Ｃｏｌｌａｂｏｒａｔｉｖｅ  ｒａｄｉｏ， ａｎｄ  ｒｅａｌ−ｔｉｍｅ  Ｃｌｏｕｄ  Ｒａｄｉｏ  Ａｃｃｅｓｓ  Ｎｅｔｗｏｒｋ、略して「ＣＲＡＮ」）と称される。したがって、機器室の需要が減り、ネットワーク配置が容易かつ迅速に実行され得る。
【０００３】
事業者の敷設された光ファイバを使用し、ＣＲＡＮ配置の全体的な費用を低減すべく、事業者は、フロントホール（Ｆｒｏｎｔｈａｕｌ）に（通常はＯＴＮデバイスである）光伝送デバイスを導入し、局への既存の光ファイバを再利用し、これにより、全体的な費用を低減する。光伝送デバイスは通常二つ一組で配置される。すなわち、１つの光伝送デバイスが局側に配置され、これに対応して、１つの光伝送デバイスが中央機器室に配置される。
【０００４】
伝送デバイスが導入される前、無線周波ユニットとベースバンドユニットとの間のパスは次のようなものである。無線周波ユニット→無線周波ユニットの光モジュール→光ファイバ→ベースバンドユニットの光モジュール→ベースバンドユニット。通信障害が起きたとき、障害が発生した場所が判断される必要があり、遠隔の、段階を踏んだソフトループバック（ループバックの形成のためにはコマンド制御デバイスが使用される）などの障害位置特定手段が通常使用される。これらのオペレーションが実行される前、ループバック点間の接続関係を知っておく必要がある。
【０００５】
伝送デバイスが導入されるので、無線デバイスと伝送デバイスとの間のパスは次のようになる。無線周波ユニット→無線周波ユニットの光モジュール→無線周波側の、フィールド伝送デバイスの光モジュール→フィールド伝送デバイス→ベースバンド側の、フィールド伝送デバイスの光モジュール→光ファイバ→無線周波側の、機器室の伝送デバイスの光モジュール→機器室の伝送デバイス→ベースバンド側の、機器室の伝送デバイスの光モジュール→ベースバンドユニットの光モジュール→ベースバンドユニット。同様に、障害の位置を特定すべく、無線周波ユニットとフィールド伝送デバイスと機器室の伝送デバイスとベースバンドユニットとの間の正確な接続関係を知っておく必要がある。
【０００６】
転送ネットワークデバイスと無線デバイスとの間の、無線または伝送側の運用保守プラットフォームから取得されるポート接続関係は、実際は1つのタイプのＦｒｏｎｔｈａｕｌトポロジ情報である。現在、無線アクセスネットワークと転送ネットワークのどちらも、ベースバンドデバイスおよび無線周波デバイスのインタフェースの完全なトポロジを示す能力を有さない。先行技術が使用された場合、問題は構造図を使用することによってのみ解決され得る。しかしながら、構造図は電子化され得ず、査閲効率が極めて低く、構造図は容易に紛失する場合があり、適時に更新され得ない。その結果、無線周波デバイスに対してループバックオペレーションが実行される必要があるとき、ピアエンドの転送ネットワークポートさえ不明である。同様に、転送ネットワークポートに対してオペレーションが実行される必要があるとき、転送ネットワークポートに接続されている具体的な無線周波デバイスまたはベースバンドデバイスもまた不明である。
【０００７】
加えて、トポロジ接続関係を静的に示すべく、無線アクセスネットワーク側または転送ネットワーク側に構成が追加された場合、ベースバンドデバイスのポートと転送ネットワークデバイスのポートとの間の接続関係が構成される必要がある。既存の問題は、無線デバイスのシステムと転送ネットワークデバイスのシステムとが結合される必要がある点にある。実際はこの構成は実行が困難であり、構成の正確さを継続的に確保するのが困難である。データ構成は、転送ネットワークデバイスおよび無線デバイスについて通常別々に実行されるので、データ構成の人員の協働が、間違いなく大幅にデバイス維持の困難さを増大させる。
【０００８】
トポロジ接続関係の静的構成データが、ネットワークの変更に応じて継続的に維持される必要がある一方で、ネットワークの調整はいつでも起き得、無線デバイスおよび伝送デバイスの両方が頻繁に調整されてよい。継続的な構成および維持オペレーションにおいて、いずれの過失も実際のトポロジおよび構成データの不一致を引き起こし得る。より重要なことに、構成された接続情報の正確さは、デバイスによってチェックされ得ない。これは誤りの特定が困難であることを意味し、ついにはネットワーク障害が起き得る。
【発明の概要】
【０００９】
本発明の実施形態が、フロントホールトポロジを探索するための方法および装置を提供し、これにより、無線デバイスと転送ネットワークデバイスとの間のトポロジについての情報が正確に取得される。
【００１０】
第１態様によると、フロントホールトポロジを探索するための方法が提供される。当該方法は、送信元経路探索フレームを転送ネットワークの第１の転送ネットワークデバイスにベースバンドデバイスが送信する段階であって、送信元経路探索フレームは、転送ネットワークを使用することによって無線周波デバイスに送信される、段階と、第１の転送ネットワークデバイスによって送信される宛先経路探索フレームをベースバンドデバイスが受信する段階であって、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す、段階と、宛先経路探索フレームにしたがって探索情報をベースバンドデバイスが決定する段階であって、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す、段階と、探索情報をエレメント管理システムＥＭＳにベースバンドデバイスが送信する段階とを備える。
【００１１】
第１態様に関連して、第１態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００１２】
第１態様、および第１態様の前述の実装例に関連して、第１態様の別の実装例において、探索情報は、ベースバンドデバイスのポート情報、第１のポート情報、および第２のポート情報を備え、ベースバンドデバイスのポート情報は、ベースバンドデバイスの目標ポートを示す。
【００１３】
第１態様、および第１態様の前述の実装例に関連して、第１態様の別の実装例において、探索結果は無線周波デバイスのポート情報を含み、無線周波デバイスのポート情報は、無線周波デバイスの出力ポートを示す。
【００１４】
第１態様、および第１態様の前述の実装例に関連して、第１態様の別の実装例において、送信元経路探索フレームはベースバンドデバイスのポート情報を備え、ベースバンドデバイスのポート情報は、ベースバンドデバイスの目標ポートを示す。
【００１５】
第１態様、および第１態様の前述の実装例に関連して、第１態様の別の実装例において、送信元経路探索フレームはさらに、無線周波デバイスのポート情報を備え、無線周波デバイスのポート情報は、無線周波デバイスの出力ポートを示す。
【００１６】
第１態様、および第１態様の前述の実装例に関連して、第１態様の別の実装例において、宛先経路探索フレームはさらに、無線周波デバイスのポート情報を備え、無線周波デバイスのポート情報は、無線周波デバイスの出力ポートを示す。
【００１７】
第１態様、および第１態様の前述の実装例に関連して、第１態様の別の実装例において、当該方法はさらに、ＥＭＳによって送信される指示メッセージをベースバンドデバイスが受信する段階であって、指示メッセージは、送信元経路探索フレームを送信するようベースバンドデバイスに命令するために使用される、段階を備える。
【００１８】
第２態様によると、フロントホールトポロジを探索するための方法が提供される。当該方法は、ベースバンドデバイスによって送信される送信元経路探索フレームを転送ネットワークの第１の転送ネットワークデバイスが受信する段階であって、送信元経路探索フレームは、転送ネットワークを使用することによって無線周波デバイスに送信される、段階と、第１の経路探索フレームを取得すべく、送信元経路探索フレームに第１のポート情報を第１の転送ネットワークデバイスが記録する段階であって、第１のポート情報は、ベースバンドデバイスの目標ポートに接続された、第１の転送ネットワークデバイスの入力ポートを示す、段階と、第１の経路探索フレームを転送ネットワークの第２の転送ネットワークデバイスに第１の転送ネットワークデバイスが送信する段階と、第２の転送ネットワークデバイスによって送信される宛先経路探索フレームを第１の転送ネットワークデバイスが受信する段階であって、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す、段階と、宛先経路探索フレームをベースバンドデバイスに第１の転送ネットワークデバイスが送信する段階とを備える。
【００１９】
第２態様に関連して、第２態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００２０】
第２態様、および第２態様の前述の実装例に関連して、第２態様の別の実装例において、送信元経路探索フレームはベースバンドデバイスのポート情報を備え、ベースバンドデバイスのポート情報は、ベースバンドデバイスの目標ポートを示す。
【００２１】
第２態様、および第２態様の前述の実装例に関連して、第２態様の別の実装例において、送信元経路探索フレームはさらに無線周波デバイスのポート情報を備え、無線周波デバイスのポート情報は、無線周波デバイスの受信ポートを示す。
【００２２】
第２態様、および第２態様の前述の実装例に関連して、第２態様の別の実装例において、宛先経路探索フレームは無線周波デバイスのポート情報を保持し、無線周波デバイスのポート情報は、無線周波デバイスの受信ポートを示す。
【００２３】
第３態様によると、フロントホールトポロジを探索するための方法が提供される。当該方法は、無線送信デバイスによって送信される経路探索フレームを転送ネットワークの転送ネットワークデバイスが受信する段階であって、経路探索フレームは無線送信デバイスの送信ポート情報を備え、送信ポート情報は、転送ネットワークデバイスの入力ポートに接続された、無線送信デバイスの送信ポートを示す、段階と、経路探索フレームにしたがって、探索情報をエレメント管理システムＥＭＳに転送ネットワークデバイスが送信する段階であって、探索情報は、転送ネットワークデバイスの入力ポートに接続された、無線送信デバイスの送信ポートを示すために使用される、段階とを備える。
【００２４】
第３態様に関連して、第３態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００２５】
第３態様、および第３態様の前述の実装例に関連して、第３態様の別の実装例において、探索情報は送信ポート情報および転送ネットワークデバイスの入力ポート情報を備え、入力ポート情報は、転送ネットワークデバイスの入力ポートを示す。
【００２６】
第３態様、および第３態様の前述の実装例に関連して、第３態様の別の実装例において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、転送ネットワークデバイスの作動状態のうちの少なくとも１つを含む。
【００２７】
第３態様、および第３態様の前述の実装例に関連して、第３態様の別の実装例において、経路探索フレームはさらに、無線送信デバイスに対応する無線受信デバイスの受信ポート情報を備え、受信ポート情報は、無線受信デバイスの受信ポートを示す。
【００２８】
第３態様、および第３態様の前述の実装例に関連して、第３態様の別の実装例において、探索情報は受信ポート情報を備える。
【００２９】
第３態様、および第３態様の前述の実装例に関連して、第３態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００３０】
第３態様、および第３態様の前述の実装例に関連して、第３態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００３１】
第４態様によると、フロントホールトポロジを探索するための方法が提供される。当該方法は、経路探索フレームを無線送信デバイスが生成する段階であって、経路探索フレームは、無線送信デバイスの送信ポート情報を備え、送信ポート情報は、転送ネットワークデバイスに接続された、無線送信デバイスの送信ポートを示す、段階と、経路探索フレームを転送ネットワークデバイスに無線送信デバイスが送信する段階とを備える。
【００３２】
第４態様に関連して、第４態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００３３】
第４態様、および第４態様の前述の実装例に関連して、第４態様の別の実装例において、経路探索フレームはさらに、無線送信デバイスに対応する無線受信デバイスの受信ポート情報を備え、受信ポート情報は、無線受信デバイスの受信ポートを示す。
【００３４】
第４態様、および第４態様の前述の実装例に関連して、第４態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００３５】
第４態様、および第４態様の前述の実装例に関連して、第４態様の別の実装例において、当該方法はさらに、エレメント管理システムＥＭＳによって送信される指示情報を無線送信デバイスが受信する段階であって、指示情報は、経路探索フレームを送信するようベースバンドデバイスに命令するために使用される、段階を備える。
【００３６】
第４態様、および第４態様の前述の実装例に関連して、第４態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００３７】
第５態様によると、ベースバンドデバイスが提供される。ベースバンドデバイスは、送信元経路探索フレームを転送ネットワークの第１の転送ネットワークデバイスに送信するよう構成される第１の送信モジュールであって、送信元経路探索フレームは、転送ネットワークを使用することによって無線周波デバイスに送信される、第１の送信モジュールと、第１の転送ネットワークデバイスによって送信される宛先経路探索フレームを受信するよう構成される第１の受信モジュールであって、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す、第１の受信モジュールと、宛先経路探索フレームにしたがって探索情報を決定するよう構成される決定モジュールであって、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す、決定モジュールと、探索情報をエレメント管理システムＥＭＳに送信するよう構成される第２の送信モジュールとを備える。
【００３８】
第５態様に関連して、第５態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００３９】
第５態様、および第５態様の前述の実装例に関連して、第５態様の別の実装例において、探索情報は、ベースバンドデバイスのポート情報、第１のポート情報、および第２のポート情報を備え、ベースバンドデバイスのポート情報は、ベースバンドデバイスの目標ポートを示す。
【００４０】
第５態様、および第５態様の前述の実装例に関連して、第５態様の別の実装例において、探索結果は無線周波デバイスのポート情報を含み、無線周波デバイスのポート情報は、無線周波デバイスの出力ポートを示す。
【００４１】
第５態様、および第５態様の前述の実装例に関連して、第５態様の別の実装例において、送信元経路探索フレームはベースバンドデバイスのポート情報を備え、ベースバンドデバイスのポート情報は、ベースバンドデバイスの目標ポートを示す。
【００４２】
第５態様、および第５態様の前述の実装例に関連して、第５態様の別の実装例において、送信元経路探索フレームはさらに無線周波デバイスのポート情報を備え、無線周波デバイスのポート情報は、無線周波デバイスの出力ポートを示す。
【００４３】
第５態様、および第５態様の前述の実装例に関連して、第５態様の別の実装例において、宛先経路探索フレームはさらに無線周波デバイスのポート情報を備え、無線周波デバイスのポート情報は、無線周波デバイスの出力ポートを示す。
【００４４】
第５態様、および第５態様の前述の実装例に関連して、第５態様の別の実装例において、ベースバンドデバイスはさらに、ＥＭＳによって送信される指示メッセージを受信するよう構成される第２の受信モジュールであって、指示メッセージは、送信元経路探索フレームを送信するようベースバンドデバイスに命令するために使用される、第２の受信モジュールを備える。
【００４５】
第６態様によると、ベースバンドデバイスが提供される。当該ベースバンドデバイスは、ベースバンドデバイスによって送信される送信元経路探索フレームを受信するよう構成される第１の受信モジュールであって、送信元経路探索フレームは、転送ネットワークを使用することによって無線周波デバイスに送信される、第１の受信モジュールと、第１の経路探索フレームを取得すべく、送信元経路探索フレームに第１のポート情報を記録するよう構成される処理モジュールであって、第１のポート情報は、ベースバンドデバイスの目標ポートに接続された、第１の転送ネットワークデバイスの入力ポートを示す、処理モジュールと、第１の経路探索フレームを転送ネットワークの第２の転送ネットワークデバイスに送信するよう構成される第１の送信モジュールと、第２の転送ネットワークデバイスによって送信される宛先経路探索フレームを受信するよう構成される第２の受信モジュールであって、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す、第２の受信モジュールと、宛先経路探索フレームをベースバンドデバイスに送信するよう構成される第２の送信モジュールとを備える。
【００４６】
第６態様に関連して、第６態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００４７】
第６態様、および第６態様の前述の実装例に関連して、第６態様の別の実装例において、送信元経路探索フレームはベースバンドデバイスのポート情報を備え、ベースバンドデバイスのポート情報は、ベースバンドデバイスの目標ポートを示す。
【００４８】
第６態様、および第６態様の前述の実装例に関連して、第６態様の別の実装例において、送信元経路探索フレームはさらに無線周波デバイスのポート情報を備え、無線周波デバイスのポート情報は、無線周波デバイスの受信ポートを示す。
【００４９】
第６態様、および第６態様の前述の実装例に関連して、第６態様の別の実装例において、宛先経路探索フレームは無線周波デバイスのポート情報を保持し、無線周波デバイスのポート情報は、無線周波デバイスの受信ポートを示す。
【００５０】
第７態様によると、ベースバンドデバイスが提供される。当該ベースバンドデバイスは、無線送信デバイスによって送信される経路探索フレームを受信するよう構成される受信モジュールであって、経路探索フレームは無線送信デバイスの送信ポート情報を備え、送信ポート情報は、転送ネットワークデバイスの入力ポートに接続された、無線送信デバイスの送信ポートを示す、受信モジュールと、経路探索フレームにしたがって探索情報をエレメント管理システムＥＭＳに送信するよう構成される送信モジュールであって、探索情報は、無線送信デバイスの送信ポートが転送ネットワークデバイスの入力ポートに接続されていることを示すために使用される、送信モジュールとを備える。
【００５１】
第７態様に関連して、第７態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００５２】
第７態様、および第７態様の前述の実装例に関連して、第７態様の別の実装例において、探索情報は、送信ポート情報および転送ネットワークデバイスの入力ポート情報を備え、入力ポート情報は、転送ネットワークデバイスの入力ポートを示す。
【００５３】
第７態様、および第７態様の前述の実装例に関連して、第７態様の別の実装例において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、転送ネットワークデバイスの作動状態のうちの少なくとも１つを備える。
【００５４】
第７態様、および第７態様の前述の実装例に関連して、第７態様の別の実装例において、経路探索フレームはさらに、無線送信デバイスに対応する無線受信デバイスの受信ポート情報を備え、受信ポート情報は、無線受信デバイスの受信ポートを示す。
【００５５】
第７態様、および第７態様の前述の実装例に関連して、第７態様の別の実装例において、探索情報は受信ポート情報を備える。
【００５６】
第７態様、および第７態様の前述の実装例に関連して、第７態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００５７】
第７態様、および第７態様の前述の実装例に関連して、第７態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００５８】
第８態様によると、ベースバンドデバイスが提供される。当該ベースバンドデバイスは、経路探索フレームを生成するよう構成される生成モジュールであって、経路探索フレームは無線送信デバイスの送信ポート情報を備え、送信ポート情報は、転送ネットワークデバイスに接続された、無線送信デバイスの送信ポートを示す、生成モジュールと、経路探索フレームを転送ネットワークデバイスに送信するよう構成される送信モジュールとを備える。
【００５９】
第８態様に関連して、第８態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００６０】
第８態様、および第８態様の前述の実装例に関連して、第８態様の別の実装例において、経路探索フレームはさらに、無線送信デバイスに対応する無線受信デバイス受信ポート情報を備え、受信ポート情報は、無線受信デバイスの受信ポートを示す。
【００６１】
第８態様、および第８態様の前述の実装例に関連して、第８態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００６２】
第８態様、および第８態様の前述の実装例に関連して、第８態様の別の実装例において、無線送信デバイスはさらに、エレメント管理システムＥＭＳによって送信される指示情報を受信するよう構成される受信モジュールであって、指示情報は、経路探索フレームを送信するようベースバンドデバイスに命令するために使用される、受信モジュールを含む。
【００６３】
第８態様、および第８態様の前述の実装例に関連して、第８態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００６４】
前述の技術的解決手段に基づいて、本発明の実施形態における、フロントホールトポロジを探索するための方法および装置によると、無線送信デバイスはパスを探索するために使用される経路探索フレームを無線受信デバイスに送信し、これにより、経路探索フレームを受信する転送ネットワークデバイスは、経路探索フレームを受信する受信ポートを記録し、無線受信デバイスに接続された転送ネットワークデバイスは、送信ポートを記録し、経路探索フレームを無線送信デバイスに返す。次に、無線送信デバイスは、探索結果を無線ＥＭＳに報告し得、これにより、無線ＥＭＳは、探索結果にしたがって、無線デバイスと転送ネットワークデバイスとの間のトポロジについての情報を決定でき、様々なデバイスのポート間の接続関係を決定できる。
【図面の簡単な説明】
【００６５】
本発明の実施形態における技術的解決手段をより明確に説明すべく、本発明の実施形態を説明するために必要な添付図面を以下で簡潔に説明する。以下の説明における添付図面は、本発明のいくつかの実施形態を示しているに過ぎず、当業者であれば、創造的な努力なくこれらの添付図面から他の図面をさらに導き出し得ることは明らかである。
【００６６】
【図１】本発明の一実施形態に係る、フロントホールトポロジを探索するための方法の概略フローチャートである。
【００６７】
【図２】本発明の一実施形態に係る、フロントホールトポロジの概略図である。
【００６８】
【図３】本発明の一実施形態に係る、送信元経路探索の概略フローチャートである。
【００６９】
【図４】本発明の一実施形態に係る経路探索フレーム方法の概略フローチャートである。
【００７０】
【図５】本発明の一実施形態に係る別の経路探索フレームの概略フローチャートである。
【００７１】
【図６】本発明の一実施形態に係るさらに別の経路探索フレームの概略フローチャートである。
【００７２】
【図７】本発明の別の実施形態に係る、フロントホールトポロジを探索するための方法の概略フローチャートである。
【００７３】
【図８】本発明のさらに別の実施形態に係る、フロントホールトポロジを探索するための方法の概略フローチャートである。
【００７４】
【図９】本発明のさらに別の実施形態に係る、フロントホールトポロジを探索するための方法の概略フローチャートである。
【００７５】
【図１０】本発明のさらにまた別の実施形態に係る、フロントホールトポロジを探索するための方法の概略フローチャートである。
【００７６】
【図１１】本発明の一実施形態に係るベースバンドデバイスの概略ブロック図である。
【００７７】
【図１２】本発明の一実施形態に係る第１の転送ネットワークデバイスの概略ブロック図である。
【００７８】
【図１３】本発明の一実施形態に係る転送ネットワークデバイスの概略ブロック図である。
【００７９】
【図１４】本発明の一実施形態に係る無線送信デバイスの概略ブロック図である。
【００８０】
【図１５】本発明の別の実施形態に係るベースバンドデバイスの概略ブロック図である。
【００８１】
【図１６】本発明の別の実施形態に係る第１の転送ネットワークデバイスの概略ブロック図である。
【００８２】
【図１７】本発明の別の実施形態に係る転送ネットワークデバイスの概略ブロック図である。
【００８３】
【図１８】本発明の別の実施形態に係る無線送信デバイスの概略ブロック図である。
【発明を実施するための形態】
【００８４】
本発明の実施形態における添付図面に関連して、本発明の実施形態における技術的解決手段を以下で明確かつ十分に説明する。説明される実施形態が、本発明の実施形態の全部ではなく一部であることは明らかである。創造的な努力なく本発明の実施形態に基づいて当業者によって取得される他の全ての実施形態は、本発明の保護範囲内に当然に含まれる。
【００８５】
本発明の実施形態における技術的解決手段は、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、略して「ＧＳＭ（登録商標）」）システム、符号分割多重接続（Ｃｏｄｅ  Ｄｉｖｉｓｉｏｎ  Ｍｕｌｔｉｐｌｅ  Ａｃｃｅｓｓ、略して「ＣＤＭＡ」）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）システム、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）、ロングタームエボリューション（Ｌｏｎｇ  Ｔｅｒｍ  Ｅｖｏｌｕｔｉｏｎ、略して「ＬＴＥ」）システム、ＬＴＥ周波数分割複信（Fｒｅｑｕｅｎｃｙ  Ｄｉｖｉｓｉｏｎ  Ｄｕｐｌｅｘ、略して「ＦＤＤ」）システム、ＬＴＥ時分割複信（Ｔｉｍｅ  Ｄｉｖｉｓｉｏｎ  Ｄｕｐｌｅｘ、略して「ＴＤＤ」）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略して「ＵＭＴＳ」）、および、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略して「ＷｉＭａｘ」）通信システムなどの様々な通信システムに適用され得ることが理解されるべきである。
【００８６】
分散型基地局の無線周波ユニットとベースバンドユニットとは、通常、光ファイバまたはケーブルを使用することによって物理的に接続されており、サービスに関してＣＰＲＩプロトコルが使用されているので、敷設された事業者の光ファイバを使用し、ＣＲＡＮ配置の全体的な費用を低減すべく、事業者は、Ｆｒｏｎｔｈａｕｌプロセスに（通常はＯＴＮデバイスである）光伝送デバイスを導入し、局への既存の光ファイバを再利用し、これにより、全体的な費用を低減する。
【００８７】
伝送デバイスが導入された後、無線デバイスと伝送デバイスとの間のパスは次のようになる。無線周波ユニット→無線周波ユニットの光モジュール→無線周波側の、フィールド伝送デバイスの光モジュール→フィールド伝送デバイス→ベースバンド側の、フィールド伝送デバイスの光モジュール→光ファイバ→無線周波側の、機器室の伝送デバイスの光モジュール→機器室の伝送デバイス→ベースバンド側の、機器室の伝送デバイスの光モジュール→ベースバンドユニットの光モジュール→ベースバンドユニット。障害の位置を特定すべく、ループバックオペレーションが実行されて、障害がチェックされてよい。この場合、無線周波ユニットとフィールド伝送デバイスと機器室の伝送デバイスとベースバンドユニットとの間の正確な接続関係を知っておく必要がある。したがって、本発明の実施形態は、フロントホールトポロジを探索するための方法および装置を提供する。
【００８８】
具体的には、本発明の実施形態におけるフロントホールトポロジを探索するための方法は、フロントホールトポロジスキャンプロトコル（Ｆｒｏｎｔｈａｕｌ  Ｔｏｐｏｌｏｇｙ  Ｓｃａｎ  Ｐｒｏｔｏｃｏｌ、略して「ＦＴＳＰ」）と称されてよい。具体的には、探索方法によると、フロントホールトポロジスキャンプロトコルは、ＬＦＴＳＰ（ループバックＦＴＳＰ）とＳＦＴＳＰ（片方向ＦＴＳＰ）という２つのカテゴリに分割され得る。当該２つのカテゴリの各々の実施形態はさらに、自動オペレーションと手動オペレーションという２つのタイプに分割され得る。すなわち、合計して４つの方法があり、当該４つの方法は、それぞれＡＬＦＴＳＰ（自動ループバックＦＴＳＰ）、ＭＬＦＴＳＰ（手動ループバックＦＴＳＰ）、ＡＳＦＴＳＰ（自動片方向ＦＴＳＰ）、およびＭＳＦＴＳＰ（手動片方向ＦＴＳＰ）と称されてよい。
【００８９】
図１は、本発明の一実施形態に係る、フロントホールトポロジを探索するための方法１００の概略フローチャートを示す。方法１００はベースバンドデバイスによって実行されてよい。方法１００はＬＦＴＳＰ（ループバックＦＴＳＰ）と称されてよい。図１に示されているように、方法１００は以下の段階を備える。
【００９０】
Ｓ１１０．ベースバンドデバイスが、送信元経路探索フレームを転送ネットワークの第１の転送ネットワークデバイスに送信する。ここで、送信元経路探索フレームは、転送ネットワークを使用することによって無線周波デバイスに送信される。
【００９１】
Ｓ１２０．ベースバンドデバイスが、第１の転送ネットワークデバイスによって送信される宛先経路探索フレームを受信する。ここで、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す。
【００９２】
Ｓ１３０．ベースバンドデバイスが、宛先経路探索フレームにしたがって探索情報を決定する。ここで、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。
【００９３】
Ｓ１４０．ベースバンドデバイスが、探索情報をエレメント管理システムＥＭＳに送信する。
【００９４】
具体的には、フロントホールトポロジ情報を探索すべく、無線ＥＭＳは、トポロジ探索を周期的にまたはランダムに実行するようベースバンドデバイスに命令してよく、転送ネットワークデバイスを使用することによって、送信元経路探索フレームを無線周波デバイスに送信するようベースバンドデバイスに命令してよい。ベースバンドデバイスに接続された、転送ネットワークの第１の転送ネットワークデバイスは、送信元経路探索フレームを受信し、送信元経路探索フレームに第１のポート情報を記録する。第１のポート情報は、ベースバンドデバイスの目標ポートに接続された、第１の転送ネットワークデバイスの入力ポートを示す。送信元経路探索フレームは、転送ネットワークを使用することによって転送され続ける。送信元経路探索フレームが、無線周波デバイスに接続された第２の転送ネットワークデバイスに送信されるとき、第２の転送ネットワークデバイスは送信元経路探索フレームに第２のポート情報を記録する。第２のポート情報は、無線周波デバイスの受信ポートに接続された、第２の転送ネットワークデバイスの出力ポートを示す。第１のポート情報および第２のポート情報が送信元経路探索フレームに記録された後、宛先経路探索フレームが形成される。宛先経路探索フレームは、転送ネットワークを使用することによってベースバンドデバイスに返されてよい。ベースバンドデバイスは、宛先経路探索フレームにしたがって探索情報を決定する。探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。次に、決定された探索情報は無線ＥＭＳに送信され、これにより、無線ＥＭＳは、受信された探索情報にしたがって、ベースバンドデバイスと転送ネットワークと無線周波デバイスとの間のトポロジについての情報を決定できる。
【００９５】
したがって、本発明の本実施形態における、フロントホールトポロジを探索するための方法によると、ベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【００９６】
Ｓ１１０において、ベースバンドデバイスは送信元経路探索フレームを転送ネットワークの第１の転送ネットワークデバイスに送信する。ここで、送信元経路探索フレームは、転送ネットワークを使用することによって無線周波デバイスに送信される。送信元経路探索フレームは、フロントホール（Ｆｒｏｎｔｈａｕｌ）トポロジを探索するために、すなわち、ベースバンドデバイスと転送ネットワークと無線周波デバイスとの間の具体的な接続関係を探索するために使用される。具体的には、送信元経路探索フレームは、ベースバンドデバイスの任意のポートの接続関係を探索するために使用されてよい。任意選択で、送信元経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【００９７】
任意選択で、本発明の本実施形態において、送信元経路探索フレームは、ベースバンドデバイスのポート情報を備えてよい。ベースバンドデバイスのポート情報は、ベースバンドデバイスの目標ポートを示す。目標ポートは、ベースバンドデバイスの任意の検出対象のポートであってよい。例えば、図２に示されているように、ベースバンドデバイス１は複数のポートを備えてよく、目標ポートは、例えば、ポート５といったベースバンドデバイスの任意のポートであってよい。送信元経路探索フレームは、ベースバンドデバイス１のポート５を示すポート情報を備えてよく、送信元経路探索フレームは、ポート５と無線周波デバイスとの間のトポロジについての情報を探索するために使用される。図３に示されているように、送信元経路探索フレームは図３に示されていてよく、ベースバンドデバイスのポート情報は、送信元経路探索フレームのＦＬＡＧ（フラグ）フィールドに位置付けられてよい。しかしながら、本発明はこれに限定されない。
【００９８】
具体的には、ベースバンドデバイスのポート情報は、ベースバンドデバイスのデバイス識別子と、ベースバンドデバイスの目標ポートのポート番号とを含んでよい。目標ポートは、ポート情報にしたがって決定されてよい。任意選択で、ベースバンドデバイスのポート情報はさらに、ベースバンドデバイスのデバイスタイプ、目標ポートのサブラック番号、目標ポートのキャビネット番号、目標ポートのスロット番号、またはベースバンドデバイスの作動状態のうちの１または複数を含んでよい。本発明はこれに限定されない。
【００９９】
任意選択で、本発明の本実施形態において、送信元経路探索フレームはさらに、無線周波デバイスのポート情報を備えてよい。無線周波デバイスのポート情報は、ベースバンドデバイスの検出対象の目標ポートに対応する、無線周波デバイスの受信ポートを示す。例えば、図２に示されているように、ベースバンドデバイス１のポート５が検出される。すなわち、目標ポートはポート５である。目標ポートに対応するポートは、無線周波デバイス１のポート０であってよい。送信元経路探索デバイスは、ベースバンドデバイスの目標ポート５を示すポート情報を備えてよく、さらに、無線周波デバイス１のポート０を示すポート情報を備えてよい。これにより、転送ネットワークのデバイスは、受信された送信元経路探索フレームにしたがって送信元経路探索フレームを無線周波デバイスに送信してよい。図３に示されているように、送信元経路探索フレームは図３に示されていてよく、無線周波デバイスのポート情報は、ＦＬＡＧ（フラグ）フィールドに位置付けられてよい。しかしながら、本発明はこれに限定されない。
【０１００】
具体的には、無線周波デバイスのポート情報は、無線周波デバイスのデバイス識別子と無線周波デバイスの受信ポートのポート番号とを含んでよい。ここで、無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１０１】
本発明の本実施形態において、ベースバンドデバイスは、送信元経路探索フレームを転送ネットワークに送信する。任意選択で、例えば無線ＥＭＳといった、基地局の管理ツールが指示情報をベースバンドデバイスに送信してよい。指示情報は、送信元経路探索フレームを転送ネットワークに送信するようベースバンドデバイスに命令するために使用される。この方法において、いつでもフロントホールトポロジが探索されてよく、無線ＥＭＳは、探索を実行するようベースバンドデバイスに任意の時点で命令する。この方法は、ＭＬＦＴＳＰ（手動ループバックＦＴＳＰ）と称されてよい。任意選択で、ベースバンドデバイスは、送信元経路探索フレームを周期的に送信するよう設定されてよい。例えば、ベースバンドデバイスは、５時間ごとに送信元経路探索フレームを送信するよう設定されてよい。この方法は、ＡＬＦＴＳＰ（自動ループバックＦＴＳＰ）と称されてよい。本発明はこれに限定されない。
【０１０２】
Ｓ１２０において、ベースバンドデバイスは、第１の転送ネットワークデバイスによって送信される宛先経路探索フレームを受信する。宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成される。すなわち、宛先経路探索フレームは、第１の転送ネットワークデバイスが送信元経路探索フレームに第１のポート情報を記録し、かつ第２の転送ネットワークデバイスが送信元経路探索フレームに第２のポート情報を記録した後に取得される。第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す。
【０１０３】
本発明の本実施形態において、ベースバンドデバイスは、転送ネットワークの転送ネットワークデバイスを使用することによって、送信元経路探索フレームを無線周波デバイスに送信する。送信元経路探索フレームが第１の転送ネットワークデバイスを通るとき、第１の転送ネットワークデバイスは、送信元経路探索フレームに第１のポート情報を記録する。具体的には、送信元経路探索フレームが転送ネットワークの第１の転送ネットワークデバイスを通るとき、第１の経路探索フレームを取得すべく、第１の転送ネットワークデバイスの第１のポート情報が記録される。第１の転送ネットワークデバイスは、ベースバンドデバイスに接続されている。第１のポート情報は、第１の転送ネットワークデバイスの入力ポートを示す。当該入力ポートは、ベースバンドデバイスの目標ポートに接続されている。例えば、図２に示されているように、ベースバンドデバイス１のポート５は送信元経路探索フレームを送信し、第１の転送ネットワークデバイス、すなわち、図２の転送ネットワークデバイス１は、送信元経路探索フレームを受信し、第１の経路探索フレームを取得すべく、送信元経路探索フレームに入力ポート４のポート情報を記録する。
【０１０４】
任意選択で、本発明の本実施形態において、第１のポート情報は、第１の転送ネットワークデバイスのデバイス識別子と、第１の転送ネットワークデバイスの入力ポートのポート番号とを含んでよい。任意選択で、第１のポート情報はさらに、第１の転送ネットワークデバイスのデバイスタイプ、第１の転送ネットワークデバイスの入力ポートが位置付けられているサブラックの番号、第１の転送ネットワークデバイスの入力ポートが位置付けられているキャビネットの番号、第１の転送ネットワークデバイスの入力ポートが位置付けられているスロットの番号、または、第１の転送ネットワークデバイスの作動状態のうちの１または複数を含んでよい。本発明はこれに限定されない。具体的には、図３に示されているように、第１のポート情報は探索フィールドに位置付けられてよい。図４は例として使用されてよい。探索フィールドは具体的に、符号化タイプ、第１の転送ネットワークデバイスのデバイス識別子ＩＤ、キャビネット番号、サブラック番号、スロット番号、ポート番号、および作動状態を含んでよい。第１の転送ネットワークデバイスが入力ポートのポート情報を送信元経路探索フレームの探索フィールドに追加した後、第１の経路探索フレームは取得される。第１の経路探索フレームは第１のポート情報を保持する。
【０１０５】
本発明の本実施形態において、第１の経路探索フレームは、第１の転送ネットワークデバイスが送信元経路探索フレームに第１のポート情報を記録した後に取得される。第１の経路探索フレームは、次のレベルの転送ネットワークデバイスに送信され続ける。第１の経路探索フレームを受信する転送ネットワークデバイスは、ポート情報を第１の経路探索フレームに追加し続けてよく、例えば、新しい探索フィールドを追加し続け、ポート情報を新しい探索フィールドに追加してよい。ポート情報は、第１の転送ネットワークデバイスの後に位置付けられる、第１の経路探索フレームが通る各転送ネットワークデバイスのポートのポート情報を含んでよい。任意選択で、転送ネットワークデバイスのエレメント管理システムＥＭＳは転送ネットワークのデバイス間のトポロジについての情報を取得してよいので、転送ネットワークの転送ネットワークデバイスは、第１の経路探索フレームにポート情報を記録しなくてよく、再書き込みまたは追加をすることなく、受信された第１の経路探索フレームを転送してよい。しかしながら、本発明はこれに限定されない。
【０１０６】
本発明の本実施形態において、ベースバンドデバイスは、転送ネットワークの転送ネットワークデバイスを使用することによって、送信元経路探索フレームを無線周波デバイスに送信する。第１の経路探索フレームは、第１の転送ネットワークデバイスが送信元経路探索フレームに第１のポート情報を記録した後に取得される。第１の経路探索フレームは、第１の経路探索フレームが転送ネットワークの第２の転送ネットワークデバイスに送信されるまで、転送ネットワークにおいて転送される。第２の転送ネットワークデバイスは無線周波デバイスに直接接続されている。第２の転送ネットワークデバイスは、第２の経路探索フレームを取得すべく、第１の経路探索フレームに第２の転送ネットワークデバイスの第２のポート情報を記録する。第２の転送ネットワークデバイスは、無線周波デバイスに接続されている。第２のポート情報は、第２の転送ネットワークデバイスの出力ポートを示す。出力ポートは、無線周波デバイスの受信ポートに接続されている。例えば、図２に示されているように、無線周波デバイスに接続された転送ネットワークデバイスが転送ネットワークデバイス２である場合、第１の経路探索フレームを受信した後、転送ネットワークデバイス２は第１の経路探索フレームにポート７のポート情報を記録する。ポート７は、無線周波デバイスのポート０に接続されている。
【０１０７】
任意選択で、本発明の本実施形態において、第２のポート情報は、第２の転送ネットワークデバイスのデバイス識別子と、第２の転送ネットワークデバイスの出力ポートのポート番号とを含んでよい。任意選択で、第２のポート情報はさらに、第２の転送ネットワークデバイスのデバイスタイプ、第２の転送ネットワークデバイスの出力ポートが位置付けられているサブラックの番号、第２の転送ネットワークデバイスの出力ポートが位置付けられてえるキャビネットの番号、第２の転送ネットワークデバイスの出力ポートが位置付けられているスロットの番号、または、第２の転送ネットワークデバイスの作動状態のうちの１または複数を含んでよい。本発明はこれに限定されない。具体的には、第１の経路探索フレームに新しい探索フィールドが追加されてよい。例えば、図５に示されているように、図５は第２の経路探索フレームを示す。探索フィールド１が、第１のポート情報を保持してよい。第２のポート情報は、新たに追加された探索フィールド２に位置付けられてよい。探索フィールドについては、図４も例として使用されてよい。探索フィールド２は具体的に、符号化タイプ、第２の転送ネットワークデバイスのデバイス識別子ＩＤ、キャビネット番号、サブラック番号、スロット番号、ポート番号、および作動状態を含んでよい。第２の転送ネットワークデバイスが出力ポートのポート情報を第１の経路探索フレームの探索フィールドに追加した後、すなわち、探索フィールドが第１のポート情報および第２のポート情報を含み得て、第２の経路探索フレームは取得される。
【０１０８】
本発明の本実施形態において、第１の経路探索フレームは、第１の転送ネットワークデバイスが送信元経路探索フレームに第１のポート情報を記録した後に取得される。第２の経路探索フレームは、第２の転送ネットワークデバイスが第１の経路探索フレームの第２のポート情報を記録した後に取得される。この場合、第２の転送ネットワークデバイスの次のレベルのデバイスは無線周波デバイスである。ベースバンドデバイスによって送信される送信元経路探索フレームが無線周波デバイスの受信ポートのポート情報を保持する場合、次のレベルのデバイスが無線周波デバイスであると検出したとき、第２の転送ネットワークデバイスは、第２の経路探索フレームを返してよく、第２の経路探索フレームを宛先経路探索フレームとして決定してよい。宛先経路探索フレームは、第１のポート情報および第２のポート情報を備え、宛先経路探索フレームは、転送ネットワークデバイスによる転送の後にベースバンドデバイスに返される。
【０１０９】
任意選択で、本発明の本実施形態において、ベースバンドデバイスによって送信される送信元経路探索フレームが無線周波デバイスの受信ポートのポート情報を保持しているとしても、次のレベルのデバイスが無線周波デバイスであると検出した後、第２の転送ネットワークデバイスは依然として、第２の経路探索フレームを無線周波デバイスに送信し続けてよい。あるいは、ベースバンドデバイスによって送信される送信元経路探索フレームが無線周波デバイスの受信ポートのポート情報を保持しない場合、第２の転送ネットワークデバイスはまた、第２の経路探索フレームを無線周波デバイスに送信し続けてよい。無線周波デバイスが第２の経路探索フレームを受信した後、無線周波デバイスは、宛先経路探索フレームを取得すべく、第２の経路探索フレームに受信ポートのポート情報を記録する。無線周波デバイスのポート情報は、無線周波デバイスの受信ポートを示す。無線周波デバイスの受信ポートは、第２の転送ネットワークデバイスの出力ポートに接続されている。
【０１１０】
任意選択で、本発明の本実施形態において、無線周波デバイスのポート情報は、無線周波デバイスのデバイス識別子と無線周波デバイスの受信ポートのポート番号とを含んでよい。無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。具体的には、第２の経路探索フレームに新しい探索フィールドが追加されてよい。新たに追加された探索フィールドは、無線周波デバイスのポート情報を記録するために使用される。図６に示されているように、図６は宛先経路探索フレームを示す。宛先経路探索フレームの探索フィールド１が第１のポート情報を保持してよく、第２のポート情報は探索フィールド２に位置付けられてよく、無線周波デバイスの受信ポート情報は、探索フィールド３に追加されてよい。探索フィールド３の具体的な形態については、図４も例として使用されてよい。探索フィールド３は具体的に、符号化タイプ、無線周波デバイスのデバイス識別子ＩＤ、キャビネット番号、サブラック番号、スロット番号、ポート番号、および作動状態を含んでよい。無線周波デバイスの受信ポートのポート情報が第２の経路探索フレームの探索フィールドに追加された後、すなわち、宛先経路探索フレームの探索フィールドが第１のポート情報、第２のポート情報、および無線周波デバイスのポート情報を含み得る。本発明の本実施形態において、無線周波デバイスは、転送ネットワークの転送ネットワークデバイスを使用することによって、決定された宛先経路探索フレームをベースバンドデバイスに返してよい。
【０１１１】
Ｓ１３０において、ベースバンドデバイスは、宛先経路探索フレームにしたがって探索情報を決定する。ここで、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。具体的には、ベースバンドデバイスは、転送ネットワークから返された宛先経路探索フレーム内の第１のポート情報および第２のポート情報にしたがって、探索情報を決定してよい。探索情報は、ベースバンド無線周波数の目標ポートのポート情報、第１の転送ネットワークデバイスの第１のポート情報、および第２の転送ネットワークデバイスの第２のポート情報を備えてよい。任意選択で、探索情報はさらに、ベースバンドデバイスに対応する無線周波デバイスの受信ポートのポート情報を備えてよい。
【０１１２】
Ｓ１４０において、ベースバンドデバイスは探索情報をエレメント管理システムＥＭＳに送信し、これにより、ＥＭＳは、探索情報にしたがって、ベースバンドデバイスと転送ネットワークと無線周波デバイスとの間のトポロジについての情報を決定してよい。具体的には、ＥＭＳは、ベースバンドデバイスおよび無線周波デバイスに接続された無線ＥＭＳであってよい。無線ＥＭＳは、探索情報を受信し、探索情報内のベースバンドデバイスの目標ポートのポート情報、第１のポート情報、第２のポート情報、および無線周波デバイスの受信ポートのポート情報にしたがって、ベースバンドデバイスの目標ポートが第１の転送ネットワークデバイスの入力ポートに接続され、第２の転送ネットワークデバイスの入力ポートが無線周波デバイスに接続されていると決定してよい。無線ＥＭＳは、少なくとも１つのベースバンドデバイスの複数のポートの探索情報を受信し、各ポートの探索情報にしたがって、各ポートと、対応する転送ネットワークデバイスと、無線周波デバイスとの間の接続関係を決定し、当該接続関係にしたがって、ベースバンドデバイスと転送ネットワークデバイスと無線周波デバイスと間のトポロジについての情報を決定してよい。
【０１１３】
したがって、本発明の本実施形態における、フロントホールトポロジを探索するための方法によると、ベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１１４】
前述のものは、図１から図６に関連してベースバンドデバイスの観点から、本発明の実施形態に係る、フロントホールトポロジを探索するための方法を詳細に説明したものである。以下では、図７に関連して転送ネットワークデバイスの観点から、本発明の一実施形態に係る、フロントホールトポロジを探索するための方法を説明する。
【０１１５】
図７は、本発明の一実施形態に係る、フロントホールトポロジを探索するための方法２００の概略フローチャートを示す。方法２００は、転送ネットワークの第１の転送ネットワークデバイスによって実行されてよい。ここで、第１の転送ネットワークデバイスはベースバンドデバイスに接続されている。図７に示されているように、方法２００は以下の段階を含む。
【０１１６】
Ｓ２１０．転送ネットワークの第１の転送ネットワークデバイスが、ベースバンドデバイスによって送信される送信元経路探索フレームを受信する。ここで、送信元経路探索フレームは、転送ネットワークを使用することによって無線周波デバイスに送信される。
【０１１７】
Ｓ２２０．第１の経路探索フレームを取得すべく、第１の転送ネットワークデバイスが、送信元経路探索フレームに第１のポート情報を記録する。ここで、第１のポート情報は、ベースバンドデバイスの目標ポートに接続された、第１の転送ネットワークデバイスの入力ポートを示す。
【０１１８】
Ｓ２３０．第１の転送ネットワークデバイスが、第１の経路探索フレームを転送ネットワークの第２の転送ネットワークデバイスに送信する。
【０１１９】
Ｓ２４０．第１の転送ネットワークデバイスが、第２の転送ネットワークデバイスによって送信される宛先経路探索フレームを受信する。ここで、宛先経路探索フレームは、第２の転送ネットワークデバイスが第１の経路探索フレームに第２のポート情報を記録した後に形成され、宛先経路探索フレームは、第１のポート情報および第２のポート情報を保持し、第２のポート情報は、無線周波デバイスの受信ポートに接続された、第２の転送ネットワークデバイスの出力ポートを示す。
【０１２０】
Ｓ２５０．第１の転送ネットワークデバイスが、宛先経路探索フレームをベースバンドデバイスに送信する。
【０１２１】
したがって、本発明の本実施形態における、フロントホールトポロジを探索するための方法によると、ベースバンドデバイスに接続された、転送ネットワークの第１の転送ネットワークデバイスは、ベースバンドデバイスによって送信される送信元経路探索フレームを受信し、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０１２２】
Ｓ２１０において、転送ネットワークの第１の転送ネットワークデバイスは、ベースバンドデバイスによって送信される送信元経路探索フレームを受信する。送信元経路探索フレームは、転送ネットワークを使用することによって無線周波デバイスに送信される。送信元経路探索フレームは、ベースバンドデバイスと転送ネットワークデバイスと無線周波デバイスとの間のトポロジについての情報を探索するために使用される。具体的には、送信元経路探索フレームは、ベースバンドデバイスの任意のポートの接続関係を探索するために使用されてよい。任意選択で、送信元経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【０１２３】
任意選択で、本発明の本実施形態において、送信元経路探索フレームは、ベースバンドデバイスのポート情報を備えてよい。ベースバンドデバイスのポート情報は、ベースバンドデバイスの目標ポートを示す。目標ポートは、ベースバンドデバイスの任意の検出対象のポートであってよい。例えば、図２に示されているように、ベースバンドデバイス１は複数のポートを備えてよく、目標ポートは、例えば、ポート５といったベースバンドデバイスの任意のポートであってよい。送信元経路探索フレームは、ベースバンドデバイス１のポート５を示すポート情報を備えてよく、送信元経路探索フレームは、ポート５と無線周波デバイスとの間のトポロジについての情報を探索するために使用される。図３に示されているように、送信元経路探索フレームは図３に示されていてよく、ベースバンドデバイスのポート情報は、送信元経路探索フレームのＦＬＡＧ（フラグ）フィールドに位置付けられてよい。しかしながら、本発明はこれに限定されない。
【０１２４】
具体的には、ベースバンドデバイスのポート情報は、ベースバンドデバイスのデバイス識別子と、ベースバンドデバイスの目標ポートのポート番号とを含んでよい。目標ポートは、ポート情報にしたがって決定されてよい。任意選択で、ベースバンドデバイスのポート情報はさらに、ベースバンドデバイスのデバイスタイプ、目標ポートのサブラック番号、目標ポートのキャビネット番号、目標ポートのスロット番号、またはベースバンドデバイスの作動状態のうちの１または複数を含んでよい。本発明はこれに限定されない。
【０１２５】
任意選択で、本発明の本実施形態において、送信元経路探索フレームはさらに、無線周波デバイスのポート情報を備えてよい。無線周波デバイスのポート情報は、ベースバンドデバイスの検出対象の目標ポートに対応する、無線周波デバイスの受信ポートを示す。例えば、図２に示されているように、ベースバンドデバイス１のポート５が検出される。すなわち、目標ポートはポート５である。目標ポートに対応するポートは、無線周波デバイス１のポート０であってよい。送信元経路探索デバイスは、ベースバンドデバイスの目標ポート５を示すポート情報を備えてよく、さらに、無線周波デバイス１のポート０を示すポート情報を備えてよい。これにより、転送ネットワークのデバイスは、受信された送信元経路探索フレームにしたがって送信元経路探索フレームを無線周波デバイスに送信してよい。図３に示されているように、送信元経路探索フレームは図３に示されていてよく、無線周波デバイスのポート情報は、ＦＬＡＧ（フラグ）フィールドに位置付けられてよい。しかしながら、本発明はこれに限定されない。
【０１２６】
具体的には、無線周波デバイスのポート情報は、無線周波デバイスのデバイス識別子と無線周波デバイスの受信ポートのポート番号とを含んでよい。ここで、無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１２７】
Ｓ２２０において、第１の転送ネットワークデバイスは、第１の経路探索フレームを取得すべく、送信元経路探索フレームに第１のポート情報を記録する。ここで、第１のポート情報は、ベースバンドデバイスの目標ポートに接続された、第１の転送ネットワークデバイスの入力ポートを示す。具体的には、送信元経路探索フレームが転送ネットワークの第１の転送ネットワークデバイスを通るとき、第１の経路探索フレームを取得すべく、第１の転送ネットワークデバイスの第１のポート情報が記録される。第１の転送ネットワークデバイスは、ベースバンドデバイスに接続されている。第１のポート情報は、第１の転送ネットワークデバイスの入力ポートを示す。当該入力ポートは、ベースバンドデバイスの目標ポートに接続されている。例えば、図２に示されているように、ベースバンドデバイス１のポート５は送信元経路探索フレームを送信し、第１の転送ネットワークデバイス、すなわち、図２の転送ネットワークデバイス１は、送信元経路探索フレームを受信し、第１の経路探索フレームを取得すべく、送信元経路探索フレームに入力ポート４のポート情報を記録する。
【０１２８】
任意選択で、本発明の本実施形態において、第１のポート情報は、第１の転送ネットワークデバイスのデバイス識別子と、第１の転送ネットワークデバイスの入力ポートのポート番号とを含んでよい。任意選択で、第１のポート情報はさらに、第１の転送ネットワークデバイスのデバイスタイプ、第１の転送ネットワークデバイスの入力ポートが位置付けられているサブラックの番号、第１の転送ネットワークデバイスの入力ポートが位置付けられているキャビネットの番号、第１の転送ネットワークデバイスの入力ポートが位置付けられているスロットの番号、または、第１の転送ネットワークデバイスの作動状態のうちの１または複数を含んでよい。本発明はこれに限定されない。具体的には、図３に示されているように、第１のポート情報は探索フィールドに位置付けられてよい。図４は例として使用されてよい。探索フィールドは具体的に、符号化タイプ、第１の転送ネットワークデバイスのデバイス識別子ＩＤ、キャビネット番号、サブラック番号、スロット番号、ポート番号、および作動状態を含んでよい。第１の転送ネットワークデバイスが入力ポートのポート情報を送信元経路探索フレームの探索フィールドに追加した後、第１の経路探索フレームは取得される。第１の経路探索フレームは第１のポート情報を保持する。
【０１２９】
Ｓ２３０において、第１の転送ネットワークデバイスは、第１の経路探索フレームを転送ネットワークの第２の転送ネットワークデバイスに送信し、これにより、第２の転送ネットワークデバイスは、第１の経路探索フレームに第２のポート情報を記録する。第２の転送ネットワークデバイスは無線周波デバイスに接続されている。第２のポート情報は、無線周波デバイスに接続された、第２の転送ネットワークデバイスの出力ポートを示す。
【０１３０】
本発明の本実施形態において、第１の経路探索フレームは、第１の転送ネットワークデバイスが送信元経路探索フレームに第１のポート情報を記録した後に取得される。第１の経路探索フレームは、次のレベルの転送ネットワークデバイスに送信され続けてよい。第１の経路探索フレームを受信する転送ネットワークデバイスは、ポート情報を第１の経路探索フレームに追加し続けてよく、例えば、新しい探索フィールドを追加し続け、ポート情報を新しい探索フィールドに追加してよい。ポート情報は、第１の転送ネットワークデバイスの後に位置付けられる、第１の経路探索フレームが通る各転送ネットワークデバイスのポートのポート情報を含んでよい。任意選択で、転送ネットワークデバイスのエレメント管理システムＥＭＳは転送ネットワークのデバイス間のトポロジについての情報を取得してよいので、転送ネットワークの転送ネットワークデバイスは、第１の経路探索フレームにポート情報を記録しなくてよく、再書き込みまたは追加をすることなく、受信された第１の経路探索フレームを転送してよい。しかしながら、本発明はこれに限定されない。
【０１３１】
Ｓ２４０において、第１の転送ネットワークデバイスは、第２の転送ネットワークデバイスによって送信される宛先経路探索フレームを受信する。宛先経路探索フレームは、第２の転送ネットワークデバイスが第１の経路探索フレームに第２のポート情報を記録した後に形成される。ここで、宛先経路探索フレームは、第１のポート情報および第２のポート情報を保持し、第２のポート情報は、無線周波デバイスの受信ポートに接続された、第２の転送ネットワークデバイスの出力ポートを示す。
【０１３２】
本発明の本実施形態において、第１の転送ネットワークデバイスは、第１の経路探索フレームを次のレベルの転送ネットワークデバイスに送信する。第１の経路探索フレームは、第１の経路探索フレームが転送ネットワークの第２の転送ネットワークデバイスに送信されるまで、一回または複数回転送ネットワークにおいて転送される。第２の転送ネットワークデバイスは、無線周波デバイスに直接接続されている。第２の転送ネットワークデバイスは、第２の経路探索フレームを取得すべく、第１の経路探索フレームに第２の転送ネットワークデバイスの第２のポート情報を記録する。第２の転送ネットワークデバイスは、無線周波デバイスに接続されている。第２のポート情報は、第２の転送ネットワークデバイスの出力ポートを示す。出力ポートは、無線周波デバイスの受信ポートに接続されている。例えば、図２に示されているように、無線周波デバイスに接続された転送ネットワークデバイスが転送ネットワークデバイス２である場合、第１の経路探索フレームを受信した後、転送ネットワークデバイス２は第１の経路探索フレームにポート７のポート情報を記録する。ポート７は、無線周波デバイスのポート０に接続されている。
【０１３３】
任意選択で、本発明の本実施形態において、第２のポート情報は、第２の転送ネットワークデバイスのデバイス識別子と、第２の転送ネットワークデバイスの出力ポートのポート番号とを含んでよい。任意選択で、第２のポート情報はさらに、第２の転送ネットワークデバイスのデバイスタイプ、第２の転送ネットワークデバイスの出力ポートが位置付けられているサブラックの番号、第２の転送ネットワークデバイスの出力ポートが位置付けられてえるキャビネットの番号、第２の転送ネットワークデバイスの出力ポートが位置付けられているスロットの番号、または、第２の転送ネットワークデバイスの作動状態のうちの１または複数を含んでよい。本発明はこれに限定されない。具体的には、第１の経路探索フレームに新しい探索フィールドが追加されてよい。例えば、図５に示されているように、図５は第２の経路探索フレームを示す。探索フィールド１が、第１のポート情報を保持してよい。第２のポート情報は、新たに追加された探索フィールド２に位置付けられてよい。探索フィールドについては、図４も例として使用されてよい。探索フィールド２は具体的に、符号化タイプ、第２の転送ネットワークデバイスのデバイス識別子ＩＤ、キャビネット番号、サブラック番号、スロット番号、ポート番号、および作動状態を含んでよい。第２の転送ネットワークデバイスが出力ポートのポート情報を第１の経路探索フレームの探索フィールドに追加した後、すなわち、探索フィールドが第１のポート情報および第２のポート情報を含み得て、第２の経路探索フレームは取得される。
【０１３４】
本発明の本実施形態において、第２の経路探索フレームは、第２の転送ネットワークデバイスが第１の経路探索フレームに第２のポート情報を記録した後に取得される。この場合、第２の転送ネットワークデバイスの次のレベルのデバイスは無線周波デバイスである。ベースバンドデバイスによって送信される送信元経路探索フレームが無線周波デバイスの受信ポートのポート情報を保持する場合、次のレベルのデバイスが無線周波デバイスであると検出したとき、第２の転送ネットワークデバイスは、第２の経路探索フレームを返してよく、第２の経路探索フレームを宛先経路探索フレームとして決定してよい。宛先経路探索フレームは、第１のポート情報および第２のポート情報を備え、宛先経路探索フレームは、転送ネットワークデバイスによる転送の後にベースバンドデバイスに返される。
【０１３５】
任意選択で、本発明の本実施形態において、ベースバンドデバイスによって送信される送信元経路探索フレームが無線周波デバイスの受信ポートのポート情報を保持しているとしても、次のレベルのデバイスが無線周波デバイスであると検出した後、第２の転送ネットワークデバイスは依然として、第２の経路探索フレームを無線周波デバイスに送信し続けてよい。あるいは、ベースバンドデバイスによって送信される送信元経路探索フレームが無線周波デバイスの受信ポートのポート情報を保持しない場合、第２の転送ネットワークデバイスはまた、第２の経路探索フレームを無線周波デバイスに送信し続けてよい。無線周波デバイスが第２の経路探索フレームを受信した後、無線周波デバイスは、宛先経路探索フレームを取得すべく、第２の経路探索フレームに受信ポートのポート情報を記録する。無線周波デバイスのポート情報は、無線周波デバイスの受信ポートを示す。無線周波デバイスの受信ポートは、第２の転送ネットワークデバイスの出力ポートに接続されている。
【０１３６】
任意選択で、本発明の本実施形態において、無線周波デバイスのポート情報は、無線周波デバイスのデバイス識別子と無線周波デバイスの受信ポートのポート番号とを含んでよい。無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。具体的には、第２の経路探索フレームに新しい探索フィールドが追加されてよい。新たに追加された探索フィールドは、無線周波デバイスのポート情報を記録するために使用される。図６に示されているように、図６は宛先経路探索フレームを示す。宛先経路探索フレームの探索フィールド１が第１のポート情報を保持してよく、第２のポート情報は探索フィールド２に位置付けられてよく、無線周波デバイスの受信ポート情報は、探索フィールド３に追加されてよい。探索フィールド３の具体的な形態については、図４も例として使用されてよい。探索フィールド３は具体的に、符号化タイプ、無線周波デバイスのデバイス識別子ＩＤ、キャビネット番号、サブラック番号、スロット番号、ポート番号、および作動状態を含んでよい。無線周波デバイスの受信ポートのポート情報が第２の経路探索フレームの探索フィールドに追加された後、すなわち、宛先経路探索フレームの探索フィールドが第１のポート情報、第２のポート情報、および無線周波デバイスのポート情報を含み得る。本発明の本実施形態において、無線周波デバイスは、転送ネットワークの転送ネットワークデバイスを使用することによって、決定された宛先経路探索フレームをベースバンドデバイスに返してよい。
【０１３７】
Ｓ２５０において、第１の転送ネットワークデバイスは、宛先経路探索フレームをベースバンドデバイスに送信し、これにより、ベースバンドデバイスは、宛先経路探索フレームにしたがって探索情報を決定してよい。探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。ベースバンドデバイスは、探索情報を無線ＥＭＳに送信し、これにより、ＥＭＳは、探索情報にしたがって、ベースバンドデバイスと転送ネットワークと無線周波デバイスとの間のトポロジについての情報を決定できる。
【０１３８】
前述のプロセスの順序番号は、本発明の実施形態における実行順序を意味しないことが理解されるべきである。プロセスの実行順序は、プロセスの機能および内部ロジックに応じて決定されるべきであるが、本発明の実施形態の実装プロセスに対するいかなる限定にもなるべきではない。
【０１３９】
したがって、本発明の本実施形態における、フロントホールトポロジを探索するための方法によると、ベースバンドデバイスに接続された、転送ネットワークの第１の転送ネットワークデバイスは、ベースバンドデバイスによって送信される送信元経路探索フレームを受信し、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１４０】
以下では、具体的な実施形態を例として使用することによって、本発明の実施形態におけるフロントホールトポロジを探索するための方法を詳細に説明する。図８に示されているように、図８は、本発明のさらに別の実施形態に係る、フロントホールトポロジを探索するための方法を示す。
【０１４１】
Ｓ３０１において、無線ＥＭＳが、パス、および、ベースバンドデバイスと転送ネットワークと無線周波デバイスとの間のトポロジについての探索情報を探索するようベースバンドデバイスに命令する。任意選択で、無線ＥＭＳは、検出を周期的に実行するようベースバンドデバイスを設定してよい、または検出を実行するようベースバンドデバイスをランダムに触発してよい。本発明はこれに限定されない。
【０１４２】
Ｓ３０２において、ベースバンドデバイスは、転送ネットワークを使用することによって、命令にしたがって、送信元経路探索フレームを無線周波デバイスに送信する。具体的には、ベースバンドデバイスは、目標ポートを使用することによって、送信元経路探索フレームを転送ネットワークの第１の転送ネットワークデバイスに送信する。送信元経路探索フレームは、ベースバンドデバイスのポート情報を備えてよい。ポート情報は、ベースバンドデバイスの目標ポートを示す。送信元経路探索フレームは、目標ポートを介したベースバンドデバイスから無線周波デバイスへのパスを探索するために使用される。任意選択で、送信元経路探索フレームはさらに、無線周波デバイスのポート情報を備えてよい。無線周波デバイスのポート情報は、ベースバンドデバイスの目標ポートに対応する、無線周波デバイスの受信ポートを示す。
【０１４３】
Ｓ３０３において、第１の転送ネットワークデバイスは、ベースバンドデバイスによって送信される送信元経路探索フレームを受信し、第１の経路探索フレームを取得すべく、送信元経路探索フレームに第１のポート情報を記録する。ここで、第１のポート情報は、ベースバンドデバイスの目標ポートに接続された、第１の転送ネットワークデバイスの入力ポートを示す。第１の転送ネットワークデバイスは、第１のポート情報を第２の転送ネットワークデバイスに送信する。第２の転送ネットワークデバイスは、無線周波デバイスに接続されている。任意選択で、第１の転送ネットワークデバイスは、ベースバンドデバイスに接続された、転送ネットワークのデバイスであり、第２の転送ネットワークデバイスは、無線周波デバイスに接続された、転送ネットワークのデバイスである。さらに、第１の転送ネットワークデバイスと第２の転送ネットワークデバイスとの間に、転送ネットワークの１または複数の他の転送ネットワークデバイスが存在してよい。この場合、別の転送ネットワークデバイスは、第１の経路探索に記録されてよく、または、別の転送ネットワークデバイスは、第１の経路探索フレームに記録されなくてよい。加えて、ベースバンドデバイスから無線周波デバイスへのパスは、第１の転送ネットワークデバイスおよび第２の転送ネットワークデバイスのみを通ってよい。第１の転送ネットワークデバイスおよび第２の転送ネットワークデバイスは、同一の転送ネットワークデバイスであってよい。本発明はこれに限定されない。
【０１４４】
Ｓ３０４において、第２の転送ネットワークデバイスが、第１の転送ネットワークデバイスによって送信される第１の経路探索フレームを受信し、第２の経路探索フレームを取得すべく、第１の経路探索フレームに第２のポート情報を記録してよい。ここで、第２のポート情報は、無線周波デバイスの受信ポートに接続された、転送ネットワークの第２の転送ネットワークデバイスの出力ポートを示す。任意選択で、第２の転送ネットワークデバイスは、決定された第２の経路探索フレームを宛先経路探索フレームとして決定してよく、Ｓ３０６が実行される。第２の転送ネットワークデバイスは、第２の経路探索フレームを無線周波デバイスに送信し続けてよく、Ｓ３０５およびＳ３０７が実行される。
【０１４５】
具体的には、例えば、Ｓ３０２においてベースバンドデバイスによって送信される送信元経路探索フレームが無線周波デバイスのポート情報を保持しないとき、Ｓ３０４において、第２の転送ネットワークデバイスは、第２の経路探索フレームを無線周波デバイスに送信し続けてよく、これにより、無線周波デバイスの関連する情報が記録され続ける。任意選択で、Ｓ３０２においてベースバンドデバイスによって送信される送信元経路探索フレームが無線周波デバイスのポート情報を保持するとき、第２の経路探索フレームを決定した後、第２の転送ネットワークデバイスは、第２の経路探索フレームを無線周波デバイスに送信し続けるのではなく、Ｓ３０６を実行してよい、すなわち、第２の経路探索フレームをベースバンドデバイスに返してよい。
【０１４６】
Ｓ３０５において、第２の転送ネットワークデバイスは第２の経路探索フレームを無線周波デバイスに送信する。ここで、第２の経路探索フレームは、第１のポート情報および第２のポート情報を備える。
【０１４７】
Ｓ３０６において、第２の転送ネットワークデバイスは、第２の経路探索フレームを宛先経路探索フレームとして決定し、ここで、宛先経路探索フレームは、第１のポート情報および第２のポート情報を保持し、第２の転送ネットワークデバイスは、再度転送ネットワークを使用することによって、宛先経路探索フレームをベースバンドデバイスに返し、これにより、ベースバンドデバイスは、宛先経路探索フレームにしたがって探索情報を決定する。
【０１４８】
Ｓ３０７において、第２の経路探索フレームを受信した後、無線周波デバイスは、宛先経路探索フレームを取得すべく、無線周波デバイスの受信ポートのポート情報を第２の経路探索フレームに追加してよい。ここで、当該受信ポートは、転送ネットワークの第２の転送ネットワークデバイスの出力ポートに接続されており、無線周波デバイスの受信ポートは、ベースバンドデバイスの目標ポートに対応している。無線周波デバイスは、転送ネットワーク使用することによって、決定された宛先経路探索フレームをベースバンドデバイスに返し、これにより、ベースバンドデバイスは、宛先経路探索フレームにしたがって探索情報を決定する。
【０１４９】
Ｓ３０８において、ベースバンドは宛先経路探索フレームを受信し、ここで、宛先経路探索フレームは、Ｓ３０６において第２の転送ネットワークデバイスによって返されてよく、または、Ｓ３０７において無線周波デバイスによって返されてよく、ベースバンドデバイスは、宛先経路探索フレームにしたがって探索情報を決定し、ここで、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。ベースバンドデバイスは、探索情報を無線エレメント管理システムＥＭＳに送信し、これにより、無線ＥＭＳは、受信された探索情報にしたがって、ベースバンドデバイスと転送ネットワークと無線周波デバイスとの間のトポロジについての情報を決定する。
【０１５０】
任意選択で、無線ＥＭＳは複数の探索情報を受信してよく、複数の探索情報は、異なるベースバンドデバイス／異なるポートに特有のものである。この場合、無線ＥＭＳは、複数の探索情報にしたがって、ベースバンドデバイスと転送ネットワークと無線周波デバイスとの間のトポロジ全体についての情報を決定してよい。
【０１５１】
前述のプロセスの順序番号は、本発明の実施形態における実行順序を意味しないことが理解されるべきである。プロセスの実行順序は、プロセスの機能および内部ロジックに応じて決定されるべきであるが、本発明の実施形態の実装プロセスに対するいかなる限定にもなるべきではない。
【０１５２】
したがって、本発明の本実施形態における、フロントホールトポロジを探索するための方法によると、ベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１５３】
図９は、本発明のさらに別の実施形態に係る、フロントホールトポロジを探索するための方法４００の概略フローチャートを示す。方法４００は、転送ネットワークの転送ネットワークデバイスによって実行されてよい。方法４００は、ＳＦＴＳＰ（片方向ＦＴＳＰ）と称されてよい。図９に示されているように、方法４００は以下の段階を備える。
【０１５４】
Ｓ４１０．転送ネットワークの転送ネットワークデバイスが、無線送信デバイスによって送信される経路探索フレームを受信する。ここで、経路探索フレームは、無線送信デバイスの送信ポート情報を備え、送信ポート情報は、転送ネットワークデバイスの入力ポートに接続された、無線送信デバイスの送信ポートを示す。
【０１５５】
Ｓ４２０．転送ネットワークデバイスが、経路探索フレームにしたがって、探索情報をエレメント管理システムＥＭＳに送信する。ここで、探索情報は、無線送信デバイスの送信ポートが、転送ネットワークデバイスの入力ポートに接続されていることを示すために使用される。
【０１５６】
したがって、本発明の本実施形態における、フロントホールトポロジを探索するための方法によると、ベースバンドデバイスおよび／または無線周波デバイスが、経路探索フレームをベースバンドデバイスおよび／または無線周波デバイスに接続された転送ネットワークデバイスに送信してよく、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０１５７】
Ｓ４１０において、転送ネットワークの転送ネットワークデバイスは、無線送信デバイスによって送信される経路探索フレームを受信し、ここで、経路探索フレームは、無線送信デバイスの送信ポート情報を備え、送信ポート情報は、転送ネットワークデバイスの入力ポートに接続された、無線送信デバイスの送信ポートを示す。具体的には、無線送信デバイスがベースバンドデバイスであり、かつ、対応する無線受信デバイスが無線周波デバイスである場合、経路探索フレームを受信する転送ネットワークデバイスは、ベースバンドデバイスに接続された、転送ネットワークの第１の転送ネットワークデバイスであってよい。例えば、図２に示されているように、第１の転送ネットワークデバイスは転送ネットワークデバイス１である。同様に、無線送信デバイスが無線周波デバイスであり、対応する無線受信デバイスがベースバンドデバイスである場合、経路探索フレームを受信する転送ネットワークデバイスは、無線周波デバイスに接続された、転送ネットワークの第２の転送ネットワークデバイスであってよい。例えば、図２に示されているように、第２の転送ネットワークデバイスは転送ネットワークデバイス２である。
【０１５８】
説明のために、以下では、無線送信デバイスがベースバンドデバイスである例を使用する。第１の転送ネットワークデバイスは、ベースバンドデバイスによって送信される経路探索フレームを受信する。ここで、経路探索フレームは、ベースバンドデバイスの送信ポートのポート情報を備えてよい。任意選択で、経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【０１５９】
具体的には、本発明の本実施形態において、経路探索フレームは、ベースバンドデバイスのポート情報を備えてよい。ベースバンドデバイスのポート情報は、ベースバンドデバイスの送信ポートを示す。送信ポートは、ベースバンドデバイスの任意の検出対象のポートであってよい。例えば、図２に示されているように、ベースバンドデバイス１は複数のポートを備えてよく、送信ポートは、例えば、ポート５といったベースバンドデバイスの任意のポートであってよい。経路探索フレームは、ベースバンドデバイス１のポート５を示すポート情報を備えてよい。これに対応して、ポート５と無線周波デバイスとの間のトポロジについての情報が、経路探索フレームにしたがって取得されてよい。図３に示されているように、経路探索フレームは図３に示されていてよく、ベースバンドデバイスのポート情報は、経路探索フレームの探索フィールドに位置付けられてよい。しかしながら、本発明はこれに限定されない。
【０１６０】
具体的には、ベースバンドデバイスのポート情報は、ベースバンドデバイスのデバイス識別子とベースバンドデバイスの送信ポートのポート番号とを含んでよく、ここで送信ポートは、ポート情報にしたがって決定されてよい。任意選択で、ベースバンドデバイスのポート情報はさらに、ベースバンドデバイスのデバイスタイプ、送信ポートのサブラック番号、送信ポートのキャビネット番号、送信ポートのスロット番号、またはベースバンドデバイスの作動状態のうちの１または複数を含んでよい。本発明はこれに限定されない。
【０１６１】
任意選択で、本発明の本実施形態において、経路探索フレームはさらに、対応する無線受信端のポート情報を備えてよい、すなわち、対応する無線周波デバイスのポート情報を備えてよい。無線周波デバイスのポート情報は、ベースバンドデバイスの検出対象の送信ポートに対応する、無線周波デバイスの受信ポートを示す。例えば、図２に示されているように、ベースバンドデバイス１のポート５が検出される。すなわち、送信ポートはポート５である。送信ポートに対応するポートは、無線周波デバイス１のポート０であってよい。経路探索デバイスは、ベースバンドデバイスの送信ポート５を示すポート情報を備えてよく、さらに無線周波デバイス１のポート０を示すポート情報を備えてよく、これにより、転送ネットワークのデバイスは、ベースバンドデバイスの送信ポートに対応する、無線周波デバイスの受信ポートを、受信された経路探索フレームにしたがって決定してよい。図３に示されているように、経路探索フレームは図３に示されていてよく、無線周波デバイスのポート情報は、ＦＬＡＧ（フラグ）フィールドに位置付けられてよい。あるいは、図４に示されているように、無線送信デバイスのポート情報および無線受信デバイスのポート情報は、それぞれ探索フィールド１および探索フィールド２に位置付けられる。しかしながら、本発明はこれに限定されない。
【０１６２】
具体的には、無線周波デバイスのポート情報は、無線周波デバイスのデバイス識別子と無線周波デバイスの受信ポートのポート番号とを含んでよい。ここで、無線周波デバイスの受信ポートはポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１６３】
本発明の本実施形態において、無線送信デバイスがベースバンドデバイスであるとき、第１の転送ネットワークデバイスは、経路探索フレームを受信する。経路探索フレームは、ベースバンドデバイスの送信ポートのポート情報を備え、任意選択で、さらに受信端の無線周波デバイスの受信ポート情報を備えてよい。無線送信デバイスが無線周波デバイスであるとき、第２の転送ネットワークデバイスは、経路探索フレームを受信する。経路探索フレームは、無線周波デバイスの送信ポートのポート情報を備え、任意選択で、さらに受信端のベースバンドデバイスの受信ポート情報を備えてよい。
【０１６４】
Ｓ４２０において、転送ネットワークデバイスは、経路探索フレームにしたがって探索情報をエレメント管理システムＥＭＳに送信する。探索情報は、無線送信デバイスの送信ポートが転送ネットワークデバイスの入力ポートに接続されていることを示すために使用される。具体的には、経路探索フレームは、無線送信端のポート情報を備えるので、経路探索フレームを受信した後、転送ネットワークデバイスは、転送ネットワークデバイスの受信ポートのポート情報と無線送信端のポート情報とをＥＭＳに送信してよく、これにより、ＥＭＳは、無線送信デバイスの送信ポートが転送ネットワークデバイスの入力ポートに接続されていると決定する。任意選択で、経路探索フレームがさらに無線受信デバイスの受信ポートのポート情報を備えるとき、転送ネットワークデバイスはまた、無線受信デバイスの受信ポートのポート情報をＥＭＳに送信してよく、これにより、ＥＭＳは、無線送信端と転送ネットワークデバイスと無線受信端との間のトポロジについての情報を決定できる。
【０１６５】
具体的には、探索情報は、転送ネットワークデバイスの入力ポートのポート情報を備えてよい。図２に示されているように、例えば、無線送信デバイスがベースバンドデバイス１である場合、経路探索フレームを受信する対応する転送ネットワークデバイスは、転送ネットワークデバイス１であり、転送ネットワークデバイス１によって送信される探索情報は、転送ネットワークデバイス１のポート４のポート情報を備えてよい。具体的には、ポート情報は、転送ネットワークデバイスのデバイス識別子と転送ネットワークデバイスの入力ポートのポート番号、すなわち、ポート４のポート番号とを備えてよい。任意選択で、ポート情報はさらに、転送ネットワークデバイスのデバイスタイプ、転送ネットワークデバイスの入力ポートが位置付けられているサブラックの番号、転送ネットワークデバイスの入力ポートが位置付けられているキャビネットの番号、転送ネットワークデバイスの入力ポートが位置付けられているスロットの番号、または、転送ネットワークデバイスの作動状態のうちの１または複数を含んでよい。本発明はこれに限定されない。
【０１６６】
本発明の本実施形態において、転送ネットワークデバイスは、探索情報をＥＭＳに送信する。任意選択で、ＥＭＳは転送ネットワークＥＭＳであってよい。転送ネットワークＥＭＳは、受信された探索情報にしたがって、無線送信デバイスと転送ネットワークデバイスと無線受信デバイスとの間のトポロジについての情報を決定してよい。具体的には、例えば、転送ネットワークデバイスによってＥＭＳに送信される探索情報が、無線送信デバイスの送信ポートのポート情報と転送ネットワークデバイスの入力ポートのポート情報とを含む場合、ＥＭＳは、無線送信デバイスの送信ポートが転送ネットワークデバイスの入力ポートに接続されていると決定してよい。探索情報がさらに無線受信デバイスの受信ポートについての情報を含む場合、ＥＭＳは、無線送信デバイスと転送ネットワークデバイスと無線受信デバイスとの間のトポロジについての情報を決定してよい。
【０１６７】
具体的には、例えば、図２に示されているように、転送ネットワークＥＭＳは、ベースバンドデバイス１のポート５が転送ネットワークデバイス１のポート４に接続されていると、転送ネットワークデバイス１によって送信される探索情報にしたがって決定してよく、無線周波デバイス１のポート０が転送ネットワークデバイス２のポート７に接続されていると、転送ネットワークデバイス２によって送信される探索情報にしたがって決定してよい。次に、転送ネットワークＥＭＳは、ベースバンドデバイス１のポート５が、無線周波デバイス１のポート０に対応しているという事実によって、１つのトポロジ情報、すなわち、転送ネットワークデバイス１のポート４を介したベースバンドデバイス１のポート５から転送ネットワークデバイス１へのパス、転送ネットワークを介した転送ネットワークデバイス１から転送ネットワークデバイス２へのパス、および最後に、転送ネットワークデバイス２のポート７から無線周波デバイス１のポート０へのパスを学習し得る。任意選択で、転送ネットワークＥＭＳは、ベースバンドデバイス１のポート５が無線周波デバイス１のポート０に対応していると、転送ネットワークデバイスによって送信される探索情報にしたがって、または、格納されたデータにしたがって学習し得る。本発明はこれに限定されない。
【０１６８】
本発明の本実施形態において、転送ネットワークＥＭＳは探索情報を取得し、トポロジ情報を決定してよい。トポロジ情報は、転送ネットワークＥＭＳに格納されてよく、または、トポロジ情報は、無線ＥＭＳに送信されてよい。任意選択で、転送ネットワークＥＭＳは、探索情報を無線ＥＭＳに送信してよく、無線ＥＭＳはトポロジ情報を決定する。本発明はこれに限定されない。
【０１６９】
したがって、本発明の本実施形態における、フロントホールトポロジを探索するための方法によると、ベースバンドデバイスおよび／または無線周波デバイスは、経路探索フレームを転送ネットワークデバイスに送信してよく、ここで、経路探索フレームは、ベースバンドデバイスおよび／または無線周波デバイスのポート情報を備えてよく、ポート情報によって示される送信ポートは、転送ネットワークデバイスに接続されている。そして、転送ネットワークデバイスは、経路探索フレームにしたがって探索情報をＥＭＳに送信し、ここで、探索情報は、ベースバンドデバイスおよび／または無線周波デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０１７０】
図１０は、本発明のさらにまた別の実施形態に係る、フロントホールトポロジを探索するための方法５００の概略フローチャートを示す。方法５００は、ベースバンドデバイスおよび／または無線周波デバイスによって実行されてよい。方法５００はまた、ＳＦＴＳＰ（片方向ＦＴＳＰ）と称されてよい。図１０に示されているように、方法５００は以下の段階を備える。
【０１７１】
Ｓ５１０．無線送信デバイスが、経路探索フレームを生成する。ここで、経路探索フレームは無線送信デバイスの送信ポート情報を備え、送信ポート情報は、転送ネットワークデバイスに接続された、無線送信デバイスの送信ポートを示す。
【０１７２】
Ｓ５２０．無線送信デバイスが、経路探索フレームを転送ネットワークデバイスに送信する。
【０１７３】
したがって、本発明の本実施形態における、フロントホールトポロジを探索するための方法によると、ベースバンドデバイスおよび／または無線周波デバイスは、経路探索フレームを転送ネットワークデバイスに送信してよく、ここで、経路探索フレームは、ベースバンドデバイスおよび／または無線周波デバイスのポート情報を備えてよく、ポート情報によって示される送信ポートは、転送ネットワークデバイスに接続されている。そして、転送ネットワークデバイスは、経路探索フレームにしたがって探索情報をＥＭＳに送信し、ここで、探索情報は、ベースバンドデバイスおよび／または無線周波デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポートの間の接続関係を決定できる。
【０１７４】
Ｓ５１０において、無線送信デバイスは、経路探索フレームを生成する。経路探索フレームは、無線送信デバイスの送信ポート情報を備え、送信ポート情報は、転送ネットワークデバイスに接続された、無線送信デバイスの送信ポートを示す。任意選択で、経路探索はさらに、無線送信デバイスに対応する無線受信デバイスのポート情報を備えてよい。具体的には、無線送信デバイスがベースバンドデバイスである場合、対応する無線受信デバイスは無線周波デバイスである。例えば、図２に示されているように、ベースバンドデバイス１は無線周波デバイス１に対応している。同様に、ここでの無線送信デバイスが無線周波デバイスである場合、対応する無線受信デバイスはベースバンドデバイスである。例えば、図２に示されているように、無線周波デバイス３はベースバンドデバイス２に対応している。
【０１７５】
説明のために、以下では、無線送信デバイスがベースバンドデバイスである例を使用する。生成された経路探索フレームは、ベースバンドデバイスの送信ポートのポート情報を備えてよい。任意選択で、経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【０１７６】
具体的には、本発明の本実施形態において、経路探索フレームは、ベースバンドデバイスのポート情報を備えてよい。ベースバンドデバイスのポート情報は、ベースバンドデバイスの送信ポートを示す。送信ポートは、ベースバンドデバイスの任意の検出対象のポートであってよい。例えば、図２に示されているように、ベースバンドデバイス１は複数のポートを備えてよく、送信ポートは、例えば、ポート５といったベースバンドデバイスの任意のポートであってよい。経路探索フレームは、ベースバンドデバイス１のポート５を示すポート情報を備えてよい。これに対応して、ポート５と無線周波デバイスとの間のトポロジについての情報が、経路探索フレームにしたがって取得されてよい。図３に示されているように、経路探索フレームは図３に示されていてよく、ベースバンドデバイスのポート情報は、経路探索フレームの探索フィールドに位置付けられてよい。しかしながら、本発明はこれに限定されない。
【０１７７】
具体的には、ベースバンドデバイスのポート情報は、ベースバンドデバイスのデバイス識別子とベースバンドデバイスの送信ポートのポート番号とを含んでよく、ここで送信ポートは、ポート情報にしたがって決定されてよい。任意選択で、ベースバンドデバイスのポート情報はさらに、ベースバンドデバイスのデバイスタイプ、送信ポートのサブラック番号、送信ポートのキャビネット番号、送信ポートのスロット番号、またはベースバンドデバイスの作動状態のうちの１または複数を含んでよい。本発明はこれに限定されない。
【０１７８】
任意選択で、本発明の本実施形態において、経路探索フレームはさらに、対応する無線受信端のポート情報を備えてよい、すなわち、対応する無線周波デバイスのポート情報を備えてよい。無線周波デバイスのポート情報は、ベースバンドデバイスの検出対象の送信ポートに対応する、無線周波デバイスの受信ポートを示す。例えば、図２に示されているように、ベースバンドデバイス１のポート５が検出される。すなわち、送信ポートはポート５である。送信ポートに対応するポートは、無線周波デバイス１のポート０であってよい。経路探索デバイスは、ベースバンドデバイスの送信ポート５を示すポート情報を備えてよく、さらに無線周波デバイス１のポート０を示すポート情報を備えてよく、これにより、転送ネットワークのデバイスは、ベースバンドデバイスの送信ポートに対応する、無線周波デバイスの受信ポートを、受信された経路探索フレームにしたがって決定してよい。図３に示されているように、経路探索フレームは図３に示されていてよく、無線周波デバイスのポート情報は、ＦＬＡＧ（フラグ）フィールドに位置付けられてよい。あるいは、図４に示されているように、無線送信デバイスのポート情報および無線受信デバイスのポート情報は、それぞれ探索フィールド１および探索フィールド２に位置付けられる。しかしながら、本発明はこれに限定されない。
【０１７９】
具体的には、無線周波デバイスのポート情報は、無線周波デバイスのデバイス識別子と無線周波デバイスの受信ポートのポート番号とを含んでよい。ここで、無線周波デバイスの受信ポートはポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１８０】
Ｓ５２０において、無線送信デバイスは、経路探索フレームを転送ネットワークデバイスに送信し、これにより、転送ネットワークデバイスは、経路探索フレームにしたがって探索情報を決定し、探索情報をＥＭＳに送信してトポロジ情報を決定する。具体的に、無線送信デバイスがベースバンドデバイスであるとき、第１の転送ネットワークデバイスは、経路探索フレームを受信する。経路探索フレームは、ベースバンドデバイスの送信ポートのポート情報を含み、任意選択で、さらに無線受信デバイスの受信ポート情報、すなわち、無線周波デバイスの受信ポート情報を備えてよい。無線送信デバイスが無線周波デバイスであるとき、第２の転送ネットワークデバイスが経路探索フレームを受信してよい。経路探索フレームは、無線周波デバイスの送信ポートのポート情報を備え、任意選択で、さらに無線受信デバイスの受信ポート情報、すなわち、ベースバンドデバイスの受信ポート情報を備えてよい。
【０１８１】
本発明の本実施形態において、無線送信デバイスは、経路探索フレームを転送ネットワークに送信する。任意選択で、例えば無線ＥＭＳといった、基地局の管理ツールが指示情報を無線送信デバイスに送信してよい。指示情報は、経路探索フレームを転送ネットワークに送信するよう無線送信デバイスに命令するために使用される。この方法において、いつでもフロントホールトポロジが探索されてよく、無線ＥＭＳは、探索を実行するよう無線送信デバイスに任意の時点で命令する。この方法は、ＭＳＦＴＳＰ（手動片方向ＦＴＳＰ）と称されてよい。任意選択で、無線送信デバイスは、経路探索フレームを周期的に送信するよう設定されてよい。例えば、フロントホールトポロジを探索すべく、ベースバンドデバイスおよび無線周波デバイスは、５時間ごとに経路探索フレームを送信するよう設定されてよい。この方法は、ＡＳＦＴＳＰ（自動片方向ＦＴＳＰ）と称されてよい。本発明はこれに限定されない。
【０１８２】
前述のプロセスの順序番号は、本発明の実施形態における実行順序を意味しないことが理解されるべきである。プロセスの実行順序は、プロセスの機能および内部ロジックに応じて決定されるべきであるが、本発明の実施形態の実装プロセスに対するいかなる限定にもなるべきではない。
【０１８３】
したがって、本発明の本実施形態における、フロントホールトポロジを探索するための方法によると、ベースバンドデバイスおよび／または無線周波デバイスは、経路探索フレームを転送ネットワークデバイスに送信してよく、ここで、経路探索フレームは、ベースバンドデバイスおよび／または無線周波デバイスのポート情報を備えてよく、ポート情報によって示される送信ポートは、転送ネットワークデバイスに接続されている。そして、転送ネットワークデバイスは、経路探索フレームにしたがって探索情報をＥＭＳに送信し、ここで、探索情報は、ベースバンドデバイスおよび／または無線周波デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０１８４】
前述のものは、図１から図１０に関連して、本発明の実施形態に係る、フロントホールトポロジを探索するための方法を詳細に説明したものである。以下では、図１１から図１８に関連して、本発明の一実施形態に係る、フロントホールトポロジを探索するための装置を説明する。
【０１８５】
図１１は、本発明の一実施形態に係るベースバンドデバイスの概略ブロック図を示す。図１１に示されているように、本発明の本実施形態に係るベースバンドデバイス６００は、送信元経路探索フレームを転送ネットワークの第１の転送ネットワークデバイスに送信するよう構成される第１の送信モジュール６１０であって、送信元経路探索フレームは、転送ネットワークを使用することによって無線周波デバイスに送信される、第１の送信モジュール６１０と、第１の転送ネットワークデバイスによって送信される宛先経路探索フレームを受信するよう構成される第１の受信モジュール６２０であって、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す、第１の受信モジュール６２０と、宛先経路探索フレームにしたがって探索情報を決定するよう構成される決定モジュール６３０であって、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す、決定モジュール６３０と、探索情報をエレメント管理システムＥＭＳに送信するよう構成される第２の送信モジュール６４０とを備える。
【０１８６】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１８７】
任意選択で、本発明の本実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含む。
【０１８８】
任意選択で、本発明の本実施形態において、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０１８９】
任意選択で、本発明の本実施形態において、探索情報は、ベースバンドデバイスのポート情報、第１のポート情報、および第２のポート情報を含む。ベースバンドデバイスのポート情報は、ベースバンドデバイスの目標ポートを示す。
【０１９０】
任意選択で、本発明の本実施形態において、探索結果は、無線周波デバイスのポート情報を含む。無線周波デバイスのポート情報は、無線周波デバイスの出力ポートを示す。
【０１９１】
任意選択で、本発明の本実施形態において、送信元経路探索フレームは、ベースバンドデバイスのポート情報を備える。ベースバンドデバイスのポート情報は、ベースバンドデバイスの目標ポートを示す。
【０１９２】
任意選択で、本発明の本実施形態において、送信元経路探索フレームはさらに、無線周波デバイスのポート情報を備える。無線周波デバイスのポート情報は、無線周波デバイスの出力ポートを示す。
【０１９３】
任意選択で、本発明の本実施形態において、宛先経路探索フレームはさらに、無線周波デバイスのポート情報を備える。無線周波デバイスのポート情報は、無線周波デバイスの出力ポートを示す。
【０１９４】
任意選択で、本発明の本実施形態において、ベースバンドデバイス６００はさらに、ＥＭＳによって送信される指示メッセージを受信するよう構成される第２の受信モジュールを備えてよい。指示メッセージは、送信元経路探索フレームを送信するようベースバンドデバイスに命令するために使用される。
【０１９５】
本発明の本実施形態に係るベースバンドデバイス６００は、本発明の実施形態の方法１００を実行するよう対応して構成されてよく、ベースバンドデバイス６００のモジュールの前述のおよび他のオペレーションおよび／または機能は、図１から図６における方法の対応する手順を実装するために別々に使用されることが理解されるべきである。簡潔にするために、詳細はここでは再度説明しない。
【０１９６】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１９７】
図１２は、本発明の一実施形態に係る第１の転送ネットワークデバイスの概略ブロック図を示す。図１２に示されているように、本発明の本実施形態に係る転送ネットワークの第１の転送ネットワークデバイス７００は、ベースバンドデバイスによって送信される送信元経路探索フレームを受信するよう構成される第１の受信モジュール７１０であって、送信元経路探索フレームは、転送ネットワークを使用することによって無線周波デバイスに送信される、第１の受信モジュール７１０と、第１の経路探索フレームを取得すべく、送信元経路探索フレームに第１のポート情報を記録するよう構成される処理モジュール７２０であって、第１のポート情報は、ベースバンドデバイスの目標ポートに接続された、第１の転送ネットワークデバイスの入力ポートを示す、処理モジュール７２０と、第１の経路探索フレームを転送ネットワークの第２の転送ネットワークデバイスに送信するよう構成される第１の送信モジュール７３０と、第２の転送ネットワークデバイスによって送信される宛先経路探索フレームを受信するよう構成される第２の受信モジュール７４０であって、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す、第２の受信モジュール７４０と、宛先経路探索フレームをベースバンドデバイスに送信するよう構成される第２の送信モジュール７５０とを備える。
【０１９８】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０１９９】
任意選択で、本発明の本実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含む。
【０２００】
任意選択で、本発明の本実施形態において、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０２０１】
任意選択で、本発明の本実施形態において、送信元経路探索フレームは、ベースバンドデバイスのポート情報を備える。ベースバンドデバイスのポート情報は、ベースバンドデバイスの目標ポートを示す。
【０２０２】
任意選択で、本発明の本実施形態において、送信元経路探索フレームはさらに、無線周波デバイスのポート情報を備える。無線周波デバイスのポート情報は、無線周波デバイスの受信ポートを示す。
【０２０３】
任意選択で、本発明の本実施形態において、宛先経路探索フレームは、無線周波デバイスのポート情報を保持する。無線周波デバイスのポート情報は、無線周波デバイスの受信ポートを示す。
【０２０４】
本発明の本実施形態に係る第１の転送ネットワークデバイス７００は、本発明の実施形態の方法２００を実行するよう対応して構成されてよく、第１の転送ネットワークデバイス７００のモジュールの前述のおよび他のオペレーションおよび／または機能は、図７の方法の対応する手順を実装するために別々に使用されることが理解されるべきである。簡潔にするために、詳細はここでは再度説明しない。
【０２０５】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０２０６】
図１３は、本発明の一実施形態に係る転送ネットワークデバイスの概略ブロック図を示す。図１３に示されているように、本発明の本実施形態に係る転送ネットワークデバイス８００は、無線送信デバイスによって送信される経路探索フレームを受信するよう構成される受信モジュール８１０であって、経路探索フレームは、無線送信デバイスの送信ポート情報を備え、送信ポート情報は、転送ネットワークデバイスの入力ポートに接続された、無線送信デバイスの送信ポートを示す、受信モジュール８１０と、経路探索フレームにしたがって探索情報をエレメント管理システムＥＭＳに送信するよう構成される送信モジュール８２０であって、探索情報は、無線送信デバイスの送信ポートが、転送ネットワークデバイスの入力ポートに接続されていることを示すために使用される、送信モジュール８２０とを備える。
【０２０７】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。また、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２０８】
任意選択で、本発明の本実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２０９】
任意選択で、本発明の本実施形態において、探索情報は、送信ポート情報と転送ネットワークデバイスの入力ポート情報とを含む。入力ポート情報は、転送ネットワークデバイスの入力ポートを示す。
【０２１０】
任意選択で、本発明の本実施形態において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または転送ネットワークデバイスの作動状態のうちの少なくとも１つを含む。
【０２１１】
任意選択で、本発明の本実施形態において、経路探索フレームはさらに、無線送信デバイスに対応する無線受信デバイスの受信ポート情報を備える。受信ポート情報は、無線受信デバイスの受信ポートを示す。
【０２１２】
任意選択で、本発明の本実施形態において、探索情報は受信ポート情報を含む。
【０２１３】
任意選択で、本発明の本実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２１４】
任意選択で、本発明の本実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２１５】
本発明の本実施形態に係る転送ネットワークデバイス８００は、本発明の実施形態の方法４００を実行するよう対応して構成されてよく、転送ネットワークデバイス８００のモジュールの前述のおよび他のオペレーションおよび／または機能は、図９における方法の対応する手順を実装するために別々に使用されることが理解されるべきである。簡潔にするために、詳細はここでは再度説明しない。
【０２１６】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２１７】
図１４は、本発明の一実施形態に係る無線送信デバイスの概略ブロック図を示す。図１４に示されているように、本発明の本実施形態に係る無線送信デバイス９００は、経路探索フレームを生成するよう構成される生成モジュール９１０であって、経路探索フレームは、無線送信デバイスの送信ポート情報を備え、送信ポート情報は、転送ネットワークデバイスに接続された、無線送信デバイスの送信ポートを示す、生成モジュール９１０と、経路探索フレームを転送ネットワークデバイスに送信するよう構成される送信モジュール９２０とを備える。
【０２１８】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２１９】
任意選択で、本発明の本実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２２０】
任意選択で、本発明の本実施形態において、経路探索フレームはさらに、無線送信デバイスに対応する無線受信デバイスの受信ポート情報を備える。受信ポート情報は、無線受信デバイスの受信ポートを示す。
【０２２１】
任意選択で、本発明の本実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２２２】
任意選択で、本発明の本実施形態において、無線送信デバイスはさらに、エレメント管理システムＥＭＳによって送信される指示情報を受信するよう構成される受信モジュールであって、指示情報は、経路探索フレームを送信するようベースバンドデバイスに命令するために使用される、受信モジュールを備える。
【０２２３】
任意選択で、本発明の本実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２２４】
本発明の本実施形態に係る無線送信デバイス９００は、本発明の実施形態の方法５００を実行するよう対応して構成されてよく、無線送信デバイス９００のモジュールの前述のおよび他のオペレーションおよび／または機能は、図１０における方法の対応する手順を実装するために別々に使用されることが理解されるべきである。簡潔にするために、詳細はここでは再度説明しない。
【０２２５】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。そして、転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２２６】
図１５に示されているように、本発明の一実施形態が、さらにベースバンドデバイス１０００を提供する。ベースバンドデバイス１０００は、プロセッサ１０１０とメモリ１０２０と送受信機１０３０とバスシステム１０４０とを備える。プロセッサ１０１０とメモリ１０２０と送受信機１０３０とは、バスシステム１０４０を使用することによって接続される。メモリ１０２０は、命令を格納するよう構成される。プロセッサ１０１０は、メモリ１０２０に格納された命令を実行するよう構成され、これにより、信号を受信および送信するよう送受信機１０３０を制御する。プロセッサ１０１０は、送信元経路探索フレームを転送ネットワークの第１の転送ネットワークデバイスに送信するよう構成される。ここで、送信元経路探索フレームは、転送ネットワークを使用することによって無線周波デバイスに送信される。送受信機１０３０は、第１の転送ネットワークデバイスによって送信される宛先経路探索フレームを受信するよう構成される。宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成される。第１のポート情報は、ベースバンドデバイスの目標ポートに接続された、第１の転送ネットワークデバイスの入力ポートを示す。第２のポート情報は、無線周波デバイスの受信ポートに接続された、第２の転送ネットワークデバイスの出力ポートを示す。プロセッサ１０１０は、宛先経路探索フレームにしたがって探索情報を決定するよう構成される。探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。送受信機１０３０は、探索情報をエレメント管理システムＥＭＳに送信するよう構成される。
【０２２７】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０２２８】
本発明の本実施形態において、プロセッサ１０１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１０１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２２９】
メモリ１０２０は、リードオンリメモリおよびランダムアクセスメモリを含んでよく、命令およびデータをプロセッサ１０１０に提供する。メモリ１０２０の一部がさらに、不揮発性ランダムアクセスメモリを含んでよい。例えば、メモリ１０２０はさらに、デバイスタイプ情報を格納してよい。
【０２３０】
データバスに加えて、バスシステム１０４０はさらに、電力バス、制御バス、状態信号バス、および同様のものを含んでよい。しかしながら、説明を明確にするために、様々なタイプのバスがバスシステム１０４０として図中に示されている。
【０２３１】
実装プロセスにおいて、プロセッサ１０１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１０２０に位置付けられてよい。プロセッサ１０１０は、メモリ１０２０内の情報を読み出し、プロセッサ１０１０のハードウェアと組み合わせて前述の方法の段階を完了する。繰り返しを避けるために、詳細はここでは再度説明しない。
【０２３２】
任意選択で、一実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または第１の転送ネットワークデバイスの作動状態のうちの少なくとも１つを含む。第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０２３３】
任意選択で、一実施形態において、探索情報は、ベースバンドデバイスのポート情報、第１のポート情報、および第２のポート情報を含む。ベースバンドデバイスのポート情報は、ベースバンドデバイスの目標ポートを示す。
【０２３４】
任意選択で、一実施形態において、探索結果は、無線周波デバイスのポート情報を含む。無線周波デバイスのポート情報は、無線周波デバイスの出力ポートを示す。
【０２３５】
任意選択で、一実施形態において、送信元経路探索フレームは、ベースバンドデバイスのポート情報を備える。ベースバンドデバイスのポート情報は、ベースバンドデバイスの目標ポートを示す。
【０２３６】
任意選択で、一実施形態において、送信元経路探索フレームはさらに、無線周波デバイスのポート情報を備える。無線周波デバイスのポート情報は、無線周波デバイスの出力ポートを示す。
【０２３７】
任意選択で、一実施形態において、宛先経路探索フレームは、さらに無線周波デバイスのポート情報を含む。無線周波デバイスのポート情報は、無線周波デバイスの出力ポートを示す。
【０２３８】
任意選択で、一実施形態において、送受信機１０３０はさらに、ＥＭＳによって送信される指示メッセージを受信するよう構成される。指示メッセージは、送信元経路探索フレームを送信するようベースバンドデバイスに命令するために使用される。
【０２３９】
本発明の本実施形態に係るベースバンドデバイス１０００は、本発明の実施形態のベースバンドデバイス６００に対応していてよく、本発明の実施形態に係る方法１００を実行する対応する実行体に対応していてよく、ベースバンドデバイス１０００のモジュールの前述のおよび他のオペレーションおよび／または機能は、図１における方法の対応する手順を実装するために別々に使用されることが理解されるべきである。簡潔にするために、詳細はここでは再度説明しない。
【０２４０】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０２４１】
図１６に示されているように、本発明の一実施形態がさらに、第１の転送ネットワークデバイス１１００を提供する。第１の転送ネットワークデバイス１１００は、プロセッサ１１１０とメモリ１１２０と送受信機１１３０とバスシステム１１４０とを備える。プロセッサ１１１０とメモリ１１２０と送受信機１１３０とは、バスシステム１１４０を使用することによって接続される。メモリ１１２０は、命令を格納するよう構成される。プロセッサ１１１０は、メモリ１１２０に格納された命令を実行するよう構成され、これにより、信号を受信および送信するよう送受信機１１３０を制御する。送受信機１１３０は、ベースバンドデバイスによって送信される送信元経路探索フレームを受信するよう構成される。ここで、送信元経路探索フレームは、転送ネットワークを使用することによって無線周波デバイスに送信される。プロセッサ１１１０は、第１の経路探索フレームを取得すべく、送信元経路探索フレームに第１のポート情報を記録するよう構成される。ここで、第１のポート情報は、ベースバンドデバイスの目標ポートに接続された、第１の転送ネットワークデバイスの入力ポートを示す。送受信機１１３０は、第１の経路探索フレームを転送ネットワークの第２の転送ネットワークデバイスに送信し、第２の転送ネットワークデバイスによって送信される宛先経路探索フレームを受信し、宛先経路探索フレームをベースバンドデバイスに送信するよう構成される。ここで、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す。
【０２４２】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０２４３】
本発明の本実施形態において、プロセッサ１１１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１１１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２４４】
メモリ１１２０は、リードオンリメモリおよびランダムアクセスメモリを含んでよく、命令およびデータをプロセッサ１１１０に提供する。メモリ１１２０の一部がさらに、不揮発性ランダムアクセスメモリを含んでよい。例えば、メモリ１１２０はさらに、デバイスタイプ情報を格納してよい。
【０２４５】
データバスに加えて、バスシステム１１４０はさらに、電力バス、制御バス、状態信号バス、および同様のものを含んでよい。しかしながら、説明を明確にするために、様々なタイプのバスがバスシステム１１４０として図中に示されている。
【０２４６】
実装プロセスにおいて、プロセッサ１１１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１１２０に位置付けられてよい。プロセッサ１１１０は、メモリ１１２０内の情報を読み出し、プロセッサ１１１０のハードウェアと組み合わせて前述の方法の段階を完了する。繰り返しを避けるために、詳細はここでは再度説明しない。
【０２４７】
任意選択で、一実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または第１の転送ネットワークデバイスの作動状態のうちの少なくとも１つを含む。第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０２４８】
任意選択で、一実施形態において、送信元経路探索フレームは、ベースバンドデバイスのポート情報を備える。ベースバンドデバイスのポート情報は、ベースバンドデバイスの目標ポートを示す。
【０２４９】
任意選択で、一実施形態において、送信元経路探索フレームはさらに、無線周波デバイスのポート情報を備える。無線周波デバイスのポート情報は、無線周波デバイスの受信ポートを示す。
【０２５０】
任意選択で、一実施形態において、宛先経路探索フレームは、無線周波デバイスのポート情報を保持する。無線周波デバイスのポート情報は、無線周波デバイスの受信ポートを示す。
【０２５１】
本発明の本実施形態に係る第１の転送ネットワークデバイス１１００は、本発明の実施形態の第１の転送ネットワークデバイス７００に対応していてよく、本発明の実施形態に係る方法２００を実行する対応する実行体に対応していてよく、第１の転送ネットワークデバイス１１００のモジュールの前述のおよび他のオペレーションおよび／または機能は、図７における方法の対応する手順を実装するために別々に使用されることが理解されるべきである。簡潔にするために、詳細はここでは再度説明しない。
【０２５２】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０２５３】
図１７に示されているように、本発明の一実施形態が、さらに転送ネットワークデバイス１２００を提供する。転送ネットワークデバイス１２００は、プロセッサ１２１０とメモリ１２２０と送受信機１２３０とバスシステム１２４０とを含む。プロセッサ１２１０とメモリ１２２０と送受信機１２３０とは、バスシステム１２４０を使用することによって接続される。メモリ１２２０は、命令を格納するよう構成される。プロセッサ１２１０は、メモリ１２２０に格納された命令を実行するよう構成され、これにより、信号を受信および送信するよう送受信機１２３０を制御する。送受信機１２３０は、無線送信デバイスによって送信される経路探索フレームを受信するよう構成され、ここで、経路探索フレームは無線送信デバイスの送信ポート情報を備え、送信ポート情報は、転送ネットワークデバイスの入力ポートに接続された、無線送信デバイスの送信ポートを示し、送受信機１２３０は、経路探索フレームにしたがって探索情報をエレメント管理システムＥＭＳに送信するよう構成され、ここで、探索情報は、無線送信デバイスの送信ポートが、転送ネットワークデバイスの入力ポートに接続されていることを示すために使用される。
【０２５４】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２５５】
本発明の本実施形態において、プロセッサ１２１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１２１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２５６】
メモリ１２２０は、リードオンリメモリおよびランダムアクセスメモリを含んでよく、命令およびデータをプロセッサ１２１０に提供する。メモリ１２２０の一部がさらに、不揮発性ランダムアクセスメモリを含んでよい。例えば、メモリ１２２０はさらに、デバイスタイプ情報を格納してよい。
【０２５７】
データバスに加えて、バスシステム１２４０はさらに、電力バス、制御バス、状態信号バス、および同様のものを含んでよい。しかしながら、説明を明確にするために、様々なタイプのバスがバスシステム１２４０として図中に示されている。
【０２５８】
実装プロセスにおいて、プロセッサ１２１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１２２０に位置付けられてよい。プロセッサ１２１０は、メモリ１２２０内の情報を読み出し、プロセッサ１２１０のハードウェアと組み合わせて前述の方法の段階を完了する。繰り返しを避けるために、詳細はここでは再度説明しない。
【０２５９】
任意選択で、一実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２６０】
任意選択で、一実施形態において、探索情報は、送信ポート情報と転送ネットワークデバイスの入力ポート情報とを含む。入力ポート情報は、転送ネットワークデバイスの入力ポートを示す。
【０２６１】
任意選択で、一実施形態において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または転送ネットワークデバイスの作動状態のうちの少なくとも１つを含む。
【０２６２】
任意選択で、一実施形態において、経路探索フレームはさらに、無線送信デバイスに対応する無線受信デバイスの受信ポート情報を備える。受信ポート情報は、無線受信デバイスの受信ポートを示す。
【０２６３】
任意選択で、一実施形態において、探索情報は受信ポート情報を含む。
【０２６４】
任意選択で、一実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２６５】
任意選択で、一実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２６６】
本発明の本実施形態に係る転送ネットワークデバイス１２００は、本発明の実施形態の転送ネットワークデバイス８００に対応していてよく、本発明の実施形態に係る方法４００を実行する対応する実行体に対応していてよく、転送ネットワークデバイス１２００のモジュールの前述のおよび他のオペレーションおよび／または機能は、図９における方法の対応する手順を実装するために別々に使用されることが理解されるべきである。簡潔にするために、詳細はここでは再度説明しない。
【０２６７】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２６８】
図１８に示されているように、本発明の一実施形態がさらに、無線送信デバイス１３００を提供する。無線送信デバイス１３００は、プロセッサ１３１０とメモリ１３２０と送受信機１３３０とバスシステム１３４０とを備える。プロセッサ１３１０とメモリ１３２０と送受信機１３３０とは、バスシステム１３４０を使用することによって接続される。メモリ１３２０は、命令を格納するよう構成される。プロセッサ１３１０は、メモリ１３２０に格納された命令を実行するよう構成され、これにより、信号を受信および送信するよう送受信機１３３０を制御する。プロセッサ１３１０は、経路探索フレームを生成するよう構成される。ここで、経路探索フレームは、無線送信デバイスの送信ポート情報を備え、送信ポート情報は、転送ネットワークデバイスに接続された、無線送信デバイスの送信ポートを示す。送受信機１３３０は、経路探索フレームを転送ネットワークデバイスに送信するよう構成される。
【０２６９】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。そして、転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２７０】
本発明の本実施形態において、プロセッサ１３１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１３１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２７１】
メモリ１３２０は、リードオンリメモリおよびランダムアクセスメモリを含んでよく、命令およびデータをプロセッサ１３１０に提供する。メモリ１３２０の一部がさらに、不揮発性ランダムアクセスメモリを含んでよい。例えば、メモリ１３２０はさらに、デバイスタイプ情報を格納してよい。
【０２７２】
データバスに加えて、バスシステム１３４０はさらに、電力バス、制御バス、状態信号バス、および同様のものを含んでよい。しかしながら、説明を明確にするために、様々なタイプのバスがバスシステム１３４０として図中に示されている。
【０２７３】
実装プロセスにおいて、プロセッサ１３１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１３２０に位置付けられてよい。プロセッサ１３１０は、メモリ１３２０内の情報を読み出し、プロセッサ１３１０のハードウェアと組み合わせて前述の方法の段階を完了する。繰り返しを避けるために、詳細はここでは再度説明しない。
【０２７４】
任意選択で、一実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２７５】
任意選択で、一実施形態において、経路探索フレームはさらに、無線送信デバイスに対応する無線受信デバイスの受信ポート情報を備える。受信ポート情報は、無線受信デバイスの受信ポートを示す。
【０２７６】
任意選択で、一実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２７７】
任意選択で、一実施形態において、送受信機１３３０はさらに、エレメント管理システムＥＭＳによって送信される指示情報を受信するよう構成される。ここで、指示情報は、経路探索フレームを送信するようベースバンドデバイスに命令するために使用される。
【０２７８】
任意選択で、一実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２７９】
本発明の本実施形態に係る無線送信デバイス１３００は、本発明の実施形態の無線送信デバイス９００に対応していてよく、本発明の実施形態に係る方法５００を実行する対応する実行体に対応していてよく、無線送信デバイス１３００のモジュールの前述のおよび他のオペレーションおよび／または機能は、図１０における方法の対応する手順を実装するために別々に使用されることが理解されるべきである。簡潔にするために、詳細はここでは再度説明しない。
【０２８０】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。そして、転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２８１】
当業者であれば認識し得るように、本明細書において開示された実施形態において説明された例と組み合わせて、電子的ハードウェア、またはコンピュータソフトウェアと電子的ハードウェアとの組み合わせによって、ユニットおよびアルゴリズムの段階が実装されてよい。機能がハードウェアによって実行されるか、ソフトウェアによって実行されるかは、技術的解決手段の特定の適用と設計上の制約条件とで決まる。当業者は、異なる方法を使用して、特定の適用ごとに、説明された機能を実装してよいが、そのような実装例は、本発明の範囲を超えるものとみなされるべきではない。
【０２８２】
当業者は明確に理解し得るように、説明を簡便かつ簡潔にする目的で、前述のシステム、装置、およびユニットの詳細な動作プロセスについては、前述の方法の実施形態における対応するプロセスを参照されたい。詳細は、ここでは再度説明しない。
【０２８３】
本願において提供されたいくつかの実施形態において、開示されたシステム、装置、および方法は、別の方式で実装され得ることが理解されるべきである。例えば、説明された装置の実施形態は例に過ぎない。例えば、ユニットの分割は、論理的機能の分割に過ぎず、実際の実装例においては他の分割であってよい。例えば、複数のユニットまたはコンポーネントが別のシステムに組み合わされるか、もしくは統合されてよく、または、いくつかの機能が無視されるか、もしくは実行されなくてよい。加えて、表示または説明された相互結合、または直接結合もしくは通信接続は、いくつかのインタフェースを使用することによって実装されてよい。装置間またはユニット間の間接的な結合または通信接続は、電子的形態、機械的形態、または別の形態で実装されてよい。
【０２８４】
別個の部分として説明されるユニットは、物理的に分かれていても、それでなくでもよく、ユニットとして表示される部分は、物理的ユニットであっても、そうでなくてもよく、一か所に位置付けられてよく、または、複数のネットワークユニットにおいて分散されていてよい。実施形態の解決手段の目的を達成するための実際の要件に応じて、ユニットの一部または全部が選択されてよい。
【０２８５】
加えて、本発明の実施形態の機能ユニットは、１つの処理ユニットに統合されてよく、または、当該ユニットの各々は、物理的に単独で存在してよく、または、少なくとも２つのユニットが１つのユニットに統合されてよい。
【０２８６】
機能がソフトウェア機能ユニットの形態で実装され、単独製品として販売または使用されるとき、機能はコンピュータ可読記憶媒体に格納されてよい。そのような理解に基づいて、本発明の技術的解決手段は本質的に、または先行技術に寄与する部分は、または技術的解決手段のいくつかは、ソフトウェア製品の形態で実装されてよい。ソフトウェア製品は、記憶媒体に格納され、本発明の実施形態において説明された方法の段階の全部または一部を実行するよう、（パーソナルコンピュータ、サーバ、ネットワークデバイス、または同様のものであってよい）コンピュータデバイスに命令するためのいくつかの命令を含む。前述の記憶媒体は、プログラムコードを格納できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの任意の媒体を含む。
【０２８７】
前述の説明は、本発明の具体的な実装例に過ぎず、本発明の保護範囲を限定することを意図するものではない。本発明において開示された技術的範囲内で当業者によって容易に案出されたいかなる変形または置き換えも、本発明の保護範囲内に当然に含まれる。したがって、本発明の保護範囲は、特許請求の範囲の保護範囲に当然に従う。
【図１】
2018522480.tif 000003
【図２】
2018522480.tif 000004
【図３】
2018522480.tif 000005
【図４】
2018522480.tif 000006
【図５】
2018522480.tif 000007
【図６】
2018522480.tif 000008
【図７】
2018522480.tif 000009
【図８】
2018522480.tif 000010
【図９】
2018522480.tif 000011
【図１０】
2018522480.tif 000012
【図１１】
2018522480.tif 000013
【図１２】
2018522480.tif 000014
【図１３】
2018522480.tif 000015
【図１４】
2018522480.tif 000016
【図１５】
2018522480.tif 000017
【図１６】
2018522480.tif 000018
【図１７】
2018522480.tif 000019
【図１８】
2018522480.tif 000020
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
送信元経路探索フレームを転送ネットワークの第１の転送ネットワークデバイスにベースバンドデバイスが送信する段階であって、前記送信元経路探索フレームは、前記転送ネットワークを使用することによって無線周波デバイスに送信される、段階と、
前記第１の転送ネットワークデバイスによって送信される宛先経路探索フレームを前記ベースバンドデバイスが受信する段階であって、前記宛先経路探索フレームは、前記第１の転送ネットワークデバイスが前記送信元経路探索フレームに第１のポート情報を記録し、かつ前記転送ネットワークの第２の転送ネットワークデバイスが前記送信元経路探索フレームに第２のポート情報を記録した後に形成され、前記第１のポート情報は、前記ベースバンドデバイスの目標ポートに接続された、前記第１の転送ネットワークデバイスの入力ポートを示し、前記第２のポート情報は、前記無線周波デバイスの受信ポートに接続された、前記第２の転送ネットワークデバイスの出力ポートを示す、段階と、
前記宛先経路探索フレームにしたがって探索情報を前記ベースバンドデバイスが決定する段階であって、前記探索情報は、前記ベースバンドデバイスの前記目標ポートが前記第１の転送ネットワークデバイスの前記入力ポートに接続されていることと、前記第２の転送ネットワークデバイスの前記出力ポートが前記無線周波デバイスの前記受信ポートに接続されていることとを示す、段階と、
前記探索情報をエレメント管理システム（ＥＭＳ）に前記ベースバンドデバイスが送信する段階と
を備える、フロントホールトポロジを探索するための方法。
【請求項２】
前記第１のポート情報は、前記第１の転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記第１の転送ネットワークデバイスの作動状態のうちの少なくとも１つを含み、
前記第２のポート情報は、前記第２の転送ネットワークデバイスのデバイス識別子、デバイスタイプ、前記出力ポートが位置付けられているサブラックの番号、前記出力ポートが位置付けられているキャビネットの番号、前記出力ポートが位置付けられているスロットの番号、前記出力ポートのポート番号、または前記第２の転送ネットワークデバイスの作動状態のうちの少なくとも１つを含む、
請求項１に記載の方法。
【請求項３】
前記探索情報は、前記ベースバンドデバイスのポート情報、前記第１のポート情報、および前記第２のポート情報を備え、前記ベースバンドデバイスの前記ポート情報は、前記ベースバンドデバイスの前記目標ポートを示す、
請求項１または２に記載の方法。
【請求項４】
前記探索情報は、前記無線周波デバイスのポート情報を含み、前記無線周波デバイスの前記ポート情報は、前記無線周波デバイスの前記受信ポートを示す、
請求項３に記載の方法。
【請求項５】
前記送信元経路探索フレームは、前記ベースバンドデバイスのポート情報を備え、前記ベースバンドデバイスの前記ポート情報は、前記ベースバンドデバイスの前記目標ポートを示す、
請求項１から４のいずれか一項に記載の方法。
【請求項６】
ベースバンドデバイスであって、
送信元経路探索フレームを転送ネットワークの第１の転送ネットワークデバイスに送信する第１の送信モジュールであって、前記送信元経路探索フレームは、前記転送ネットワークを使用することによって無線周波デバイスに送信される、第１の送信モジュールと、
前記第１の転送ネットワークデバイスによって送信される宛先経路探索フレームを受信する第１の受信モジュールであって、前記宛先経路探索フレームは、前記第１の転送ネットワークデバイスが前記送信元経路探索フレームに第１のポート情報を記録し、かつ前記転送ネットワークの第２の転送ネットワークデバイスが前記送信元経路探索フレームに第２のポート情報を記録した後に形成され、前記第１のポート情報は、前記ベースバンドデバイスの目標ポートに接続された、前記第１の転送ネットワークデバイスの入力ポートを示し、前記第２のポート情報は、前記無線周波デバイスの受信ポートに接続された、前記第２の転送ネットワークデバイスの出力ポートを示す、第１の受信モジュールと、
前記宛先経路探索フレームにしたがって探索情報を決定する決定モジュールであって、前記探索情報は、前記ベースバンドデバイスの前記目標ポートが前記第１の転送ネットワークデバイスの前記入力ポートに接続されていることと、前記第２の転送ネットワークデバイスの前記出力ポートが前記無線周波デバイスの前記受信ポートに接続されていることとを示す、決定モジュールと、
前記探索情報をエレメント管理システム（ＥＭＳ）に送信する第２の送信モジュールと
を備えるベースバンドデバイス。
【請求項７】
前記第１のポート情報は、前記第１の転送ネットワークデバイスのデバイス識別子、デバイスタイプ、前記入力ポートが位置付けられているサブラックの番号、前記入力ポートが位置付けられているキャビネットの番号、前記入力ポートが位置付けられているスロットの番号、前記入力ポートのポート番号、または前記第１の転送ネットワークデバイスの作動状態のうちの少なくとも１つを含み、
前記第２のポート情報は、前記第２の転送ネットワークデバイスのデバイス識別子、デバイスタイプ、前記出力ポートが位置付けられているサブラックの番号、前記出力ポートが位置付けられているキャビネットの番号、前記出力ポートが位置付けられているスロットの番号、前記出力ポートのポート番号、または前記第２の転送ネットワークデバイスの作動状態のうちの少なくとも１つを含む、
請求項６に記載のベースバンドデバイス。
【請求項８】
前記探索情報は、前記ベースバンドデバイスのポート情報、前記第１のポート情報、および前記第２のポート情報を備え、前記ベースバンドデバイスの前記ポート情報は、前記ベースバンドデバイスの前記目標ポートを示す、
請求項６または７に記載のベースバンドデバイス。
【請求項９】
前記探索情報は、前記無線周波デバイスのポート情報を含み、前記無線周波デバイスの前記ポート情報は、前記無線周波デバイスの前記受信ポートを示す、
請求項８に記載のベースバンドデバイス。
【請求項１０】
前記送信元経路探索フレームは、前記ベースバンドデバイスのポート情報を備え、前記ベースバンドデバイスの前記ポート情報は、前記ベースバンドデバイスの前記目標ポートを示す、
請求項６から９のいずれか一項に記載のベースバンドデバイス。
【請求項１１】
無線送信デバイスであって、
経路探索フレームを生成する生成モジュールであって、前記経路探索フレームは、前記無線送信デバイスの送信ポート情報を含み、前記送信ポート情報は、転送ネットワークデバイスに接続された、前記無線送信デバイスの送信ポートを示す、生成モジュールと、
前記経路探索フレームを前記転送ネットワークデバイスに送信する送信モジュールと
を備える無線送信デバイス。
【請求項１２】
前記送信ポート情報は、前記無線送信デバイスのデバイス識別子、デバイスタイプ、前記送信ポートが位置付けられているサブラックの番号、前記送信ポートが位置付けられているキャビネットの番号、前記送信ポートが位置付けられているスロットの番号、前記送信ポートのポート番号、または前記無線送信デバイスの作動状態のうちの少なくとも１つを含む、
請求項１１に記載の無線送信デバイス。
【請求項１３】
前記経路探索フレームはさらに、前記無線送信デバイスに対応する無線受信デバイスの受信ポート情報を含み、前記受信ポート情報は、前記無線受信デバイスの受信ポートを示す、
請求項１１または１２に記載の無線送信デバイス。
【請求項１４】
前記受信ポート情報は、前記無線受信デバイスのデバイス識別子、デバイスタイプ、前記受信ポートが位置付けられているサブラックの番号、前記受信ポートが位置付けられているキャビネットの番号、前記受信ポートが位置付けられているスロットの番号、前記受信ポートのポート番号、または、前記無線受信デバイスの作動状態のうちの少なくとも１つを含む、
請求項１３に記載の無線送信デバイス。
【請求項１５】
前記無線送信デバイスはさらに、
エレメント管理システム（ＥＭＳ）によって送信される指示情報を受信する受信モジュールであって、前記指示情報は、前記経路探索フレームを送信するようベースバンドデバイスに命令するために使用される、受信モジュールを備える、
請求項１１から１４のいずれか一項に記載の無線送信デバイス。
【手続補正２】
【補正対象書類名】明細書
【補正対象項目名】全文
【補正方法】変更
【補正の内容】
【発明の詳細な説明】
【技術分野】
【０００１】
本発明の実施形態は通信分野に関し、具体的にはフロントホールトポロジを探索するための方法および装置に関する。
【背景技術】
【０００２】
現在、分散型基地局の遠隔無線ユニット（Ｒｅｍｏｔｅ  Ｒａｄｉｏ  Ｕｎｉｔ、略して「ＲＲＵ」、またはＲａｄｉｏ  Ｈｅａｄ、略して「ＲＨ」）とベースバンドユニット（Ｂａｓｅ  Ｂａｎｄ  Ｕｎｉｔ、略して「ＢＢＵ」）とが、通常、光ファイバまたはケーブルを使用することによって物理的に接続され、公衆無線インタフェース（Ｃｏｍｍｏｎ  Ｐｕｂｌｉｃ  Ｒａｄｉｏ  Ｉｎｔｅｒｆａｃｅ、略して「ＣＰＲＩ」）プロトコルがサービスに関して使用される。遠隔地に配置されたＢＢＵが、集中機器室において集中して配置され、光ファイバを使用することによって無線周波ユニットに接続される。ＢＢＵと無線周波ユニットとの間の距離は、数キロメートル、または数十キロメートルにも延長され得る。この方式は、クリーン、集中処理、協調的無線、およびリアルタイムクラウド無線アクセスネットワーク（Ｃｌｅａｎ、  Ｃｅｎｔｒａｌｉｚｅｄ  ｐｒｏｃｅｓｓｉｎｇ，  Ｃｏｌｌａｂｏｒａｔｉｖｅ  ｒａｄｉｏ， ａｎｄ  ｒｅａｌ−ｔｉｍｅ  Ｃｌｏｕｄ  Ｒａｄｉｏ  Ａｃｃｅｓｓ  Ｎｅｔｗｏｒｋ、略して「ＣＲＡＮ」）と称される。したがって、機器室の需要が減り、ネットワーク配置が容易かつ迅速に実行され得る。
【０００３】
事業者の敷設された光ファイバを使用し、ＣＲＡＮ配置の全体的な費用を低減すべく、事業者は、フロントホール（Ｆｒｏｎｔｈａｕｌ）に（通常はＯＴＮデバイスである）光伝送デバイスを導入し、局への既存の光ファイバを再利用し、これにより、全体的な費用を低減する。光伝送デバイスは通常二つ一組で配置される。すなわち、１つの光伝送デバイスが局側に配置され、これに対応して、１つの光伝送デバイスが中央機器室に配置される。
【０００４】
伝送デバイスが導入される前、無線周波ユニットとベースバンドユニットとの間のパスは次のようなものである。無線周波ユニット→無線周波ユニットの光モジュール→光ファイバ→ベースバンドユニットの光モジュール→ベースバンドユニット。通信障害が起きたとき、障害が発生した場所が判断される必要があり、遠隔の、段階を踏んだソフトループバック（ループバックの形成のためにはコマンド制御デバイスが使用される）などの障害位置特定手段が通常使用される。これらのオペレーションが実行される前、ループバック点間の接続関係を知っておく必要がある。
【０００５】
伝送デバイスが導入されるので、無線デバイスと伝送デバイスとの間のパスは次のようになる。無線周波ユニット→無線周波ユニットの光モジュール→無線周波側の、フィールド伝送デバイスの光モジュール→フィールド伝送デバイス→ベースバンド側の、フィールド伝送デバイスの光モジュール→光ファイバ→無線周波側の、機器室の伝送デバイスの光モジュール→機器室の伝送デバイス→ベースバンド側の、機器室の伝送デバイスの光モジュール→ベースバンドユニットの光モジュール→ベースバンドユニット。同様に、障害の位置を特定すべく、無線周波ユニットとフィールド伝送デバイスと機器室の伝送デバイスとベースバンドユニットとの間の正確な接続関係を知っておく必要がある。
【０００６】
転送ネットワークデバイスと無線デバイスとの間の、無線または伝送側の運用保守プラットフォームから取得されるポート接続関係は、実際は1つのタイプのＦｒｏｎｔｈａｕｌトポロジ情報である。現在、無線アクセスネットワークと転送ネットワークのどちらも、ベースバンドデバイスおよび無線周波デバイスのインタフェースの完全なトポロジを示す能力を有さない。先行技術が使用された場合、問題は構造図を使用することによってのみ解決され得る。しかしながら、構造図は電子化され得ず、査閲効率が極めて低く、構造図は容易に紛失する場合があり、適時に更新され得ない。その結果、無線周波デバイスに対してループバックオペレーションが実行される必要があるとき、ピアエンドの転送ネットワークポートさえ不明である。同様に、転送ネットワークポートに対してオペレーションが実行される必要があるとき、転送ネットワークポートに接続されている具体的な無線周波デバイスまたはベースバンドデバイスもまた不明である。
【０００７】
加えて、トポロジ接続関係を静的に示すべく、無線アクセスネットワーク側または転送ネットワーク側に構成が追加された場合、ベースバンドデバイスのポートと転送ネットワークデバイスのポートとの間の接続関係が構成される必要がある。既存の問題は、無線デバイスのシステムと転送ネットワークデバイスのシステムとが結合される必要がある点にある。実際はこの構成は実行が困難であり、構成の正確さを継続的に確保するのが困難である。データ構成は、転送ネットワークデバイスおよび無線デバイスについて通常別々に実行されるので、データ構成の人員の協働が、間違いなく大幅にデバイス維持の困難さを増大させる。
【０００８】
トポロジ接続関係の静的構成データが、ネットワークの変更に応じて継続的に維持される必要がある一方で、ネットワークの調整はいつでも起き得、無線デバイスおよび伝送デバイスの両方が頻繁に調整されてよい。継続的な構成および維持オペレーションにおいて、いずれの過失も実際のトポロジおよび構成データの不一致を引き起こし得る。より重要なことに、構成された接続情報の正確さは、デバイスによってチェックされ得ない。これは誤りの特定が困難であることを意味し、ついにはネットワーク障害が起き得る。
【発明の概要】
【０００９】
本発明の実施形態が、フロントホールトポロジを探索するための方法および装置を提供し、これにより、無線デバイスと転送ネットワークデバイスとの間のトポロジについての情報が正確に取得される。
【００１０】
第１態様によると、フロントホールトポロジを探索するための方法が提供される。当該方法は、送信元経路探索フレームを転送ネットワークの第１の転送ネットワークデバイスにベースバンドデバイスが送信する段階であって、送信元経路探索フレームは、転送ネットワークを使用することによって無線周波デバイスに送信される、段階と、第１の転送ネットワークデバイスによって送信される宛先経路探索フレームをベースバンドデバイスが受信する段階であって、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す、段階と、宛先経路探索フレームにしたがって探索情報をベースバンドデバイスが決定する段階であって、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す、段階と、探索情報をエレメント管理システムＥＭＳにベースバンドデバイスが送信する段階とを備える。
【００１１】
第１態様に関連して、第１態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００１２】
第１態様、および第１態様の前述の実装例に関連して、第１態様の別の実装例において、探索情報は、ベースバンドデバイスのポート情報、第１のポート情報、および第２のポート情報を備え、ベースバンドデバイスのポート情報は、ベースバンドデバイスの目標ポートを示す。
【００１３】
第１態様、および第１態様の前述の実装例に関連して、第１態様の別の実装例において、探索結果は無線周波デバイスのポート情報を含み、無線周波デバイスのポート情報は、無線周波デバイスの出力ポートを示す。
【００１４】
第１態様、および第１態様の前述の実装例に関連して、第１態様の別の実装例において、送信元経路探索フレームはベースバンドデバイスのポート情報を備え、ベースバンドデバイスのポート情報は、ベースバンドデバイスの目標ポートを示す。
【００１５】
第１態様、および第１態様の前述の実装例に関連して、第１態様の別の実装例において、送信元経路探索フレームはさらに、無線周波デバイスのポート情報を備え、無線周波デバイスのポート情報は、無線周波デバイスの出力ポートを示す。
【００１６】
第１態様、および第１態様の前述の実装例に関連して、第１態様の別の実装例において、宛先経路探索フレームはさらに、無線周波デバイスのポート情報を備え、無線周波デバイスのポート情報は、無線周波デバイスの出力ポートを示す。
【００１７】
第１態様、および第１態様の前述の実装例に関連して、第１態様の別の実装例において、当該方法はさらに、ＥＭＳによって送信される指示メッセージをベースバンドデバイスが受信する段階であって、指示メッセージは、送信元経路探索フレームを送信するようベースバンドデバイスに命令するために使用される、段階を備える。
【００１８】
第２態様によると、フロントホールトポロジを探索するための方法が提供される。当該方法は、ベースバンドデバイスによって送信される送信元経路探索フレームを転送ネットワークの第１の転送ネットワークデバイスが受信する段階であって、送信元経路探索フレームは、転送ネットワークを使用することによって無線周波デバイスに送信される、段階と、第１の経路探索フレームを取得すべく、送信元経路探索フレームに第１のポート情報を第１の転送ネットワークデバイスが記録する段階であって、第１のポート情報は、ベースバンドデバイスの目標ポートに接続された、第１の転送ネットワークデバイスの入力ポートを示す、段階と、第１の経路探索フレームを転送ネットワークの第２の転送ネットワークデバイスに第１の転送ネットワークデバイスが送信する段階と、第２の転送ネットワークデバイスによって送信される宛先経路探索フレームを第１の転送ネットワークデバイスが受信する段階であって、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す、段階と、宛先経路探索フレームをベースバンドデバイスに第１の転送ネットワークデバイスが送信する段階とを備える。
【００１９】
第２態様に関連して、第２態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００２０】
第２態様、および第２態様の前述の実装例に関連して、第２態様の別の実装例において、送信元経路探索フレームはベースバンドデバイスのポート情報を備え、ベースバンドデバイスのポート情報は、ベースバンドデバイスの目標ポートを示す。
【００２１】
第２態様、および第２態様の前述の実装例に関連して、第２態様の別の実装例において、送信元経路探索フレームはさらに無線周波デバイスのポート情報を備え、無線周波デバイスのポート情報は、無線周波デバイスの受信ポートを示す。
【００２２】
第２態様、および第２態様の前述の実装例に関連して、第２態様の別の実装例において、宛先経路探索フレームは無線周波デバイスのポート情報を保持し、無線周波デバイスのポート情報は、無線周波デバイスの受信ポートを示す。
【００２３】
第３態様によると、フロントホールトポロジを探索するための方法が提供される。当該方法は、無線送信デバイスによって送信される経路探索フレームを転送ネットワークの転送ネットワークデバイスが受信する段階であって、経路探索フレームは無線送信デバイスの送信ポート情報を備え、送信ポート情報は、転送ネットワークデバイスの入力ポートに接続された、無線送信デバイスの送信ポートを示す、段階と、経路探索フレームにしたがって、探索情報をエレメント管理システムＥＭＳに転送ネットワークデバイスが送信する段階であって、探索情報は、転送ネットワークデバイスの入力ポートに接続された、無線送信デバイスの送信ポートを示すために使用される、段階とを備える。
【００２４】
第３態様に関連して、第３態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００２５】
第３態様、および第３態様の前述の実装例に関連して、第３態様の別の実装例において、探索情報は送信ポート情報および転送ネットワークデバイスの入力ポート情報を備え、入力ポート情報は、転送ネットワークデバイスの入力ポートを示す。
【００２６】
第３態様、および第３態様の前述の実装例に関連して、第３態様の別の実装例において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、転送ネットワークデバイスの作動状態のうちの少なくとも１つを含む。
【００２７】
第３態様、および第３態様の前述の実装例に関連して、第３態様の別の実装例において、経路探索フレームはさらに、無線送信デバイスに対応する無線受信デバイスの受信ポート情報を備え、受信ポート情報は、無線受信デバイスの受信ポートを示す。
【００２８】
第３態様、および第３態様の前述の実装例に関連して、第３態様の別の実装例において、探索情報は受信ポート情報を備える。
【００２９】
第３態様、および第３態様の前述の実装例に関連して、第３態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００３０】
第３態様、および第３態様の前述の実装例に関連して、第３態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００３１】
第４態様によると、フロントホールトポロジを探索するための方法が提供される。当該方法は、経路探索フレームを無線送信デバイスが生成する段階であって、経路探索フレームは、無線送信デバイスの送信ポート情報を備え、送信ポート情報は、転送ネットワークデバイスに接続された、無線送信デバイスの送信ポートを示す、段階と、経路探索フレームを転送ネットワークデバイスに無線送信デバイスが送信する段階とを備える。
【００３２】
第４態様に関連して、第４態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００３３】
第４態様、および第４態様の前述の実装例に関連して、第４態様の別の実装例において、経路探索フレームはさらに、無線送信デバイスに対応する無線受信デバイスの受信ポート情報を備え、受信ポート情報は、無線受信デバイスの受信ポートを示す。
【００３４】
第４態様、および第４態様の前述の実装例に関連して、第４態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００３５】
第４態様、および第４態様の前述の実装例に関連して、第４態様の別の実装例において、当該方法はさらに、エレメント管理システムＥＭＳによって送信される指示情報を無線送信デバイスが受信する段階であって、指示情報は、経路探索フレームを送信するようベースバンドデバイスに命令するために使用される、段階を備える。
【００３６】
第４態様、および第４態様の前述の実装例に関連して、第４態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００３７】
第５態様によると、ベースバンドデバイスが提供される。ベースバンドデバイスは、送信元経路探索フレームを転送ネットワークの第１の転送ネットワークデバイスに送信するよう構成される第１の送信モジュールであって、送信元経路探索フレームは、転送ネットワークを使用することによって無線周波デバイスに送信される、第１の送信モジュールと、第１の転送ネットワークデバイスによって送信される宛先経路探索フレームを受信するよう構成される第１の受信モジュールであって、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す、第１の受信モジュールと、宛先経路探索フレームにしたがって探索情報を決定するよう構成される決定モジュールであって、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す、決定モジュールと、探索情報をエレメント管理システムＥＭＳに送信するよう構成される第２の送信モジュールとを備える。
【００３８】
第５態様に関連して、第５態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００３９】
第５態様、および第５態様の前述の実装例に関連して、第５態様の別の実装例において、探索情報は、ベースバンドデバイスのポート情報、第１のポート情報、および第２のポート情報を備え、ベースバンドデバイスのポート情報は、ベースバンドデバイスの目標ポートを示す。
【００４０】
第５態様、および第５態様の前述の実装例に関連して、第５態様の別の実装例において、探索結果は無線周波デバイスのポート情報を含み、無線周波デバイスのポート情報は、無線周波デバイスの出力ポートを示す。
【００４１】
第５態様、および第５態様の前述の実装例に関連して、第５態様の別の実装例において、送信元経路探索フレームはベースバンドデバイスのポート情報を備え、ベースバンドデバイスのポート情報は、ベースバンドデバイスの目標ポートを示す。
【００４２】
第５態様、および第５態様の前述の実装例に関連して、第５態様の別の実装例において、送信元経路探索フレームはさらに無線周波デバイスのポート情報を備え、無線周波デバイスのポート情報は、無線周波デバイスの出力ポートを示す。
【００４３】
第５態様、および第５態様の前述の実装例に関連して、第５態様の別の実装例において、宛先経路探索フレームはさらに無線周波デバイスのポート情報を備え、無線周波デバイスのポート情報は、無線周波デバイスの出力ポートを示す。
【００４４】
第５態様、および第５態様の前述の実装例に関連して、第５態様の別の実装例において、ベースバンドデバイスはさらに、ＥＭＳによって送信される指示メッセージを受信するよう構成される第２の受信モジュールであって、指示メッセージは、送信元経路探索フレームを送信するようベースバンドデバイスに命令するために使用される、第２の受信モジュールを備える。
【００４５】
第６態様によると、ベースバンドデバイスが提供される。当該ベースバンドデバイスは、ベースバンドデバイスによって送信される送信元経路探索フレームを受信するよう構成される第１の受信モジュールであって、送信元経路探索フレームは、転送ネットワークを使用することによって無線周波デバイスに送信される、第１の受信モジュールと、第１の経路探索フレームを取得すべく、送信元経路探索フレームに第１のポート情報を記録するよう構成される処理モジュールであって、第１のポート情報は、ベースバンドデバイスの目標ポートに接続された、第１の転送ネットワークデバイスの入力ポートを示す、処理モジュールと、第１の経路探索フレームを転送ネットワークの第２の転送ネットワークデバイスに送信するよう構成される第１の送信モジュールと、第２の転送ネットワークデバイスによって送信される宛先経路探索フレームを受信するよう構成される第２の受信モジュールであって、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す、第２の受信モジュールと、宛先経路探索フレームをベースバンドデバイスに送信するよう構成される第２の送信モジュールとを備える。
【００４６】
第６態様に関連して、第６態様の一実装例において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含み、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または、第２の転送ネットワークデバイスの作動状態のうちの少なくとも１つを含む。
【００４７】
第６態様、および第６態様の前述の実装例に関連して、第６態様の別の実装例において、送信元経路探索フレームはベースバンドデバイスのポート情報を備え、ベースバンドデバイスのポート情報は、ベースバンドデバイスの目標ポートを示す。
【００４８】
第６態様、および第６態様の前述の実装例に関連して、第６態様の別の実装例において、送信元経路探索フレームはさらに無線周波デバイスのポート情報を備え、無線周波デバイスのポート情報は、無線周波デバイスの受信ポートを示す。
【００４９】
第６態様、および第６態様の前述の実装例に関連して、第６態様の別の実装例において、宛先経路探索フレームは無線周波デバイスのポート情報を保持し、無線周波デバイスのポート情報は、無線周波デバイスの受信ポートを示す。
【００５０】
第７態様によると、ベースバンドデバイスが提供される。当該ベースバンドデバイスは、無線送信デバイスによって送信される経路探索フレームを受信するよう構成される受信モジュールであって、経路探索フレームは無線送信デバイスの送信ポート情報を備え、送信ポート情報は、転送ネットワークデバイスの入力ポートに接続された、無線送信デバイスの送信ポートを示す、受信モジュールと、経路探索フレームにしたがって探索情報をエレメント管理システムＥＭＳに送信するよう構成される送信モジュールであって、探索情報は、無線送信デバイスの送信ポートが転送ネットワークデバイスの入力ポートに接続されていることを示すために使用される、送信モジュールとを備える。
【００５１】
第７態様に関連して、第７態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００５２】
第７態様、および第７態様の前述の実装例に関連して、第７態様の別の実装例において、探索情報は、送信ポート情報および転送ネットワークデバイスの入力ポート情報を備え、入力ポート情報は、転送ネットワークデバイスの入力ポートを示す。
【００５３】
第７態様、および第７態様の前述の実装例に関連して、第７態様の別の実装例において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、転送ネットワークデバイスの作動状態のうちの少なくとも１つを備える。
【００５４】
第７態様、および第７態様の前述の実装例に関連して、第７態様の別の実装例において、経路探索フレームはさらに、無線送信デバイスに対応する無線受信デバイスの受信ポート情報を備え、受信ポート情報は、無線受信デバイスの受信ポートを示す。
【００５５】
第７態様、および第７態様の前述の実装例に関連して、第７態様の別の実装例において、探索情報は受信ポート情報を備える。
【００５６】
第７態様、および第７態様の前述の実装例に関連して、第７態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００５７】
第７態様、および第７態様の前述の実装例に関連して、第７態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００５８】
第８態様によると、ベースバンドデバイスが提供される。当該ベースバンドデバイスは、経路探索フレームを生成するよう構成される生成モジュールであって、経路探索フレームは無線送信デバイスの送信ポート情報を備え、送信ポート情報は、転送ネットワークデバイスに接続された、無線送信デバイスの送信ポートを示す、生成モジュールと、経路探索フレームを転送ネットワークデバイスに送信するよう構成される送信モジュールとを備える。
【００５９】
第８態様に関連して、第８態様の一実装例において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または、無線送信デバイスの作動状態のうちの少なくとも１つを含む。
【００６０】
第８態様、および第８態様の前述の実装例に関連して、第８態様の別の実装例において、経路探索フレームはさらに、無線送信デバイスに対応する無線受信デバイス受信ポート情報を備え、受信ポート情報は、無線受信デバイスの受信ポートを示す。
【００６１】
第８態様、および第８態様の前述の実装例に関連して、第８態様の別の実装例において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または、無線受信デバイスの作動状態のうちの少なくとも１つを含む。
【００６２】
第８態様、および第８態様の前述の実装例に関連して、第８態様の別の実装例において、無線送信デバイスはさらに、エレメント管理システムＥＭＳによって送信される指示情報を受信するよう構成される受信モジュールであって、指示情報は、経路探索フレームを送信するようベースバンドデバイスに命令するために使用される、受信モジュールを含む。
【００６３】
第８態様、および第８態様の前述の実装例に関連して、第８態様の別の実装例において、無線送信デバイスはベースバンドデバイスであり、無線受信デバイスは無線周波デバイスであるか、または無線送信デバイスは無線周波デバイスであり、無線受信デバイスはベースバンドデバイスである。
【００６４】
前述の技術的解決手段に基づいて、本発明の実施形態における、フロントホールトポロジを探索するための方法および装置によると、無線送信デバイスはパスを探索するために使用される経路探索フレームを無線受信デバイスに送信し、これにより、経路探索フレームを受信する転送ネットワークデバイスは、経路探索フレームを受信する受信ポートを記録し、無線受信デバイスに接続された転送ネットワークデバイスは、送信ポートを記録し、経路探索フレームを無線送信デバイスに返す。次に、無線送信デバイスは、探索結果を無線ＥＭＳに報告し得、これにより、無線ＥＭＳは、探索結果にしたがって、無線デバイスと転送ネットワークデバイスとの間のトポロジについての情報を決定でき、様々なデバイスのポート間の接続関係を決定できる。
【図面の簡単な説明】
【００６５】
本発明の実施形態における技術的解決手段をより明確に説明すべく、本発明の実施形態を説明するために必要な添付図面を以下で簡潔に説明する。以下の説明における添付図面は、本発明のいくつかの実施形態を示しているに過ぎず、当業者であれば、創造的な努力なくこれらの添付図面から他の図面をさらに導き出し得ることは明らかである。
【００６６】
【図１】本発明の一実施形態に係る、フロントホールトポロジを探索するための方法の概略フローチャートである。
【００６７】
【図２】本発明の一実施形態に係る、フロントホールトポロジの概略図である。
【００６８】
【図３】本発明の一実施形態に係る、送信元経路探索の概略フローチャートである。
【００６９】
【図４】本発明の一実施形態に係る経路探索フレーム方法の概略フローチャートである。
【００７０】
【図５】本発明の一実施形態に係る別の経路探索フレームの概略フローチャートである。
【００７１】
【図６】本発明の一実施形態に係るさらに別の経路探索フレームの概略フローチャートである。
【００７２】
【図７】本発明の別の実施形態に係る、フロントホールトポロジを探索するための方法の概略フローチャートである。
【００７３】
【図８】本発明のさらに別の実施形態に係る、フロントホールトポロジを探索するための方法の概略フローチャートである。
【００７４】
【図９】本発明のさらに別の実施形態に係る、フロントホールトポロジを探索するための方法の概略フローチャートである。
【００７５】
【図１０】本発明のさらにまた別の実施形態に係る、フロントホールトポロジを探索するための方法の概略フローチャートである。
【００７６】
【図１１】本発明の一実施形態に係るベースバンドデバイスの概略ブロック図である。
【００７７】
【図１２】本発明の一実施形態に係る第１の転送ネットワークデバイスの概略ブロック図である。
【００７８】
【図１３】本発明の一実施形態に係る転送ネットワークデバイスの概略ブロック図である。
【００７９】
【図１４】本発明の一実施形態に係る無線送信デバイスの概略ブロック図である。
【００８０】
【図１５】本発明の別の実施形態に係るベースバンドデバイスの概略ブロック図である。
【００８１】
【図１６】本発明の別の実施形態に係る第１の転送ネットワークデバイスの概略ブロック図である。
【００８２】
【図１７】本発明の別の実施形態に係る転送ネットワークデバイスの概略ブロック図である。
【００８３】
【図１８】本発明の別の実施形態に係る無線送信デバイスの概略ブロック図である。
【発明を実施するための形態】
【００８４】
本発明の実施形態における添付図面に関連して、本発明の実施形態における技術的解決手段を以下で明確かつ十分に説明する。説明される実施形態が、本発明の実施形態の全部ではなく一部であることは明らかである。創造的な努力なく本発明の実施形態に基づいて当業者によって取得される他の全ての実施形態は、本発明の保護範囲内に当然に含まれる。
【００８５】
本発明の実施形態における技術的解決手段は、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎ、略して「ＧＳＭ（登録商標）」）システム、符号分割多重接続（Ｃｏｄｅ  Ｄｉｖｉｓｉｏｎ  Ｍｕｌｔｉｐｌｅ  Ａｃｃｅｓｓ、略して「ＣＤＭＡ」）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ（登録商標）」）システム、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）、ロングタームエボリューション（Ｌｏｎｇ  Ｔｅｒｍ  Ｅｖｏｌｕｔｉｏｎ、略して「ＬＴＥ」）システム、ＬＴＥ周波数分割複信（Fｒｅｑｕｅｎｃｙ  Ｄｉｖｉｓｉｏｎ  Ｄｕｐｌｅｘ、略して「ＦＤＤ」）システム、ＬＴＥ時分割複信（Ｔｉｍｅ  Ｄｉｖｉｓｉｏｎ  Ｄｕｐｌｅｘ、略して「ＴＤＤ」）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略して「ＵＭＴＳ」）、および、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略して「ＷｉＭａｘ」）通信システムなどの様々な通信システムに適用され得ることが理解されるべきである。
【００８６】
分散型基地局の無線周波ユニットとベースバンドユニットとは、通常、光ファイバまたはケーブルを使用することによって物理的に接続されており、サービスに関してＣＰＲＩプロトコルが使用されているので、敷設された事業者の光ファイバを使用し、ＣＲＡＮ配置の全体的な費用を低減すべく、事業者は、Ｆｒｏｎｔｈａｕｌプロセスに（通常はＯＴＮデバイスである）光伝送デバイスを導入し、局への既存の光ファイバを再利用し、これにより、全体的な費用を低減する。
【００８７】
伝送デバイスが導入された後、無線デバイスと伝送デバイスとの間のパスは次のようになる。無線周波ユニット→無線周波ユニットの光モジュール→無線周波側の、フィールド伝送デバイスの光モジュール→フィールド伝送デバイス→ベースバンド側の、フィールド伝送デバイスの光モジュール→光ファイバ→無線周波側の、機器室の伝送デバイスの光モジュール→機器室の伝送デバイス→ベースバンド側の、機器室の伝送デバイスの光モジュール→ベースバンドユニットの光モジュール→ベースバンドユニット。障害の位置を特定すべく、ループバックオペレーションが実行されて、障害がチェックされてよい。この場合、無線周波ユニットとフィールド伝送デバイスと機器室の伝送デバイスとベースバンドユニットとの間の正確な接続関係を知っておく必要がある。したがって、本発明の実施形態は、フロントホールトポロジを探索するための方法および装置を提供する。
【００８８】
具体的には、本発明の実施形態におけるフロントホールトポロジを探索するための方法は、フロントホールトポロジスキャンプロトコル（Ｆｒｏｎｔｈａｕｌ  Ｔｏｐｏｌｏｇｙ  Ｓｃａｎ  Ｐｒｏｔｏｃｏｌ、略して「ＦＴＳＰ」）と称されてよい。具体的には、探索方法によると、フロントホールトポロジスキャンプロトコルは、ＬＦＴＳＰ（ループバックＦＴＳＰ）とＳＦＴＳＰ（片方向ＦＴＳＰ）という２つのカテゴリに分割され得る。当該２つのカテゴリの各々の実施形態はさらに、自動オペレーションと手動オペレーションという２つのタイプに分割され得る。すなわち、合計して４つの方法があり、当該４つの方法は、それぞれＡＬＦＴＳＰ（自動ループバックＦＴＳＰ）、ＭＬＦＴＳＰ（手動ループバックＦＴＳＰ）、ＡＳＦＴＳＰ（自動片方向ＦＴＳＰ）、およびＭＳＦＴＳＰ（手動片方向ＦＴＳＰ）と称されてよい。
【００８９】
図１は、本発明の一実施形態に係る、フロントホールトポロジを探索するための方法１００の概略フローチャートを示す。方法１００はベースバンドデバイスによって実行されてよい。方法１００はＬＦＴＳＰ（ループバックＦＴＳＰ）と称されてよい。図１に示されているように、方法１００は以下の段階を備える。
【００９０】
Ｓ１１０．ベースバンドデバイスが、送信元経路探索フレームを転送ネットワークの第１の転送ネットワークデバイスに送信する。ここで、送信元経路探索フレームは、転送ネットワークを使用することによって無線周波デバイスに送信される。
【００９１】
Ｓ１２０．ベースバンドデバイスが、第１の転送ネットワークデバイスによって送信される宛先経路探索フレームを受信する。ここで、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す。
【００９２】
Ｓ１３０．ベースバンドデバイスが、宛先経路探索フレームにしたがって探索情報を決定する。ここで、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。
【００９３】
Ｓ１４０．ベースバンドデバイスが、探索情報をエレメント管理システムＥＭＳに送信する。
【００９４】
具体的には、フロントホールトポロジ情報を探索すべく、無線ＥＭＳは、トポロジ探索を周期的にまたはランダムに実行するようベースバンドデバイスに命令してよく、転送ネットワークデバイスを使用することによって、送信元経路探索フレームを無線周波デバイスに送信するようベースバンドデバイスに命令してよい。ベースバンドデバイスに接続された、転送ネットワークの第１の転送ネットワークデバイスは、送信元経路探索フレームを受信し、送信元経路探索フレームに第１のポート情報を記録する。第１のポート情報は、ベースバンドデバイスの目標ポートに接続された、第１の転送ネットワークデバイスの入力ポートを示す。送信元経路探索フレームは、転送ネットワークを使用することによって転送され続ける。送信元経路探索フレームが、無線周波デバイスに接続された第２の転送ネットワークデバイスに送信されるとき、第２の転送ネットワークデバイスは送信元経路探索フレームに第２のポート情報を記録する。第２のポート情報は、無線周波デバイスの受信ポートに接続された、第２の転送ネットワークデバイスの出力ポートを示す。第１のポート情報および第２のポート情報が送信元経路探索フレームに記録された後、宛先経路探索フレームが形成される。宛先経路探索フレームは、転送ネットワークを使用することによってベースバンドデバイスに返されてよい。ベースバンドデバイスは、宛先経路探索フレームにしたがって探索情報を決定する。探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。次に、決定された探索情報は無線ＥＭＳに送信され、これにより、無線ＥＭＳは、受信された探索情報にしたがって、ベースバンドデバイスと転送ネットワークと無線周波デバイスとの間のトポロジについての情報を決定できる。
【００９５】
したがって、本発明の本実施形態における、フロントホールトポロジを探索するための方法によると、ベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【００９６】
Ｓ１１０において、ベースバンドデバイスは送信元経路探索フレームを転送ネットワークの第１の転送ネットワークデバイスに送信する。ここで、送信元経路探索フレームは、転送ネットワークを使用することによって無線周波デバイスに送信される。送信元経路探索フレームは、フロントホール（Ｆｒｏｎｔｈａｕｌ）トポロジを探索するために、すなわち、ベースバンドデバイスと転送ネットワークと無線周波デバイスとの間の具体的な接続関係を探索するために使用される。具体的には、送信元経路探索フレームは、ベースバンドデバイスの任意のポートの接続関係を探索するために使用されてよい。任意選択で、送信元経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【００９７】
任意選択で、本発明の本実施形態において、送信元経路探索フレームは、ベースバンドデバイスのポート情報を備えてよい。ベースバンドデバイスのポート情報は、ベースバンドデバイスの目標ポートを示す。目標ポートは、ベースバンドデバイスの任意の検出対象のポートであってよい。例えば、図２に示されているように、ベースバンドデバイス１は複数のポートを備えてよく、目標ポートは、例えば、ポート５といったベースバンドデバイスの任意のポートであってよい。送信元経路探索フレームは、ベースバンドデバイス１のポート５を示すポート情報を備えてよく、送信元経路探索フレームは、ポート５と無線周波デバイスとの間のトポロジについての情報を探索するために使用される。図３に示されているように、送信元経路探索フレームは図３に示されていてよく、ベースバンドデバイスのポート情報は、送信元経路探索フレームのＦＬＡＧ（フラグ）フィールドに位置付けられてよい。しかしながら、本発明はこれに限定されない。
【００９８】
具体的には、ベースバンドデバイスのポート情報は、ベースバンドデバイスのデバイス識別子と、ベースバンドデバイスの目標ポートのポート番号とを含んでよい。目標ポートは、ポート情報にしたがって決定されてよい。任意選択で、ベースバンドデバイスのポート情報はさらに、ベースバンドデバイスのデバイスタイプ、目標ポートのサブラック番号、目標ポートのキャビネット番号、目標ポートのスロット番号、またはベースバンドデバイスの作動状態のうちの１または複数を含んでよい。本発明はこれに限定されない。
【００９９】
任意選択で、本発明の本実施形態において、送信元経路探索フレームはさらに、無線周波デバイスのポート情報を備えてよい。無線周波デバイスのポート情報は、ベースバンドデバイスの検出対象の目標ポートに対応する、無線周波デバイスの受信ポートを示す。例えば、図２に示されているように、ベースバンドデバイス１のポート５が検出される。すなわち、目標ポートはポート５である。目標ポートに対応するポートは、無線周波デバイス１のポート０であってよい。送信元経路探索フレームは、ベースバンドデバイスの目標ポート５を示すポート情報を備えてよく、さらに、無線周波デバイス１のポート０を示すポート情報を備えてよい。これにより、転送ネットワークのデバイスは、受信された送信元経路探索フレームにしたがって送信元経路探索フレームを無線周波デバイスに送信してよい。図３に示されているように、送信元経路探索フレームは図３に示されていてよく、無線周波デバイスのポート情報は、ＦＬＡＧ（フラグ）フィールドに位置付けられてよい。しかしながら、本発明はこれに限定されない。
【０１００】
具体的には、無線周波デバイスのポート情報は、無線周波デバイスのデバイス識別子と無線周波デバイスの受信ポートのポート番号とを含んでよい。ここで、無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１０１】
本発明の本実施形態において、ベースバンドデバイスは、送信元経路探索フレームを転送ネットワークに送信する。任意選択で、例えば無線ＥＭＳといった、基地局の管理ツールが指示情報をベースバンドデバイスに送信してよい。指示情報は、送信元経路探索フレームを転送ネットワークに送信するようベースバンドデバイスに命令するために使用される。この方法において、いつでもフロントホールトポロジが探索されてよく、無線ＥＭＳは、探索を実行するようベースバンドデバイスに任意の時点で命令する。この方法は、ＭＬＦＴＳＰ（手動ループバックＦＴＳＰ）と称されてよい。任意選択で、ベースバンドデバイスは、送信元経路探索フレームを周期的に送信するよう設定されてよい。例えば、ベースバンドデバイスは、５時間ごとに送信元経路探索フレームを送信するよう設定されてよい。この方法は、ＡＬＦＴＳＰ（自動ループバックＦＴＳＰ）と称されてよい。本発明はこれに限定されない。
【０１０２】
Ｓ１２０において、ベースバンドデバイスは、第１の転送ネットワークデバイスによって送信される宛先経路探索フレームを受信する。宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成される。すなわち、宛先経路探索フレームは、第１の転送ネットワークデバイスが送信元経路探索フレームに第１のポート情報を記録し、かつ第２の転送ネットワークデバイスが送信元経路探索フレームに第２のポート情報を記録した後に取得される。第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す。
【０１０３】
本発明の本実施形態において、ベースバンドデバイスは、転送ネットワークの転送ネットワークデバイスを使用することによって、送信元経路探索フレームを無線周波デバイスに送信する。送信元経路探索フレームが第１の転送ネットワークデバイスを通るとき、第１の転送ネットワークデバイスは、送信元経路探索フレームに第１のポート情報を記録する。具体的には、送信元経路探索フレームが転送ネットワークの第１の転送ネットワークデバイスを通るとき、第１の経路探索フレームを取得すべく、第１の転送ネットワークデバイスの第１のポート情報が記録される。第１の転送ネットワークデバイスは、ベースバンドデバイスに接続されている。第１のポート情報は、第１の転送ネットワークデバイスの入力ポートを示す。当該入力ポートは、ベースバンドデバイスの目標ポートに接続されている。例えば、図２に示されているように、ベースバンドデバイス１のポート５は送信元経路探索フレームを送信し、第１の転送ネットワークデバイス、すなわち、図２の転送ネットワークデバイス１は、送信元経路探索フレームを受信し、第１の経路探索フレームを取得すべく、送信元経路探索フレームに入力ポート４のポート情報を記録する。
【０１０４】
任意選択で、本発明の本実施形態において、第１のポート情報は、第１の転送ネットワークデバイスのデバイス識別子と、第１の転送ネットワークデバイスの入力ポートのポート番号とを含んでよい。任意選択で、第１のポート情報はさらに、第１の転送ネットワークデバイスのデバイスタイプ、第１の転送ネットワークデバイスの入力ポートが位置付けられているサブラックの番号、第１の転送ネットワークデバイスの入力ポートが位置付けられているキャビネットの番号、第１の転送ネットワークデバイスの入力ポートが位置付けられているスロットの番号、または、第１の転送ネットワークデバイスの作動状態のうちの１または複数を含んでよい。本発明はこれに限定されない。具体的には、図３に示されているように、第１のポート情報は探索フィールドに位置付けられてよい。図４は例として使用されてよい。探索フィールドは具体的に、符号化タイプ、第１の転送ネットワークデバイスのデバイス識別子ＩＤ、キャビネット番号、サブラック番号、スロット番号、ポート番号、および作動状態を含んでよい。第１の転送ネットワークデバイスが入力ポートのポート情報を送信元経路探索フレームの探索フィールドに追加した後、第１の経路探索フレームは取得される。第１の経路探索フレームは第１のポート情報を保持する。
【０１０５】
本発明の本実施形態において、第１の経路探索フレームは、第１の転送ネットワークデバイスが送信元経路探索フレームに第１のポート情報を記録した後に取得される。第１の経路探索フレームは、次のレベルの転送ネットワークデバイスに送信され続ける。第１の経路探索フレームを受信する転送ネットワークデバイスは、ポート情報を第１の経路探索フレームに追加し続けてよく、例えば、新しい探索フィールドを追加し続け、ポート情報を新しい探索フィールドに追加してよい。ポート情報は、第１の転送ネットワークデバイスの後に位置付けられる、第１の経路探索フレームが通る各転送ネットワークデバイスのポートのポート情報を含んでよい。任意選択で、転送ネットワークデバイスのエレメント管理システムＥＭＳは転送ネットワークのデバイス間のトポロジについての情報を取得してよいので、転送ネットワークの転送ネットワークデバイスは、第１の経路探索フレームにポート情報を記録しなくてよく、再書き込みまたは追加をすることなく、受信された第１の経路探索フレームを転送してよい。しかしながら、本発明はこれに限定されない。
【０１０６】
本発明の本実施形態において、ベースバンドデバイスは、転送ネットワークの転送ネットワークデバイスを使用することによって、送信元経路探索フレームを無線周波デバイスに送信する。第１の経路探索フレームは、第１の転送ネットワークデバイスが送信元経路探索フレームに第１のポート情報を記録した後に取得される。第１の経路探索フレームは、第１の経路探索フレームが転送ネットワークの第２の転送ネットワークデバイスに送信されるまで、転送ネットワークにおいて転送される。第２の転送ネットワークデバイスは無線周波デバイスに直接接続されている。第２の転送ネットワークデバイスは、第２の経路探索フレームを取得すべく、第１の経路探索フレームに第２の転送ネットワークデバイスの第２のポート情報を記録する。第２の転送ネットワークデバイスは、無線周波デバイスに接続されている。第２のポート情報は、第２の転送ネットワークデバイスの出力ポートを示す。出力ポートは、無線周波デバイスの受信ポートに接続されている。例えば、図２に示されているように、無線周波デバイスに接続された転送ネットワークデバイスが転送ネットワークデバイス２である場合、第１の経路探索フレームを受信した後、転送ネットワークデバイス２は第１の経路探索フレームにポート７のポート情報を記録する。ポート７は、無線周波デバイスのポート０に接続されている。
【０１０７】
任意選択で、本発明の本実施形態において、第２のポート情報は、第２の転送ネットワークデバイスのデバイス識別子と、第２の転送ネットワークデバイスの出力ポートのポート番号とを含んでよい。任意選択で、第２のポート情報はさらに、第２の転送ネットワークデバイスのデバイスタイプ、第２の転送ネットワークデバイスの出力ポートが位置付けられているサブラックの番号、第２の転送ネットワークデバイスの出力ポートが位置付けられてえるキャビネットの番号、第２の転送ネットワークデバイスの出力ポートが位置付けられているスロットの番号、または、第２の転送ネットワークデバイスの作動状態のうちの１または複数を含んでよい。本発明はこれに限定されない。具体的には、第１の経路探索フレームに新しい探索フィールドが追加されてよい。例えば、図５に示されているように、図５は第２の経路探索フレームを示す。探索フィールド１が、第１のポート情報を保持してよい。第２のポート情報は、新たに追加された探索フィールド２に位置付けられてよい。探索フィールドについては、図４も例として使用されてよい。探索フィールド２は具体的に、符号化タイプ、第２の転送ネットワークデバイスのデバイス識別子ＩＤ、キャビネット番号、サブラック番号、スロット番号、ポート番号、および作動状態を含んでよい。第２の転送ネットワークデバイスが出力ポートのポート情報を第１の経路探索フレームの探索フィールドに追加した後、すなわち、探索フィールドが第１のポート情報および第２のポート情報を含み得て、第２の経路探索フレームは取得される。
【０１０８】
本発明の本実施形態において、第１の経路探索フレームは、第１の転送ネットワークデバイスが送信元経路探索フレームに第１のポート情報を記録した後に取得される。第２の経路探索フレームは、第２の転送ネットワークデバイスが第１の経路探索フレームの第２のポート情報を記録した後に取得される。この場合、第２の転送ネットワークデバイスの次のレベルのデバイスは無線周波デバイスである。ベースバンドデバイスによって送信される送信元経路探索フレームが無線周波デバイスの受信ポートのポート情報を保持する場合、次のレベルのデバイスが無線周波デバイスであると検出したとき、第２の転送ネットワークデバイスは、第２の経路探索フレームを返してよく、第２の経路探索フレームを宛先経路探索フレームとして決定してよい。宛先経路探索フレームは、第１のポート情報および第２のポート情報を備え、宛先経路探索フレームは、転送ネットワークデバイスによる転送の後にベースバンドデバイスに返される。
【０１０９】
任意選択で、本発明の本実施形態において、ベースバンドデバイスによって送信される送信元経路探索フレームが無線周波デバイスの受信ポートのポート情報を保持しているとしても、次のレベルのデバイスが無線周波デバイスであると検出した後、第２の転送ネットワークデバイスは依然として、第２の経路探索フレームを無線周波デバイスに送信し続けてよい。あるいは、ベースバンドデバイスによって送信される送信元経路探索フレームが無線周波デバイスの受信ポートのポート情報を保持しない場合、第２の転送ネットワークデバイスはまた、第２の経路探索フレームを無線周波デバイスに送信し続けてよい。無線周波デバイスが第２の経路探索フレームを受信した後、無線周波デバイスは、宛先経路探索フレームを取得すべく、第２の経路探索フレームに受信ポートのポート情報を記録する。無線周波デバイスのポート情報は、無線周波デバイスの受信ポートを示す。無線周波デバイスの受信ポートは、第２の転送ネットワークデバイスの出力ポートに接続されている。
【０１１０】
任意選択で、本発明の本実施形態において、無線周波デバイスのポート情報は、無線周波デバイスのデバイス識別子と無線周波デバイスの受信ポートのポート番号とを含んでよい。無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。具体的には、第２の経路探索フレームに新しい探索フィールドが追加されてよい。新たに追加された探索フィールドは、無線周波デバイスのポート情報を記録するために使用される。図６に示されているように、図６は宛先経路探索フレームを示す。宛先経路探索フレームの探索フィールド１が第１のポート情報を保持してよく、第２のポート情報は探索フィールド２に位置付けられてよく、無線周波デバイスの受信ポート情報は、探索フィールド３に追加されてよい。探索フィールド３の具体的な形態については、図４も例として使用されてよい。探索フィールド３は具体的に、符号化タイプ、無線周波デバイスのデバイス識別子ＩＤ、キャビネット番号、サブラック番号、スロット番号、ポート番号、および作動状態を含んでよい。無線周波デバイスの受信ポートのポート情報が第２の経路探索フレームの探索フィールドに追加された後、すなわち、宛先経路探索フレームの探索フィールドが第１のポート情報、第２のポート情報、および無線周波デバイスのポート情報を含み得る。本発明の本実施形態において、無線周波デバイスは、転送ネットワークの転送ネットワークデバイスを使用することによって、決定された宛先経路探索フレームをベースバンドデバイスに返してよい。
【０１１１】
Ｓ１３０において、ベースバンドデバイスは、宛先経路探索フレームにしたがって探索情報を決定する。ここで、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。具体的には、ベースバンドデバイスは、転送ネットワークから返された宛先経路探索フレーム内の第１のポート情報および第２のポート情報にしたがって、探索情報を決定してよい。探索情報は、ベースバンドデバイスの目標ポートのポート情報、第１の転送ネットワークデバイスの第１のポート情報、および第２の転送ネットワークデバイスの第２のポート情報を備えてよい。任意選択で、探索情報はさらに、ベースバンドデバイスに対応する無線周波デバイスの受信ポートのポート情報を備えてよい。
【０１１２】
Ｓ１４０において、ベースバンドデバイスは探索情報をエレメント管理システムＥＭＳに送信し、これにより、ＥＭＳは、探索情報にしたがって、ベースバンドデバイスと転送ネットワークと無線周波デバイスとの間のトポロジについての情報を決定してよい。具体的には、ＥＭＳは、ベースバンドデバイスおよび無線周波デバイスに接続された無線ＥＭＳであってよい。無線ＥＭＳは、探索情報を受信し、探索情報内のベースバンドデバイスの目標ポートのポート情報、第１のポート情報、第２のポート情報、および無線周波デバイスの受信ポートのポート情報にしたがって、ベースバンドデバイスの目標ポートが第１の転送ネットワークデバイスの入力ポートに接続され、第２の転送ネットワークデバイスの出力ポートが無線周波デバイスに接続されていると決定してよい。無線ＥＭＳは、少なくとも１つのベースバンドデバイスの複数のポートの探索情報を受信し、各ポートの探索情報にしたがって、各ポートと、対応する転送ネットワークデバイスと、無線周波デバイスとの間の接続関係を決定し、当該接続関係にしたがって、ベースバンドデバイスと転送ネットワークデバイスと無線周波デバイスと間のトポロジについての情報を決定してよい。
【０１１３】
したがって、本発明の本実施形態における、フロントホールトポロジを探索するための方法によると、ベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１１４】
前述のものは、図１から図６に関連してベースバンドデバイスの観点から、本発明の実施形態に係る、フロントホールトポロジを探索するための方法を詳細に説明したものである。以下では、図７に関連して転送ネットワークデバイスの観点から、本発明の一実施形態に係る、フロントホールトポロジを探索するための方法を説明する。
【０１１５】
図７は、本発明の一実施形態に係る、フロントホールトポロジを探索するための方法２００の概略フローチャートを示す。方法２００は、転送ネットワークの第１の転送ネットワークデバイスによって実行されてよい。ここで、第１の転送ネットワークデバイスはベースバンドデバイスに接続されている。図７に示されているように、方法２００は以下の段階を含む。
【０１１６】
Ｓ２１０．転送ネットワークの第１の転送ネットワークデバイスが、ベースバンドデバイスによって送信される送信元経路探索フレームを受信する。ここで、送信元経路探索フレームは、転送ネットワークを使用することによって無線周波デバイスに送信される。
【０１１７】
Ｓ２２０．第１の経路探索フレームを取得すべく、第１の転送ネットワークデバイスが、送信元経路探索フレームに第１のポート情報を記録する。ここで、第１のポート情報は、ベースバンドデバイスの目標ポートに接続された、第１の転送ネットワークデバイスの入力ポートを示す。
【０１１８】
Ｓ２３０．第１の転送ネットワークデバイスが、第１の経路探索フレームを転送ネットワークの第２の転送ネットワークデバイスに送信する。
【０１１９】
Ｓ２４０．第１の転送ネットワークデバイスが、第２の転送ネットワークデバイスによって送信される宛先経路探索フレームを受信する。ここで、宛先経路探索フレームは、第２の転送ネットワークデバイスが第１の経路探索フレームに第２のポート情報を記録した後に形成され、宛先経路探索フレームは、第１のポート情報および第２のポート情報を保持し、第２のポート情報は、無線周波デバイスの受信ポートに接続された、第２の転送ネットワークデバイスの出力ポートを示す。
【０１２０】
Ｓ２５０．第１の転送ネットワークデバイスが、宛先経路探索フレームをベースバンドデバイスに送信する。
【０１２１】
したがって、本発明の本実施形態における、フロントホールトポロジを探索するための方法によると、ベースバンドデバイスに接続された、転送ネットワークの第１の転送ネットワークデバイスは、ベースバンドデバイスによって送信される送信元経路探索フレームを受信し、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０１２２】
Ｓ２１０において、転送ネットワークの第１の転送ネットワークデバイスは、ベースバンドデバイスによって送信される送信元経路探索フレームを受信する。送信元経路探索フレームは、転送ネットワークを使用することによって無線周波デバイスに送信される。送信元経路探索フレームは、ベースバンドデバイスと転送ネットワークデバイスと無線周波デバイスとの間のトポロジについての情報を探索するために使用される。具体的には、送信元経路探索フレームは、ベースバンドデバイスの任意のポートの接続関係を探索するために使用されてよい。任意選択で、送信元経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【０１２３】
任意選択で、本発明の本実施形態において、送信元経路探索フレームは、ベースバンドデバイスのポート情報を備えてよい。ベースバンドデバイスのポート情報は、ベースバンドデバイスの目標ポートを示す。目標ポートは、ベースバンドデバイスの任意の検出対象のポートであってよい。例えば、図２に示されているように、ベースバンドデバイス１は複数のポートを備えてよく、目標ポートは、例えば、ポート５といったベースバンドデバイスの任意のポートであってよい。送信元経路探索フレームは、ベースバンドデバイス１のポート５を示すポート情報を備えてよく、送信元経路探索フレームは、ポート５と無線周波デバイスとの間のトポロジについての情報を探索するために使用される。図３に示されているように、送信元経路探索フレームは図３に示されていてよく、ベースバンドデバイスのポート情報は、送信元経路探索フレームのＦＬＡＧ（フラグ）フィールドに位置付けられてよい。しかしながら、本発明はこれに限定されない。
【０１２４】
具体的には、ベースバンドデバイスのポート情報は、ベースバンドデバイスのデバイス識別子と、ベースバンドデバイスの目標ポートのポート番号とを含んでよい。目標ポートは、ポート情報にしたがって決定されてよい。任意選択で、ベースバンドデバイスのポート情報はさらに、ベースバンドデバイスのデバイスタイプ、目標ポートのサブラック番号、目標ポートのキャビネット番号、目標ポートのスロット番号、またはベースバンドデバイスの作動状態のうちの１または複数を含んでよい。本発明はこれに限定されない。
【０１２５】
任意選択で、本発明の本実施形態において、送信元経路探索フレームはさらに、無線周波デバイスのポート情報を備えてよい。無線周波デバイスのポート情報は、ベースバンドデバイスの検出対象の目標ポートに対応する、無線周波デバイスの受信ポートを示す。例えば、図２に示されているように、ベースバンドデバイス１のポート５が検出される。すなわち、目標ポートはポート５である。目標ポートに対応するポートは、無線周波デバイス１のポート０であってよい。送信元経路探索フレームは、ベースバンドデバイスの目標ポート５を示すポート情報を備えてよく、さらに、無線周波デバイス１のポート０を示すポート情報を備えてよい。これにより、転送ネットワークのデバイスは、受信された送信元経路探索フレームにしたがって送信元経路探索フレームを無線周波デバイスに送信してよい。図３に示されているように、送信元経路探索フレームは図３に示されていてよく、無線周波デバイスのポート情報は、ＦＬＡＧ（フラグ）フィールドに位置付けられてよい。しかしながら、本発明はこれに限定されない。
【０１２６】
具体的には、無線周波デバイスのポート情報は、無線周波デバイスのデバイス識別子と無線周波デバイスの受信ポートのポート番号とを含んでよい。ここで、無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１２７】
Ｓ２２０において、第１の転送ネットワークデバイスは、第１の経路探索フレームを取得すべく、送信元経路探索フレームに第１のポート情報を記録する。ここで、第１のポート情報は、ベースバンドデバイスの目標ポートに接続された、第１の転送ネットワークデバイスの入力ポートを示す。具体的には、送信元経路探索フレームが転送ネットワークの第１の転送ネットワークデバイスを通るとき、第１の経路探索フレームを取得すべく、第１の転送ネットワークデバイスの第１のポート情報が記録される。第１の転送ネットワークデバイスは、ベースバンドデバイスに接続されている。第１のポート情報は、第１の転送ネットワークデバイスの入力ポートを示す。当該入力ポートは、ベースバンドデバイスの目標ポートに接続されている。例えば、図２に示されているように、ベースバンドデバイス１のポート５は送信元経路探索フレームを送信し、第１の転送ネットワークデバイス、すなわち、図２の転送ネットワークデバイス１は、送信元経路探索フレームを受信し、第１の経路探索フレームを取得すべく、送信元経路探索フレームに入力ポート４のポート情報を記録する。
【０１２８】
任意選択で、本発明の本実施形態において、第１のポート情報は、第１の転送ネットワークデバイスのデバイス識別子と、第１の転送ネットワークデバイスの入力ポートのポート番号とを含んでよい。任意選択で、第１のポート情報はさらに、第１の転送ネットワークデバイスのデバイスタイプ、第１の転送ネットワークデバイスの入力ポートが位置付けられているサブラックの番号、第１の転送ネットワークデバイスの入力ポートが位置付けられているキャビネットの番号、第１の転送ネットワークデバイスの入力ポートが位置付けられているスロットの番号、または、第１の転送ネットワークデバイスの作動状態のうちの１または複数を含んでよい。本発明はこれに限定されない。具体的には、図３に示されているように、第１のポート情報は探索フィールドに位置付けられてよい。図４は例として使用されてよい。探索フィールドは具体的に、符号化タイプ、第１の転送ネットワークデバイスのデバイス識別子ＩＤ、キャビネット番号、サブラック番号、スロット番号、ポート番号、および作動状態を含んでよい。第１の転送ネットワークデバイスが入力ポートのポート情報を送信元経路探索フレームの探索フィールドに追加した後、第１の経路探索フレームは取得される。第１の経路探索フレームは第１のポート情報を保持する。
【０１２９】
Ｓ２３０において、第１の転送ネットワークデバイスは、第１の経路探索フレームを転送ネットワークの第２の転送ネットワークデバイスに送信し、これにより、第２の転送ネットワークデバイスは、第１の経路探索フレームに第２のポート情報を記録する。第２の転送ネットワークデバイスは無線周波デバイスに接続されている。第２のポート情報は、無線周波デバイスに接続された、第２の転送ネットワークデバイスの出力ポートを示す。
【０１３０】
本発明の本実施形態において、第１の経路探索フレームは、第１の転送ネットワークデバイスが送信元経路探索フレームに第１のポート情報を記録した後に取得される。第１の経路探索フレームは、次のレベルの転送ネットワークデバイスに送信され続けてよい。第１の経路探索フレームを受信する転送ネットワークデバイスは、ポート情報を第１の経路探索フレームに追加し続けてよく、例えば、新しい探索フィールドを追加し続け、ポート情報を新しい探索フィールドに追加してよい。ポート情報は、第１の転送ネットワークデバイスの後に位置付けられる、第１の経路探索フレームが通る各転送ネットワークデバイスのポートのポート情報を含んでよい。任意選択で、転送ネットワークデバイスのエレメント管理システムＥＭＳは転送ネットワークのデバイス間のトポロジについての情報を取得してよいので、転送ネットワークの転送ネットワークデバイスは、第１の経路探索フレームにポート情報を記録しなくてよく、再書き込みまたは追加をすることなく、受信された第１の経路探索フレームを転送してよい。しかしながら、本発明はこれに限定されない。
【０１３１】
Ｓ２４０において、第１の転送ネットワークデバイスは、第２の転送ネットワークデバイスによって送信される宛先経路探索フレームを受信する。宛先経路探索フレームは、第２の転送ネットワークデバイスが第１の経路探索フレームに第２のポート情報を記録した後に形成される。ここで、宛先経路探索フレームは、第１のポート情報および第２のポート情報を保持し、第２のポート情報は、無線周波デバイスの受信ポートに接続された、第２の転送ネットワークデバイスの出力ポートを示す。
【０１３２】
本発明の本実施形態において、第１の転送ネットワークデバイスは、第１の経路探索フレームを次のレベルの転送ネットワークデバイスに送信する。第１の経路探索フレームは、第１の経路探索フレームが転送ネットワークの第２の転送ネットワークデバイスに送信されるまで、一回または複数回転送ネットワークにおいて転送される。第２の転送ネットワークデバイスは、無線周波デバイスに直接接続されている。第２の転送ネットワークデバイスは、第２の経路探索フレームを取得すべく、第１の経路探索フレームに第２の転送ネットワークデバイスの第２のポート情報を記録する。第２の転送ネットワークデバイスは、無線周波デバイスに接続されている。第２のポート情報は、第２の転送ネットワークデバイスの出力ポートを示す。出力ポートは、無線周波デバイスの受信ポートに接続されている。例えば、図２に示されているように、無線周波デバイスに接続された転送ネットワークデバイスが転送ネットワークデバイス２である場合、第１の経路探索フレームを受信した後、転送ネットワークデバイス２は第１の経路探索フレームにポート７のポート情報を記録する。ポート７は、無線周波デバイスのポート０に接続されている。
【０１３３】
任意選択で、本発明の本実施形態において、第２のポート情報は、第２の転送ネットワークデバイスのデバイス識別子と、第２の転送ネットワークデバイスの出力ポートのポート番号とを含んでよい。任意選択で、第２のポート情報はさらに、第２の転送ネットワークデバイスのデバイスタイプ、第２の転送ネットワークデバイスの出力ポートが位置付けられているサブラックの番号、第２の転送ネットワークデバイスの出力ポートが位置付けられてえるキャビネットの番号、第２の転送ネットワークデバイスの出力ポートが位置付けられているスロットの番号、または、第２の転送ネットワークデバイスの作動状態のうちの１または複数を含んでよい。本発明はこれに限定されない。具体的には、第１の経路探索フレームに新しい探索フィールドが追加されてよい。例えば、図５に示されているように、図５は第２の経路探索フレームを示す。探索フィールド１が、第１のポート情報を保持してよい。第２のポート情報は、新たに追加された探索フィールド２に位置付けられてよい。探索フィールドについては、図４も例として使用されてよい。探索フィールド２は具体的に、符号化タイプ、第２の転送ネットワークデバイスのデバイス識別子ＩＤ、キャビネット番号、サブラック番号、スロット番号、ポート番号、および作動状態を含んでよい。第２の転送ネットワークデバイスが出力ポートのポート情報を第１の経路探索フレームの探索フィールドに追加した後、すなわち、探索フィールドが第１のポート情報および第２のポート情報を含み得て、第２の経路探索フレームは取得される。
【０１３４】
本発明の本実施形態において、第２の経路探索フレームは、第２の転送ネットワークデバイスが第１の経路探索フレームに第２のポート情報を記録した後に取得される。この場合、第２の転送ネットワークデバイスの次のレベルのデバイスは無線周波デバイスである。ベースバンドデバイスによって送信される送信元経路探索フレームが無線周波デバイスの受信ポートのポート情報を保持する場合、次のレベルのデバイスが無線周波デバイスであると検出したとき、第２の転送ネットワークデバイスは、第２の経路探索フレームを返してよく、第２の経路探索フレームを宛先経路探索フレームとして決定してよい。宛先経路探索フレームは、第１のポート情報および第２のポート情報を備え、宛先経路探索フレームは、転送ネットワークデバイスによる転送の後にベースバンドデバイスに返される。
【０１３５】
任意選択で、本発明の本実施形態において、ベースバンドデバイスによって送信される送信元経路探索フレームが無線周波デバイスの受信ポートのポート情報を保持しているとしても、次のレベルのデバイスが無線周波デバイスであると検出した後、第２の転送ネットワークデバイスは依然として、第２の経路探索フレームを無線周波デバイスに送信し続けてよい。あるいは、ベースバンドデバイスによって送信される送信元経路探索フレームが無線周波デバイスの受信ポートのポート情報を保持しない場合、第２の転送ネットワークデバイスはまた、第２の経路探索フレームを無線周波デバイスに送信し続けてよい。無線周波デバイスが第２の経路探索フレームを受信した後、無線周波デバイスは、宛先経路探索フレームを取得すべく、第２の経路探索フレームに受信ポートのポート情報を記録する。無線周波デバイスのポート情報は、無線周波デバイスの受信ポートを示す。無線周波デバイスの受信ポートは、第２の転送ネットワークデバイスの出力ポートに接続されている。
【０１３６】
任意選択で、本発明の本実施形態において、無線周波デバイスのポート情報は、無線周波デバイスのデバイス識別子と無線周波デバイスの受信ポートのポート番号とを含んでよい。無線周波デバイスの受信ポートは、ポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。具体的には、第２の経路探索フレームに新しい探索フィールドが追加されてよい。新たに追加された探索フィールドは、無線周波デバイスのポート情報を記録するために使用される。図６に示されているように、図６は宛先経路探索フレームを示す。宛先経路探索フレームの探索フィールド１が第１のポート情報を保持してよく、第２のポート情報は探索フィールド２に位置付けられてよく、無線周波デバイスの受信ポート情報は、探索フィールド３に追加されてよい。探索フィールド３の具体的な形態については、図４も例として使用されてよい。探索フィールド３は具体的に、符号化タイプ、無線周波デバイスのデバイス識別子ＩＤ、キャビネット番号、サブラック番号、スロット番号、ポート番号、および作動状態を含んでよい。無線周波デバイスの受信ポートのポート情報が第２の経路探索フレームの探索フィールドに追加された後、すなわち、宛先経路探索フレームの探索フィールドが第１のポート情報、第２のポート情報、および無線周波デバイスのポート情報を含み得る。本発明の本実施形態において、無線周波デバイスは、転送ネットワークの転送ネットワークデバイスを使用することによって、決定された宛先経路探索フレームをベースバンドデバイスに返してよい。
【０１３７】
Ｓ２５０において、第１の転送ネットワークデバイスは、宛先経路探索フレームをベースバンドデバイスに送信し、これにより、ベースバンドデバイスは、宛先経路探索フレームにしたがって探索情報を決定してよい。探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。ベースバンドデバイスは、探索情報を無線ＥＭＳに送信し、これにより、ＥＭＳは、探索情報にしたがって、ベースバンドデバイスと転送ネットワークと無線周波デバイスとの間のトポロジについての情報を決定できる。
【０１３８】
前述のプロセスの順序番号は、本発明の実施形態における実行順序を意味しないことが理解されるべきである。プロセスの実行順序は、プロセスの機能および内部ロジックに応じて決定されるべきであるが、本発明の実施形態の実装プロセスに対するいかなる限定にもなるべきではない。
【０１３９】
したがって、本発明の本実施形態における、フロントホールトポロジを探索するための方法によると、ベースバンドデバイスに接続された、転送ネットワークの第１の転送ネットワークデバイスは、ベースバンドデバイスによって送信される送信元経路探索フレームを受信し、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１４０】
以下では、具体的な実施形態を例として使用することによって、本発明の実施形態におけるフロントホールトポロジを探索するための方法を詳細に説明する。図８に示されているように、図８は、本発明のさらに別の実施形態に係る、フロントホールトポロジを探索するための方法を示す。
【０１４１】
Ｓ３０１において、無線ＥＭＳが、パス、および、ベースバンドデバイスと転送ネットワークと無線周波デバイスとの間のトポロジについての探索情報を探索するようベースバンドデバイスに命令する。任意選択で、無線ＥＭＳは、検出を周期的に実行するようベースバンドデバイスを設定してよい、または検出を実行するようベースバンドデバイスをランダムに触発してよい。本発明はこれに限定されない。
【０１４２】
Ｓ３０２において、ベースバンドデバイスは、転送ネットワークを使用することによって、命令にしたがって、送信元経路探索フレームを無線周波デバイスに送信する。具体的には、ベースバンドデバイスは、目標ポートを使用することによって、送信元経路探索フレームを転送ネットワークの第１の転送ネットワークデバイスに送信する。送信元経路探索フレームは、ベースバンドデバイスのポート情報を備えてよい。ポート情報は、ベースバンドデバイスの目標ポートを示す。送信元経路探索フレームは、目標ポートを介したベースバンドデバイスから無線周波デバイスへのパスを探索するために使用される。任意選択で、送信元経路探索フレームはさらに、無線周波デバイスのポート情報を備えてよい。無線周波デバイスのポート情報は、ベースバンドデバイスの目標ポートに対応する、無線周波デバイスの受信ポートを示す。
【０１４３】
Ｓ３０３において、第１の転送ネットワークデバイスは、ベースバンドデバイスによって送信される送信元経路探索フレームを受信し、第１の経路探索フレームを取得すべく、送信元経路探索フレームに第１のポート情報を記録する。ここで、第１のポート情報は、ベースバンドデバイスの目標ポートに接続された、第１の転送ネットワークデバイスの入力ポートを示す。第１の転送ネットワークデバイスは、第１のポート情報を第２の転送ネットワークデバイスに送信する。第２の転送ネットワークデバイスは、無線周波デバイスに接続されている。任意選択で、第１の転送ネットワークデバイスは、ベースバンドデバイスに接続された、転送ネットワークのデバイスであり、第２の転送ネットワークデバイスは、無線周波デバイスに接続された、転送ネットワークのデバイスである。さらに、第１の転送ネットワークデバイスと第２の転送ネットワークデバイスとの間に、転送ネットワークの１または複数の他の転送ネットワークデバイスが存在してよい。この場合、別の転送ネットワークデバイスは、第１の経路探索フレームに記録されてよく、または、別の転送ネットワークデバイスは、第１の経路探索フレームに記録されなくてよい。加えて、ベースバンドデバイスから無線周波デバイスへのパスは、第１の転送ネットワークデバイスおよび第２の転送ネットワークデバイスのみを通ってよい。第１の転送ネットワークデバイスおよび第２の転送ネットワークデバイスは、同一の転送ネットワークデバイスであってよい。本発明はこれに限定されない。
【０１４４】
Ｓ３０４において、第２の転送ネットワークデバイスが、第１の転送ネットワークデバイスによって送信される第１の経路探索フレームを受信し、第２の経路探索フレームを取得すべく、第１の経路探索フレームに第２のポート情報を記録してよい。ここで、第２のポート情報は、無線周波デバイスの受信ポートに接続された、転送ネットワークの第２の転送ネットワークデバイスの出力ポートを示す。任意選択で、第２の転送ネットワークデバイスは、決定された第２の経路探索フレームを宛先経路探索フレームとして決定してよく、Ｓ３０６が実行される。第２の転送ネットワークデバイスは、第２の経路探索フレームを無線周波デバイスに送信し続けてよく、Ｓ３０５およびＳ３０７が実行される。
【０１４５】
具体的には、例えば、Ｓ３０２においてベースバンドデバイスによって送信される送信元経路探索フレームが無線周波デバイスのポート情報を保持しないとき、Ｓ３０４において、第２の転送ネットワークデバイスは、第２の経路探索フレームを無線周波デバイスに送信し続けてよく、これにより、無線周波デバイスの関連する情報が記録され続ける。任意選択で、Ｓ３０２においてベースバンドデバイスによって送信される送信元経路探索フレームが無線周波デバイスのポート情報を保持するとき、第２の経路探索フレームを決定した後、第２の転送ネットワークデバイスは、第２の経路探索フレームを無線周波デバイスに送信し続けるのではなく、Ｓ３０６を実行してよい、すなわち、第２の経路探索フレームをベースバンドデバイスに返してよい。
【０１４６】
Ｓ３０５において、第２の転送ネットワークデバイスは第２の経路探索フレームを無線周波デバイスに送信する。ここで、第２の経路探索フレームは、第１のポート情報および第２のポート情報を備える。
【０１４７】
Ｓ３０６において、第２の転送ネットワークデバイスは、第２の経路探索フレームを宛先経路探索フレームとして決定し、ここで、宛先経路探索フレームは、第１のポート情報および第２のポート情報を保持し、第２の転送ネットワークデバイスは、再度転送ネットワークを使用することによって、宛先経路探索フレームをベースバンドデバイスに返し、これにより、ベースバンドデバイスは、宛先経路探索フレームにしたがって探索情報を決定する。
【０１４８】
Ｓ３０７において、第２の経路探索フレームを受信した後、無線周波デバイスは、宛先経路探索フレームを取得すべく、無線周波デバイスの受信ポートのポート情報を第２の経路探索フレームに追加してよい。ここで、当該受信ポートは、転送ネットワークの第２の転送ネットワークデバイスの出力ポートに接続されており、無線周波デバイスの受信ポートは、ベースバンドデバイスの目標ポートに対応している。無線周波デバイスは、転送ネットワーク使用することによって、決定された宛先経路探索フレームをベースバンドデバイスに返し、これにより、ベースバンドデバイスは、宛先経路探索フレームにしたがって探索情報を決定する。
【０１４９】
Ｓ３０８において、ベースバンドは宛先経路探索フレームを受信し、ここで、宛先経路探索フレームは、Ｓ３０６において第２の転送ネットワークデバイスによって返されてよく、または、Ｓ３０７において無線周波デバイスによって返されてよく、ベースバンドデバイスは、宛先経路探索フレームにしたがって探索情報を決定し、ここで、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。ベースバンドデバイスは、探索情報を無線エレメント管理システムＥＭＳに送信し、これにより、無線ＥＭＳは、受信された探索情報にしたがって、ベースバンドデバイスと転送ネットワークと無線周波デバイスとの間のトポロジについての情報を決定する。
【０１５０】
任意選択で、無線ＥＭＳは複数の探索情報を受信してよく、複数の探索情報は、異なるベースバンドデバイス／異なるポートに特有のものである。この場合、無線ＥＭＳは、複数の探索情報にしたがって、ベースバンドデバイスと転送ネットワークと無線周波デバイスとの間のトポロジ全体についての情報を決定してよい。
【０１５１】
前述のプロセスの順序番号は、本発明の実施形態における実行順序を意味しないことが理解されるべきである。プロセスの実行順序は、プロセスの機能および内部ロジックに応じて決定されるべきであるが、本発明の実施形態の実装プロセスに対するいかなる限定にもなるべきではない。
【０１５２】
したがって、本発明の本実施形態における、フロントホールトポロジを探索するための方法によると、ベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１５３】
図９は、本発明のさらに別の実施形態に係る、フロントホールトポロジを探索するための方法４００の概略フローチャートを示す。方法４００は、転送ネットワークの転送ネットワークデバイスによって実行されてよい。方法４００は、ＳＦＴＳＰ（片方向ＦＴＳＰ）と称されてよい。図９に示されているように、方法４００は以下の段階を備える。
【０１５４】
Ｓ４１０．転送ネットワークの転送ネットワークデバイスが、無線送信デバイスによって送信される経路探索フレームを受信する。ここで、経路探索フレームは、無線送信デバイスの送信ポート情報を備え、送信ポート情報は、転送ネットワークデバイスの入力ポートに接続された、無線送信デバイスの送信ポートを示す。
【０１５５】
Ｓ４２０．転送ネットワークデバイスが、経路探索フレームにしたがって、探索情報をエレメント管理システムＥＭＳに送信する。ここで、探索情報は、無線送信デバイスの送信ポートが、転送ネットワークデバイスの入力ポートに接続されていることを示すために使用される。
【０１５６】
したがって、本発明の本実施形態における、フロントホールトポロジを探索するための方法によると、ベースバンドデバイスおよび／または無線周波デバイスが、経路探索フレームをベースバンドデバイスおよび／または無線周波デバイスに接続された転送ネットワークデバイスに送信してよく、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０１５７】
Ｓ４１０において、転送ネットワークの転送ネットワークデバイスは、無線送信デバイスによって送信される経路探索フレームを受信し、ここで、経路探索フレームは、無線送信デバイスの送信ポート情報を備え、送信ポート情報は、転送ネットワークデバイスの入力ポートに接続された、無線送信デバイスの送信ポートを示す。具体的には、無線送信デバイスがベースバンドデバイスであり、かつ、対応する無線受信デバイスが無線周波デバイスである場合、経路探索フレームを受信する転送ネットワークデバイスは、ベースバンドデバイスに接続された、転送ネットワークの第１の転送ネットワークデバイスであってよい。例えば、図２に示されているように、第１の転送ネットワークデバイスは転送ネットワークデバイス１である。同様に、無線送信デバイスが無線周波デバイスであり、対応する無線受信デバイスがベースバンドデバイスである場合、経路探索フレームを受信する転送ネットワークデバイスは、無線周波デバイスに接続された、転送ネットワークの第２の転送ネットワークデバイスであってよい。例えば、図２に示されているように、第２の転送ネットワークデバイスは転送ネットワークデバイス２である。
【０１５８】
説明のために、以下では、無線送信デバイスがベースバンドデバイスである例を使用する。第１の転送ネットワークデバイスは、ベースバンドデバイスによって送信される経路探索フレームを受信する。ここで、経路探索フレームは、ベースバンドデバイスの送信ポートのポート情報を備えてよい。任意選択で、経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【０１５９】
具体的には、本発明の本実施形態において、経路探索フレームは、ベースバンドデバイスのポート情報を備えてよい。ベースバンドデバイスのポート情報は、ベースバンドデバイスの送信ポートを示す。送信ポートは、ベースバンドデバイスの任意の検出対象のポートであってよい。例えば、図２に示されているように、ベースバンドデバイス１は複数のポートを備えてよく、送信ポートは、例えば、ポート５といったベースバンドデバイスの任意のポートであってよい。経路探索フレームは、ベースバンドデバイス１のポート５を示すポート情報を備えてよい。これに対応して、ポート５と無線周波デバイスとの間のトポロジについての情報が、経路探索フレームにしたがって取得されてよい。図３に示されているように、経路探索フレームは図３に示されていてよく、ベースバンドデバイスのポート情報は、経路探索フレームの探索フィールドに位置付けられてよい。しかしながら、本発明はこれに限定されない。
【０１６０】
具体的には、ベースバンドデバイスのポート情報は、ベースバンドデバイスのデバイス識別子とベースバンドデバイスの送信ポートのポート番号とを含んでよく、ここで送信ポートは、ポート情報にしたがって決定されてよい。任意選択で、ベースバンドデバイスのポート情報はさらに、ベースバンドデバイスのデバイスタイプ、送信ポートのサブラック番号、送信ポートのキャビネット番号、送信ポートのスロット番号、またはベースバンドデバイスの作動状態のうちの１または複数を含んでよい。本発明はこれに限定されない。
【０１６１】
任意選択で、本発明の本実施形態において、経路探索フレームはさらに、対応する無線受信端のポート情報を備えてよい、すなわち、対応する無線周波デバイスのポート情報を備えてよい。無線周波デバイスのポート情報は、ベースバンドデバイスの検出対象の送信ポートに対応する、無線周波デバイスの受信ポートを示す。例えば、図２に示されているように、ベースバンドデバイス１のポート５が検出される。すなわち、送信ポートはポート５である。送信ポートに対応するポートは、無線周波デバイス１のポート０であってよい。経路探索フレームは、ベースバンドデバイスの送信ポート５を示すポート情報を備えてよく、さらに無線周波デバイス１のポート０を示すポート情報を備えてよく、これにより、転送ネットワークのデバイスは、ベースバンドデバイスの送信ポートに対応する、無線周波デバイスの受信ポートを、受信された経路探索フレームにしたがって決定してよい。図３に示されているように、経路探索フレームは図３に示されていてよく、無線周波デバイスのポート情報は、ＦＬＡＧ（フラグ）フィールドに位置付けられてよい。あるいは、図４に示されているように、無線送信デバイスのポート情報および無線受信デバイスのポート情報は、それぞれ探索フィールド１および探索フィールド２に位置付けられる。しかしながら、本発明はこれに限定されない。
【０１６２】
具体的には、無線周波デバイスのポート情報は、無線周波デバイスのデバイス識別子と無線周波デバイスの受信ポートのポート番号とを含んでよい。ここで、無線周波デバイスの受信ポートはポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１６３】
本発明の本実施形態において、無線送信デバイスがベースバンドデバイスであるとき、第１の転送ネットワークデバイスは、経路探索フレームを受信する。経路探索フレームは、ベースバンドデバイスの送信ポートのポート情報を備え、任意選択で、さらに受信端の無線周波デバイスの受信ポート情報を備えてよい。無線送信デバイスが無線周波デバイスであるとき、第２の転送ネットワークデバイスは、経路探索フレームを受信する。経路探索フレームは、無線周波デバイスの送信ポートのポート情報を備え、任意選択で、さらに受信端のベースバンドデバイスの受信ポート情報を備えてよい。
【０１６４】
Ｓ４２０において、転送ネットワークデバイスは、経路探索フレームにしたがって探索情報をエレメント管理システムＥＭＳに送信する。探索情報は、無線送信デバイスの送信ポートが転送ネットワークデバイスの入力ポートに接続されていることを示すために使用される。具体的には、経路探索フレームは、無線送信端のポート情報を備えるので、経路探索フレームを受信した後、転送ネットワークデバイスは、転送ネットワークデバイスの受信ポートのポート情報と無線送信端のポート情報とをＥＭＳに送信してよく、これにより、ＥＭＳは、無線送信デバイスの送信ポートが転送ネットワークデバイスの入力ポートに接続されていると決定する。任意選択で、経路探索フレームがさらに無線受信デバイスの受信ポートのポート情報を備えるとき、転送ネットワークデバイスはまた、無線受信デバイスの受信ポートのポート情報をＥＭＳに送信してよく、これにより、ＥＭＳは、無線送信端と転送ネットワークデバイスと無線受信端との間のトポロジについての情報を決定できる。
【０１６５】
具体的には、探索情報は、転送ネットワークデバイスの入力ポートのポート情報を備えてよい。図２に示されているように、例えば、無線送信デバイスがベースバンドデバイス１である場合、経路探索フレームを受信する対応する転送ネットワークデバイスは、転送ネットワークデバイス１であり、転送ネットワークデバイス１によって送信される探索情報は、転送ネットワークデバイス１のポート４のポート情報を備えてよい。具体的には、ポート情報は、転送ネットワークデバイスのデバイス識別子と転送ネットワークデバイスの入力ポートのポート番号、すなわち、ポート４のポート番号とを備えてよい。任意選択で、ポート情報はさらに、転送ネットワークデバイスのデバイスタイプ、転送ネットワークデバイスの入力ポートが位置付けられているサブラックの番号、転送ネットワークデバイスの入力ポートが位置付けられているキャビネットの番号、転送ネットワークデバイスの入力ポートが位置付けられているスロットの番号、または、転送ネットワークデバイスの作動状態のうちの１または複数を含んでよい。本発明はこれに限定されない。
【０１６６】
本発明の本実施形態において、転送ネットワークデバイスは、探索情報をＥＭＳに送信する。任意選択で、ＥＭＳは転送ネットワークＥＭＳであってよい。転送ネットワークＥＭＳは、受信された探索情報にしたがって、無線送信デバイスと転送ネットワークデバイスと無線受信デバイスとの間のトポロジについての情報を決定してよい。具体的には、例えば、転送ネットワークデバイスによってＥＭＳに送信される探索情報が、無線送信デバイスの送信ポートのポート情報と転送ネットワークデバイスの入力ポートのポート情報とを含む場合、ＥＭＳは、無線送信デバイスの送信ポートが転送ネットワークデバイスの入力ポートに接続されていると決定してよい。探索情報がさらに無線受信デバイスの受信ポートについての情報を含む場合、ＥＭＳは、無線送信デバイスと転送ネットワークデバイスと無線受信デバイスとの間のトポロジについての情報を決定してよい。
【０１６７】
具体的には、例えば、図２に示されているように、転送ネットワークＥＭＳは、ベースバンドデバイス１のポート５が転送ネットワークデバイス１のポート４に接続されていると、転送ネットワークデバイス１によって送信される探索情報にしたがって決定してよく、無線周波デバイス１のポート０が転送ネットワークデバイス２のポート７に接続されていると、転送ネットワークデバイス２によって送信される探索情報にしたがって決定してよい。次に、転送ネットワークＥＭＳは、ベースバンドデバイス１のポート５が、無線周波デバイス１のポート０に対応しているという事実によって、１つのトポロジ情報、すなわち、転送ネットワークデバイス１のポート４を介したベースバンドデバイス１のポート５から転送ネットワークデバイス１へのパス、転送ネットワークを介した転送ネットワークデバイス１から転送ネットワークデバイス２へのパス、および最後に、転送ネットワークデバイス２のポート７から無線周波デバイス１のポート０へのパスを学習し得る。任意選択で、転送ネットワークＥＭＳは、ベースバンドデバイス１のポート５が無線周波デバイス１のポート０に対応していると、転送ネットワークデバイスによって送信される探索情報にしたがって、または、格納されたデータにしたがって学習し得る。本発明はこれに限定されない。
【０１６８】
本発明の本実施形態において、転送ネットワークＥＭＳは探索情報を取得し、トポロジ情報を決定してよい。トポロジ情報は、転送ネットワークＥＭＳに格納されてよく、または、トポロジ情報は、無線ＥＭＳに送信されてよい。任意選択で、転送ネットワークＥＭＳは、探索情報を無線ＥＭＳに送信してよく、無線ＥＭＳはトポロジ情報を決定する。本発明はこれに限定されない。
【０１６９】
したがって、本発明の本実施形態における、フロントホールトポロジを探索するための方法によると、ベースバンドデバイスおよび／または無線周波デバイスは、経路探索フレームを転送ネットワークデバイスに送信してよく、ここで、経路探索フレームは、ベースバンドデバイスおよび／または無線周波デバイスのポート情報を備えてよく、ポート情報によって示される送信ポートは、転送ネットワークデバイスに接続されている。そして、転送ネットワークデバイスは、経路探索フレームにしたがって探索情報をＥＭＳに送信し、ここで、探索情報は、ベースバンドデバイスおよび／または無線周波デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０１７０】
図１０は、本発明のさらにまた別の実施形態に係る、フロントホールトポロジを探索するための方法５００の概略フローチャートを示す。方法５００は、ベースバンドデバイスおよび／または無線周波デバイスによって実行されてよい。方法５００はまた、ＳＦＴＳＰ（片方向ＦＴＳＰ）と称されてよい。図１０に示されているように、方法５００は以下の段階を備える。
【０１７１】
Ｓ５１０．無線送信デバイスが、経路探索フレームを生成する。ここで、経路探索フレームは無線送信デバイスの送信ポート情報を備え、送信ポート情報は、転送ネットワークデバイスに接続された、無線送信デバイスの送信ポートを示す。
【０１７２】
Ｓ５２０．無線送信デバイスが、経路探索フレームを転送ネットワークデバイスに送信する。
【０１７３】
したがって、本発明の本実施形態における、フロントホールトポロジを探索するための方法によると、ベースバンドデバイスおよび／または無線周波デバイスは、経路探索フレームを転送ネットワークデバイスに送信してよく、ここで、経路探索フレームは、ベースバンドデバイスおよび／または無線周波デバイスのポート情報を備えてよく、ポート情報によって示される送信ポートは、転送ネットワークデバイスに接続されている。そして、転送ネットワークデバイスは、経路探索フレームにしたがって探索情報をＥＭＳに送信し、ここで、探索情報は、ベースバンドデバイスおよび／または無線周波デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポートの間の接続関係を決定できる。
【０１７４】
Ｓ５１０において、無線送信デバイスは、経路探索フレームを生成する。経路探索フレームは、無線送信デバイスの送信ポート情報を備え、送信ポート情報は、転送ネットワークデバイスに接続された、無線送信デバイスの送信ポートを示す。任意選択で、経路探索フレームはさらに、無線送信デバイスに対応する無線受信デバイスのポート情報を備えてよい。具体的には、無線送信デバイスがベースバンドデバイスである場合、対応する無線受信デバイスは無線周波デバイスである。例えば、図２に示されているように、ベースバンドデバイス１は無線周波デバイス１に対応している。同様に、ここでの無線送信デバイスが無線周波デバイスである場合、対応する無線受信デバイスはベースバンドデバイスである。例えば、図２に示されているように、無線周波デバイス３はベースバンドデバイス２に対応している。
【０１７５】
説明のために、以下では、無線送信デバイスがベースバンドデバイスである例を使用する。生成された経路探索フレームは、ベースバンドデバイスの送信ポートのポート情報を備えてよい。任意選択で、経路探索フレームは、ＣＰＲＩプロトコルの１つのハイパーフレーム内の制御ワード（ｃｏｎｔｒｏｌ  ｗｏｒｄｓ  ｗｉｔｈｉｎ  ｏｎｅ  ｈｙｐｅｒｆｒａｍｅ）のｖｅｎｄｏｒ  ｓｐｅｃｉｆｉｃフィールドにおいて定義されてよい。選択されたｓｕｂｃｈａｎｎｅｌ  ｎｕｍｂｅｒ  ＮｓおよびＸｓは例である。実際は、送信元経路探索フレームは、ｖｅｎｄｏｒ  ｓｐｅｃｉｆｉｃフィールドの任意の位置に配置されてよい。本発明はこれに限定されない。
【０１７６】
具体的には、本発明の本実施形態において、経路探索フレームは、ベースバンドデバイスのポート情報を備えてよい。ベースバンドデバイスのポート情報は、ベースバンドデバイスの送信ポートを示す。送信ポートは、ベースバンドデバイスの任意の検出対象のポートであってよい。例えば、図２に示されているように、ベースバンドデバイス１は複数のポートを備えてよく、送信ポートは、例えば、ポート５といったベースバンドデバイスの任意のポートであってよい。経路探索フレームは、ベースバンドデバイス１のポート５を示すポート情報を備えてよい。これに対応して、ポート５と無線周波デバイスとの間のトポロジについての情報が、経路探索フレームにしたがって取得されてよい。図３に示されているように、経路探索フレームは図３に示されていてよく、ベースバンドデバイスのポート情報は、経路探索フレームの探索フィールドに位置付けられてよい。しかしながら、本発明はこれに限定されない。
【０１７７】
具体的には、ベースバンドデバイスのポート情報は、ベースバンドデバイスのデバイス識別子とベースバンドデバイスの送信ポートのポート番号とを含んでよく、ここで送信ポートは、ポート情報にしたがって決定されてよい。任意選択で、ベースバンドデバイスのポート情報はさらに、ベースバンドデバイスのデバイスタイプ、送信ポートのサブラック番号、送信ポートのキャビネット番号、送信ポートのスロット番号、またはベースバンドデバイスの作動状態のうちの１または複数を含んでよい。本発明はこれに限定されない。
【０１７８】
任意選択で、本発明の本実施形態において、経路探索フレームはさらに、対応する無線受信端のポート情報を備えてよい、すなわち、対応する無線周波デバイスのポート情報を備えてよい。無線周波デバイスのポート情報は、ベースバンドデバイスの検出対象の送信ポートに対応する、無線周波デバイスの受信ポートを示す。例えば、図２に示されているように、ベースバンドデバイス１のポート５が検出される。すなわち、送信ポートはポート５である。送信ポートに対応するポートは、無線周波デバイス１のポート０であってよい。経路探索フレームは、ベースバンドデバイスの送信ポート５を示すポート情報を備えてよく、さらに無線周波デバイス１のポート０を示すポート情報を備えてよく、これにより、転送ネットワークのデバイスは、ベースバンドデバイスの送信ポートに対応する、無線周波デバイスの受信ポートを、受信された経路探索フレームにしたがって決定してよい。図３に示されているように、経路探索フレームは図３に示されていてよく、無線周波デバイスのポート情報は、ＦＬＡＧ（フラグ）フィールドに位置付けられてよい。あるいは、図４に示されているように、無線送信デバイスのポート情報および無線受信デバイスのポート情報は、それぞれ探索フィールド１および探索フィールド２に位置付けられる。しかしながら、本発明はこれに限定されない。
【０１７９】
具体的には、無線周波デバイスのポート情報は、無線周波デバイスのデバイス識別子と無線周波デバイスの受信ポートのポート番号とを含んでよい。ここで、無線周波デバイスの受信ポートはポート情報にしたがって決定されてよい。任意選択で、無線周波デバイスのポート情報はさらに、無線周波デバイスのデバイスタイプ、受信ポートのサブラック番号、受信ポートのキャビネット番号、受信ポートのスロット番号、または無線周波デバイスの作動状態のうちの１または複数を含んでよい。本発明はこれに限定されない。
【０１８０】
Ｓ５２０において、無線送信デバイスは、経路探索フレームを転送ネットワークデバイスに送信し、これにより、転送ネットワークデバイスは、経路探索フレームにしたがって探索情報を決定し、探索情報をＥＭＳに送信してトポロジ情報を決定する。具体的に、無線送信デバイスがベースバンドデバイスであるとき、第１の転送ネットワークデバイスは、経路探索フレームを受信する。経路探索フレームは、ベースバンドデバイスの送信ポートのポート情報を含み、任意選択で、さらに無線受信デバイスの受信ポート情報、すなわち、無線周波デバイスの受信ポート情報を備えてよい。無線送信デバイスが無線周波デバイスであるとき、第２の転送ネットワークデバイスが経路探索フレームを受信してよい。経路探索フレームは、無線周波デバイスの送信ポートのポート情報を備え、任意選択で、さらに無線受信デバイスの受信ポート情報、すなわち、ベースバンドデバイスの受信ポート情報を備えてよい。
【０１８１】
本発明の本実施形態において、無線送信デバイスは、経路探索フレームを転送ネットワークに送信する。任意選択で、例えば無線ＥＭＳといった、基地局の管理ツールが指示情報を無線送信デバイスに送信してよい。指示情報は、経路探索フレームを転送ネットワークに送信するよう無線送信デバイスに命令するために使用される。この方法において、いつでもフロントホールトポロジが探索されてよく、無線ＥＭＳは、探索を実行するよう無線送信デバイスに任意の時点で命令する。この方法は、ＭＳＦＴＳＰ（手動片方向ＦＴＳＰ）と称されてよい。任意選択で、無線送信デバイスは、経路探索フレームを周期的に送信するよう設定されてよい。例えば、フロントホールトポロジを探索すべく、ベースバンドデバイスおよび無線周波デバイスは、５時間ごとに経路探索フレームを送信するよう設定されてよい。この方法は、ＡＳＦＴＳＰ（自動片方向ＦＴＳＰ）と称されてよい。本発明はこれに限定されない。
【０１８２】
前述のプロセスの順序番号は、本発明の実施形態における実行順序を意味しないことが理解されるべきである。プロセスの実行順序は、プロセスの機能および内部ロジックに応じて決定されるべきであるが、本発明の実施形態の実装プロセスに対するいかなる限定にもなるべきではない。
【０１８３】
したがって、本発明の本実施形態における、フロントホールトポロジを探索するための方法によると、ベースバンドデバイスおよび／または無線周波デバイスは、経路探索フレームを転送ネットワークデバイスに送信してよく、ここで、経路探索フレームは、ベースバンドデバイスおよび／または無線周波デバイスのポート情報を備えてよく、ポート情報によって示される送信ポートは、転送ネットワークデバイスに接続されている。そして、転送ネットワークデバイスは、経路探索フレームにしたがって探索情報をＥＭＳに送信し、ここで、探索情報は、ベースバンドデバイスおよび／または無線周波デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０１８４】
前述のものは、図１から図１０に関連して、本発明の実施形態に係る、フロントホールトポロジを探索するための方法を詳細に説明したものである。以下では、図１１から図１８に関連して、本発明の一実施形態に係る、フロントホールトポロジを探索するための装置を説明する。
【０１８５】
図１１は、本発明の一実施形態に係るベースバンドデバイスの概略ブロック図を示す。図１１に示されているように、本発明の本実施形態に係るベースバンドデバイス６００は、送信元経路探索フレームを転送ネットワークの第１の転送ネットワークデバイスに送信するよう構成される第１の送信モジュール６１０であって、送信元経路探索フレームは、転送ネットワークを使用することによって無線周波デバイスに送信される、第１の送信モジュール６１０と、第１の転送ネットワークデバイスによって送信される宛先経路探索フレームを受信するよう構成される第１の受信モジュール６２０であって、宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成され、第１のポート情報は、ベースバンドデバイスの目標ポートに接続された、第１の転送ネットワークデバイスの入力ポートを示し、第２のポート情報は、無線周波デバイスの受信ポートに接続された、第２の転送ネットワークデバイスの出力ポートを示す、第１の受信モジュール６２０と、宛先経路探索フレームにしたがって探索情報を決定するよう構成される決定モジュール６３０であって、探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す、決定モジュール６３０と、探索情報をエレメント管理システムＥＭＳに送信するよう構成される第２の送信モジュール６４０とを備える。
【０１８６】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１８７】
任意選択で、本発明の本実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含む。
【０１８８】
任意選択で、本発明の本実施形態において、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０１８９】
任意選択で、本発明の本実施形態において、探索情報は、ベースバンドデバイスのポート情報、第１のポート情報、および第２のポート情報を含む。ベースバンドデバイスのポート情報は、ベースバンドデバイスの目標ポートを示す。
【０１９０】
任意選択で、本発明の本実施形態において、探索結果は、無線周波デバイスのポート情報を含む。無線周波デバイスのポート情報は、無線周波デバイスの出力ポートを示す。
【０１９１】
任意選択で、本発明の本実施形態において、送信元経路探索フレームは、ベースバンドデバイスのポート情報を備える。ベースバンドデバイスのポート情報は、ベースバンドデバイスの目標ポートを示す。
【０１９２】
任意選択で、本発明の本実施形態において、送信元経路探索フレームはさらに、無線周波デバイスのポート情報を備える。無線周波デバイスのポート情報は、無線周波デバイスの出力ポートを示す。
【０１９３】
任意選択で、本発明の本実施形態において、宛先経路探索フレームはさらに、無線周波デバイスのポート情報を備える。無線周波デバイスのポート情報は、無線周波デバイスの出力ポートを示す。
【０１９４】
任意選択で、本発明の本実施形態において、ベースバンドデバイス６００はさらに、ＥＭＳによって送信される指示メッセージを受信するよう構成される第２の受信モジュールを備えてよい。指示メッセージは、送信元経路探索フレームを送信するようベースバンドデバイスに命令するために使用される。
【０１９５】
本発明の本実施形態に係るベースバンドデバイス６００は、本発明の実施形態の方法１００を実行するよう対応して構成されてよく、ベースバンドデバイス６００のモジュールの前述のおよび他のオペレーションおよび／または機能は、図１から図６における方法の対応する手順を実装するために別々に使用されることが理解されるべきである。簡潔にするために、詳細はここでは再度説明しない。
【０１９６】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０１９７】
図１２は、本発明の一実施形態に係る第１の転送ネットワークデバイスの概略ブロック図を示す。図１２に示されているように、本発明の本実施形態に係る転送ネットワークの第１の転送ネットワークデバイス７００は、ベースバンドデバイスによって送信される送信元経路探索フレームを受信するよう構成される第１の受信モジュール７１０であって、送信元経路探索フレームは、転送ネットワークを使用することによって無線周波デバイスに送信される、第１の受信モジュール７１０と、第１の経路探索フレームを取得すべく、送信元経路探索フレームに第１のポート情報を記録するよう構成される処理モジュール７２０であって、第１のポート情報は、ベースバンドデバイスの目標ポートに接続された、第１の転送ネットワークデバイスの入力ポートを示す、処理モジュール７２０と、第１の経路探索フレームを転送ネットワークの第２の転送ネットワークデバイスに送信するよう構成される第１の送信モジュール７３０と、第２の転送ネットワークデバイスによって送信される宛先経路探索フレームを受信するよう構成される第２の受信モジュール７４０であって、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す、第２の受信モジュール７４０と、宛先経路探索フレームをベースバンドデバイスに送信するよう構成される第２の送信モジュール７５０とを備える。
【０１９８】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０１９９】
任意選択で、本発明の本実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または、第１の転送ネットワークデバイスの作動状態のうちの少なくとも１つを含む。
【０２００】
任意選択で、本発明の本実施形態において、第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０２０１】
任意選択で、本発明の本実施形態において、送信元経路探索フレームは、ベースバンドデバイスのポート情報を備える。ベースバンドデバイスのポート情報は、ベースバンドデバイスの目標ポートを示す。
【０２０２】
任意選択で、本発明の本実施形態において、送信元経路探索フレームはさらに、無線周波デバイスのポート情報を備える。無線周波デバイスのポート情報は、無線周波デバイスの受信ポートを示す。
【０２０３】
任意選択で、本発明の本実施形態において、宛先経路探索フレームは、無線周波デバイスのポート情報を保持する。無線周波デバイスのポート情報は、無線周波デバイスの受信ポートを示す。
【０２０４】
本発明の本実施形態に係る第１の転送ネットワークデバイス７００は、本発明の実施形態の方法２００を実行するよう対応して構成されてよく、第１の転送ネットワークデバイス７００のモジュールの前述のおよび他のオペレーションおよび／または機能は、図７の方法の対応する手順を実装するために別々に使用されることが理解されるべきである。簡潔にするために、詳細はここでは再度説明しない。
【０２０５】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０２０６】
図１３は、本発明の一実施形態に係る転送ネットワークデバイスの概略ブロック図を示す。図１３に示されているように、本発明の本実施形態に係る転送ネットワークデバイス８００は、無線送信デバイスによって送信される経路探索フレームを受信するよう構成される受信モジュール８１０であって、経路探索フレームは、無線送信デバイスの送信ポート情報を備え、送信ポート情報は、転送ネットワークデバイスの入力ポートに接続された、無線送信デバイスの送信ポートを示す、受信モジュール８１０と、経路探索フレームにしたがって探索情報をエレメント管理システムＥＭＳに送信するよう構成される送信モジュール８２０であって、探索情報は、無線送信デバイスの送信ポートが、転送ネットワークデバイスの入力ポートに接続されていることを示すために使用される、送信モジュール８２０とを備える。
【０２０７】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。また、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２０８】
任意選択で、本発明の本実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２０９】
任意選択で、本発明の本実施形態において、探索情報は、送信ポート情報と転送ネットワークデバイスの入力ポート情報とを含む。入力ポート情報は、転送ネットワークデバイスの入力ポートを示す。
【０２１０】
任意選択で、本発明の本実施形態において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または転送ネットワークデバイスの作動状態のうちの少なくとも１つを含む。
【０２１１】
任意選択で、本発明の本実施形態において、経路探索フレームはさらに、無線送信デバイスに対応する無線受信デバイスの受信ポート情報を備える。受信ポート情報は、無線受信デバイスの受信ポートを示す。
【０２１２】
任意選択で、本発明の本実施形態において、探索情報は受信ポート情報を含む。
【０２１３】
任意選択で、本発明の本実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２１４】
任意選択で、本発明の本実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２１５】
本発明の本実施形態に係る転送ネットワークデバイス８００は、本発明の実施形態の方法４００を実行するよう対応して構成されてよく、転送ネットワークデバイス８００のモジュールの前述のおよび他のオペレーションおよび／または機能は、図９における方法の対応する手順を実装するために別々に使用されることが理解されるべきである。簡潔にするために、詳細はここでは再度説明しない。
【０２１６】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２１７】
図１４は、本発明の一実施形態に係る無線送信デバイスの概略ブロック図を示す。図１４に示されているように、本発明の本実施形態に係る無線送信デバイス９００は、経路探索フレームを生成するよう構成される生成モジュール９１０であって、経路探索フレームは、無線送信デバイスの送信ポート情報を備え、送信ポート情報は、転送ネットワークデバイスに接続された、無線送信デバイスの送信ポートを示す、生成モジュール９１０と、経路探索フレームを転送ネットワークデバイスに送信するよう構成される送信モジュール９２０とを備える。
【０２１８】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２１９】
任意選択で、本発明の本実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２２０】
任意選択で、本発明の本実施形態において、経路探索フレームはさらに、無線送信デバイスに対応する無線受信デバイスの受信ポート情報を備える。受信ポート情報は、無線受信デバイスの受信ポートを示す。
【０２２１】
任意選択で、本発明の本実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２２２】
任意選択で、本発明の本実施形態において、無線送信デバイスはさらに、エレメント管理システムＥＭＳによって送信される指示情報を受信するよう構成される受信モジュールであって、指示情報は、経路探索フレームを送信するようベースバンドデバイスに命令するために使用される、受信モジュールを備える。
【０２２３】
任意選択で、本発明の本実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２２４】
本発明の本実施形態に係る無線送信デバイス９００は、本発明の実施形態の方法５００を実行するよう対応して構成されてよく、無線送信デバイス９００のモジュールの前述のおよび他のオペレーションおよび／または機能は、図１０における方法の対応する手順を実装するために別々に使用されることが理解されるべきである。簡潔にするために、詳細はここでは再度説明しない。
【０２２５】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。そして、転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２２６】
図１５に示されているように、本発明の一実施形態が、さらにベースバンドデバイス１０００を提供する。ベースバンドデバイス１０００は、プロセッサ１０１０とメモリ１０２０と送受信機１０３０とバスシステム１０４０とを備える。プロセッサ１０１０とメモリ１０２０と送受信機１０３０とは、バスシステム１０４０を使用することによって接続される。メモリ１０２０は、命令を格納するよう構成される。プロセッサ１０１０は、メモリ１０２０に格納された命令を実行するよう構成され、これにより、信号を受信および送信するよう送受信機１０３０を制御する。プロセッサ１０１０は、送信元経路探索フレームを転送ネットワークの第１の転送ネットワークデバイスに送信するよう構成される。ここで、送信元経路探索フレームは、転送ネットワークを使用することによって無線周波デバイスに送信される。送受信機１０３０は、第１の転送ネットワークデバイスによって送信される宛先経路探索フレームを受信するよう構成される。宛先経路探索フレームは、第１の転送ネットワークデバイスが送信元経路探索フレームに第１のポート情報を記録し、かつ転送ネットワークの第２の転送ネットワークデバイスが送信元経路探索フレームに第２のポート情報を記録した後に形成される。第１のポート情報は、ベースバンドデバイスの目標ポートに接続された、第１の転送ネットワークデバイスの入力ポートを示す。第２のポート情報は、無線周波デバイスの受信ポートに接続された、第２の転送ネットワークデバイスの出力ポートを示す。プロセッサ１０１０は、宛先経路探索フレームにしたがって探索情報を決定するよう構成される。探索情報は、ベースバンドデバイスの目標ポートが第１の転送ネットワークデバイスの入力ポートに接続されていることと、第２の転送ネットワークデバイスの出力ポートが無線周波デバイスの受信ポートに接続されていることとを示す。送受信機１０３０は、探索情報をエレメント管理システムＥＭＳに送信するよう構成される。
【０２２７】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０２２８】
本発明の本実施形態において、プロセッサ１０１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１０１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２２９】
メモリ１０２０は、リードオンリメモリおよびランダムアクセスメモリを含んでよく、命令およびデータをプロセッサ１０１０に提供する。メモリ１０２０の一部がさらに、不揮発性ランダムアクセスメモリを含んでよい。例えば、メモリ１０２０はさらに、デバイスタイプ情報を格納してよい。
【０２３０】
データバスに加えて、バスシステム１０４０はさらに、電力バス、制御バス、状態信号バス、および同様のものを含んでよい。しかしながら、説明を明確にするために、様々なタイプのバスがバスシステム１０４０として図中に示されている。
【０２３１】
実装プロセスにおいて、プロセッサ１０１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１０２０に位置付けられてよい。プロセッサ１０１０は、メモリ１０２０内の情報を読み出し、プロセッサ１０１０のハードウェアと組み合わせて前述の方法の段階を完了する。繰り返しを避けるために、詳細はここでは再度説明しない。
【０２３２】
任意選択で、一実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または第１の転送ネットワークデバイスの作動状態のうちの少なくとも１つを含む。第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０２３３】
任意選択で、一実施形態において、探索情報は、ベースバンドデバイスのポート情報、第１のポート情報、および第２のポート情報を含む。ベースバンドデバイスのポート情報は、ベースバンドデバイスの目標ポートを示す。
【０２３４】
任意選択で、一実施形態において、探索結果は、無線周波デバイスのポート情報を含む。無線周波デバイスのポート情報は、無線周波デバイスの出力ポートを示す。
【０２３５】
任意選択で、一実施形態において、送信元経路探索フレームは、ベースバンドデバイスのポート情報を備える。ベースバンドデバイスのポート情報は、ベースバンドデバイスの目標ポートを示す。
【０２３６】
任意選択で、一実施形態において、送信元経路探索フレームはさらに、無線周波デバイスのポート情報を備える。無線周波デバイスのポート情報は、無線周波デバイスの出力ポートを示す。
【０２３７】
任意選択で、一実施形態において、宛先経路探索フレームは、さらに無線周波デバイスのポート情報を含む。無線周波デバイスのポート情報は、無線周波デバイスの出力ポートを示す。
【０２３８】
任意選択で、一実施形態において、送受信機１０３０はさらに、ＥＭＳによって送信される指示メッセージを受信するよう構成される。指示メッセージは、送信元経路探索フレームを送信するようベースバンドデバイスに命令するために使用される。
【０２３９】
本発明の本実施形態に係るベースバンドデバイス１０００は、本発明の実施形態のベースバンドデバイス６００に対応していてよく、本発明の実施形態に係る方法１００を実行する対応する実行体に対応していてよく、ベースバンドデバイス１０００のモジュールの前述のおよび他のオペレーションおよび／または機能は、図１における方法の対応する手順を実装するために別々に使用されることが理解されるべきである。簡潔にするために、詳細はここでは再度説明しない。
【０２４０】
したがって、本発明の本実施形態のベースバンドデバイスは、パスを探索するために使用される送信元経路探索フレームを、転送ネットワークを使用することによって無線周波デバイスに送信し、これにより、送信元経路探索フレームを受信する転送ネットワークデバイスは、宛先経路探索フレームを取得すべく、送信元経路探索フレームにポート情報を記録する。ここで、ポート情報は、ベースバンドデバイスに接続された、転送ネットワークの入力ポートのポート情報と、無線周波デバイスに接続された、転送ネットワークの出力ポートのポート情報とを含む。最後に、転送ネットワークのポート情報が記録された宛先経路探索フレームは、ベースバンドデバイスに返される。そして、ベースバンドデバイスは、宛先経路探索フレームにしたがって探索結果情報を決定し、探索結果情報を無線ＥＭＳに報告し、これにより、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。
【０２４１】
図１６に示されているように、本発明の一実施形態がさらに、第１の転送ネットワークデバイス１１００を提供する。第１の転送ネットワークデバイス１１００は、プロセッサ１１１０とメモリ１１２０と送受信機１１３０とバスシステム１１４０とを備える。プロセッサ１１１０とメモリ１１２０と送受信機１１３０とは、バスシステム１１４０を使用することによって接続される。メモリ１１２０は、命令を格納するよう構成される。プロセッサ１１１０は、メモリ１１２０に格納された命令を実行するよう構成され、これにより、信号を受信および送信するよう送受信機１１３０を制御する。送受信機１１３０は、ベースバンドデバイスによって送信される送信元経路探索フレームを受信するよう構成される。ここで、送信元経路探索フレームは、転送ネットワークを使用することによって無線周波デバイスに送信される。プロセッサ１１１０は、第１の経路探索フレームを取得すべく、送信元経路探索フレームに第１のポート情報を記録するよう構成される。ここで、第１のポート情報は、ベースバンドデバイスの目標ポートに接続された、第１の転送ネットワークデバイスの入力ポートを示す。送受信機１１３０は、第１の経路探索フレームを転送ネットワークの第２の転送ネットワークデバイスに送信し、第２の転送ネットワークデバイスによって送信される宛先経路探索フレームを受信し、宛先経路探索フレームをベースバンドデバイスに送信するよう構成される。ここで、宛先経路探索フレームは、第２の転送ネットワークデバイスが第１の経路探索フレームに第２のポート情報を記録した後に形成され、宛先経路探索フレームは第１のポート情報および第２のポート情報を保持し、第２のポート情報は、無線周波デバイスの受信ポートに接続された、第２の転送ネットワークデバイスの出力ポートを示す。
【０２４２】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０２４３】
本発明の本実施形態において、プロセッサ１１１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１１１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２４４】
メモリ１１２０は、リードオンリメモリおよびランダムアクセスメモリを含んでよく、命令およびデータをプロセッサ１１１０に提供する。メモリ１１２０の一部がさらに、不揮発性ランダムアクセスメモリを含んでよい。例えば、メモリ１１２０はさらに、デバイスタイプ情報を格納してよい。
【０２４５】
データバスに加えて、バスシステム１１４０はさらに、電力バス、制御バス、状態信号バス、および同様のものを含んでよい。しかしながら、説明を明確にするために、様々なタイプのバスがバスシステム１１４０として図中に示されている。
【０２４６】
実装プロセスにおいて、プロセッサ１１１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１１２０に位置付けられてよい。プロセッサ１１１０は、メモリ１１２０内の情報を読み出し、プロセッサ１１１０のハードウェアと組み合わせて前述の方法の段階を完了する。繰り返しを避けるために、詳細はここでは再度説明しない。
【０２４７】
任意選択で、一実施形態において、第１のポート情報は、第１の転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または第１の転送ネットワークデバイスの作動状態のうちの少なくとも１つを含む。第２のポート情報は、第２の転送ネットワークデバイスのデバイス識別子、デバイスタイプ、出力ポートが位置付けられているサブラックの番号、出力ポートが位置付けられているキャビネットの番号、出力ポートが位置付けられているスロットの番号、出力ポートのポート番号、または第２の転送ネットワークデバイスの作動状態のうちの少なくとも１つを含む。
【０２４８】
任意選択で、一実施形態において、送信元経路探索フレームは、ベースバンドデバイスのポート情報を備える。ベースバンドデバイスのポート情報は、ベースバンドデバイスの目標ポートを示す。
【０２４９】
任意選択で、一実施形態において、送信元経路探索フレームはさらに、無線周波デバイスのポート情報を備える。無線周波デバイスのポート情報は、無線周波デバイスの受信ポートを示す。
【０２５０】
任意選択で、一実施形態において、宛先経路探索フレームは、無線周波デバイスのポート情報を保持する。無線周波デバイスのポート情報は、無線周波デバイスの受信ポートを示す。
【０２５１】
本発明の本実施形態に係る第１の転送ネットワークデバイス１１００は、本発明の実施形態の第１の転送ネットワークデバイス７００に対応していてよく、本発明の実施形態に係る方法２００を実行する対応する実行体に対応していてよく、第１の転送ネットワークデバイス１１００のモジュールの前述のおよび他のオペレーションおよび／または機能は、図７における方法の対応する手順を実装するために別々に使用されることが理解されるべきである。簡潔にするために、詳細はここでは再度説明しない。
【０２５２】
したがって、ベースバンドデバイスによって送信される送信元経路探索フレームを受信した後、本発明の本実施形態の転送ネットワークの第１の転送ネットワークデバイスは、第１の経路探索フレームを取得すべく、送信元経路探索フレームに第１のポート情報を記録し、ここで、第１のポート情報は、ベースバンドデバイスの目標ポートに接続された、第１の転送ネットワークデバイスの入力ポートを示す。第１の転送ネットワークデバイスは、決定された第１の経路探索フレームを第２の転送ネットワークデバイスに送信し、ここで、第２の転送ネットワークデバイスは、無線周波デバイスに接続されている。第１の転送ネットワークデバイスは、第２の転送ネットワークデバイスによって送信される宛先経路探索フレームを受信し、ここで、宛先経路探索フレームは、第２の転送ネットワークデバイスが第２のポート情報を第１の経路探索フレームに追加した後に形成され、第２のポート情報は、無線周波デバイスの受信ポートに接続された、第２の転送ネットワークデバイスの出力ポートを示す。そして、第１の転送ネットワークデバイスは、宛先経路探索フレームをベースバンドデバイスに送信し、これにより、ベースバンドデバイスは、宛先経路探索フレームにしたがって探索結果情報を決定し、探索結果情報を無線ＥＭＳに報告し、無線ＥＭＳは、探索結果にしたがってＦｒｏｎｔｈａｕｌトポロジを迅速かつ正確に取得でき、無線デバイスと転送ネットワークデバイスとの間のトポロジについての情報を決定でき、様々なデバイスのポート間の接続関係を決定できる。このようにして、ループバックオペレーションを実行することによって、フロントホール部分において障害検出が容易に実行され得る。
【０２５３】
図１７に示されているように、本発明の一実施形態が、さらに転送ネットワークデバイス１２００を提供する。転送ネットワークデバイス１２００は、プロセッサ１２１０とメモリ１２２０と送受信機１２３０とバスシステム１２４０とを含む。プロセッサ１２１０とメモリ１２２０と送受信機１２３０とは、バスシステム１２４０を使用することによって接続される。メモリ１２２０は、命令を格納するよう構成される。プロセッサ１２１０は、メモリ１２２０に格納された命令を実行するよう構成され、これにより、信号を受信および送信するよう送受信機１２３０を制御する。送受信機１２３０は、無線送信デバイスによって送信される経路探索フレームを受信するよう構成され、ここで、経路探索フレームは無線送信デバイスの送信ポート情報を備え、送信ポート情報は、転送ネットワークデバイスの入力ポートに接続された、無線送信デバイスの送信ポートを示し、送受信機１２３０は、経路探索フレームにしたがって探索情報をエレメント管理システムＥＭＳに送信するよう構成され、ここで、探索情報は、無線送信デバイスの送信ポートが、転送ネットワークデバイスの入力ポートに接続されていることを示すために使用される。
【０２５４】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２５５】
本発明の本実施形態において、プロセッサ１２１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１２１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２５６】
メモリ１２２０は、リードオンリメモリおよびランダムアクセスメモリを含んでよく、命令およびデータをプロセッサ１２１０に提供する。メモリ１２２０の一部がさらに、不揮発性ランダムアクセスメモリを含んでよい。例えば、メモリ１２２０はさらに、デバイスタイプ情報を格納してよい。
【０２５７】
データバスに加えて、バスシステム１２４０はさらに、電力バス、制御バス、状態信号バス、および同様のものを含んでよい。しかしながら、説明を明確にするために、様々なタイプのバスがバスシステム１２４０として図中に示されている。
【０２５８】
実装プロセスにおいて、プロセッサ１２１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１２２０に位置付けられてよい。プロセッサ１２１０は、メモリ１２２０内の情報を読み出し、プロセッサ１２１０のハードウェアと組み合わせて前述の方法の段階を完了する。繰り返しを避けるために、詳細はここでは再度説明しない。
【０２５９】
任意選択で、一実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２６０】
任意選択で、一実施形態において、探索情報は、送信ポート情報と転送ネットワークデバイスの入力ポート情報とを含む。入力ポート情報は、転送ネットワークデバイスの入力ポートを示す。
【０２６１】
任意選択で、一実施形態において、入力ポート情報は、転送ネットワークデバイスのデバイス識別子、デバイスタイプ、入力ポートが位置付けられているサブラックの番号、入力ポートが位置付けられているキャビネットの番号、入力ポートが位置付けられているスロットの番号、入力ポートのポート番号、または転送ネットワークデバイスの作動状態のうちの少なくとも１つを含む。
【０２６２】
任意選択で、一実施形態において、経路探索フレームはさらに、無線送信デバイスに対応する無線受信デバイスの受信ポート情報を備える。受信ポート情報は、無線受信デバイスの受信ポートを示す。
【０２６３】
任意選択で、一実施形態において、探索情報は受信ポート情報を含む。
【０２６４】
任意選択で、一実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２６５】
任意選択で、一実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２６６】
本発明の本実施形態に係る転送ネットワークデバイス１２００は、本発明の実施形態の転送ネットワークデバイス８００に対応していてよく、本発明の実施形態に係る方法４００を実行する対応する実行体に対応していてよく、転送ネットワークデバイス１２００のモジュールの前述のおよび他のオペレーションおよび／または機能は、図９における方法の対応する手順を実装するために別々に使用されることが理解されるべきである。簡潔にするために、詳細はここでは再度説明しない。
【０２６７】
したがって、本発明の本実施形態の転送ネットワークの転送ネットワークデバイスは、転送ネットワークデバイスに接続されたベースバンドデバイスおよび／または無線周波デバイスによって送信される経路探索フレームを受信し、ここで、経路探索フレームは、ベースバンドデバイスおよび／または無線周波デバイスの送信ポートのポート情報を備えてよい。そして、転送ネットワークデバイスは、経路探索フレームにしたがって探索情報をＥＭＳに送信し、ここで、探索情報は、ベースバンドデバイスおよび／または無線周波デバイスの送信ポートが、転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２６８】
図１８に示されているように、本発明の一実施形態がさらに、無線送信デバイス１３００を提供する。無線送信デバイス１３００は、プロセッサ１３１０とメモリ１３２０と送受信機１３３０とバスシステム１３４０とを備える。プロセッサ１３１０とメモリ１３２０と送受信機１３３０とは、バスシステム１３４０を使用することによって接続される。メモリ１３２０は、命令を格納するよう構成される。プロセッサ１３１０は、メモリ１３２０に格納された命令を実行するよう構成され、これにより、信号を受信および送信するよう送受信機１３３０を制御する。プロセッサ１３１０は、経路探索フレームを生成するよう構成される。ここで、経路探索フレームは、無線送信デバイスの送信ポート情報を備え、送信ポート情報は、転送ネットワークデバイスに接続された、無線送信デバイスの送信ポートを示す。送受信機１３３０は、経路探索フレームを転送ネットワークデバイスに送信するよう構成される。
【０２６９】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。そして、転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２７０】
本発明の本実施形態において、プロセッサ１３１０は中央演算処理装置（Ｃｅｎｔｒａｌ  Ｐｒｏｃｅｓｓｉｎｇ  Ｕｎｉｔ、略して「ＣＰＵ」）であってよく、または、プロセッサ１３１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサはマイクロプロセッサであってよく、またはプロセッサは任意の従来のプロセッサ、または同様のものであってよい。
【０２７１】
メモリ１３２０は、リードオンリメモリおよびランダムアクセスメモリを含んでよく、命令およびデータをプロセッサ１３１０に提供する。メモリ１３２０の一部がさらに、不揮発性ランダムアクセスメモリを含んでよい。例えば、メモリ１３２０はさらに、デバイスタイプ情報を格納してよい。
【０２７２】
データバスに加えて、バスシステム１３４０はさらに、電力バス、制御バス、状態信号バス、および同様のものを含んでよい。しかしながら、説明を明確にするために、様々なタイプのバスがバスシステム１３４０として図中に示されている。
【０２７３】
実装プロセスにおいて、プロセッサ１３１０におけるハードウェアの集積論理回路、またはソフトウェア形態の命令を使用することによって、前述の方法の段階が完了されてよい。本発明の実施形態に関連して開示される方法の段階は、ハードウェアプロセッサによって直接実行および完了されてよく、または、プロセッサにおけるハードウェアおよびソフトウェアモジュールの組み合わせによって実行および完了されてよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなどの当該分野における成熟した記憶媒体に位置付けられてよい。記憶媒体は、メモリ１３２０に位置付けられてよい。プロセッサ１３１０は、メモリ１３２０内の情報を読み出し、プロセッサ１３１０のハードウェアと組み合わせて前述の方法の段階を完了する。繰り返しを避けるために、詳細はここでは再度説明しない。
【０２７４】
任意選択で、一実施形態において、送信ポート情報は、無線送信デバイスのデバイス識別子、デバイスタイプ、送信ポートが位置付けられているサブラックの番号、送信ポートが位置付けられているキャビネットの番号、送信ポートが位置付けられているスロットの番号、送信ポートのポート番号、または無線送信デバイスの作動状態のうちの少なくとも１つを含む。
【０２７５】
任意選択で、一実施形態において、経路探索フレームはさらに、無線送信デバイスに対応する無線受信デバイスの受信ポート情報を備える。受信ポート情報は、無線受信デバイスの受信ポートを示す。
【０２７６】
任意選択で、一実施形態において、受信ポート情報は、無線受信デバイスのデバイス識別子、デバイスタイプ、受信ポートが位置付けられているサブラックの番号、受信ポートが位置付けられているキャビネットの番号、受信ポートが位置付けられているスロットの番号、受信ポートのポート番号、または無線受信デバイスの作動状態のうちの少なくとも１つを含む。
【０２７７】
任意選択で、一実施形態において、送受信機１３３０はさらに、エレメント管理システムＥＭＳによって送信される指示情報を受信するよう構成される。ここで、指示情報は、経路探索フレームを送信するようベースバンドデバイスに命令するために使用される。
【０２７８】
任意選択で、一実施形態において、無線送信デバイスはベースバンドデバイスであり、無線受信デバイスは無線周波デバイスであるか、または、無線送信デバイスは無線周波デバイスであり、無線受信デバイスはベースバンドデバイスである。
【０２７９】
本発明の本実施形態に係る無線送信デバイス１３００は、本発明の実施形態の無線送信デバイス９００に対応していてよく、本発明の実施形態に係る方法５００を実行する対応する実行体に対応していてよく、無線送信デバイス１３００のモジュールの前述のおよび他のオペレーションおよび／または機能は、図１０における方法の対応する手順を実装するために別々に使用されることが理解されるべきである。簡潔にするために、詳細はここでは再度説明しない。
【０２８０】
したがって、本発明の本実施形態の無線送信デバイスは、経路探索フレームを転送ネットワークデバイスに送信し、ここで、経路探索フレームは、無線送信デバイスのポート情報を備えてよく、ポート情報によって示された送信ポートは、転送ネットワークデバイスに接続されている。そして、転送ネットワークデバイスは、経路探索フレームにしたがって探索情報をＥＭＳに送信し、ここで、探索情報は、無線送信デバイスの送信ポートが転送ネットワークデバイスの入力ポートに接続されていることを示す。これにより、ＥＭＳは、探索結果にしたがって迅速かつ正確にＦｒｏｎｔｈａｕｌトポロジを取得でき、無線デバイスと転送ネットワークデバイスとの間のトポロジについての情報を決定でき、様々なデバイスのポート間の接続関係を決定できる。
【０２８１】
当業者であれば認識し得るように、本明細書において開示された実施形態において説明された例と組み合わせて、電子的ハードウェア、またはコンピュータソフトウェアと電子的ハードウェアとの組み合わせによって、ユニットおよびアルゴリズムの段階が実装されてよい。機能がハードウェアによって実行されるか、ソフトウェアによって実行されるかは、技術的解決手段の特定の適用と設計上の制約条件とで決まる。当業者は、異なる方法を使用して、特定の適用ごとに、説明された機能を実装してよいが、そのような実装例は、本発明の範囲を超えるものとみなされるべきではない。
【０２８２】
当業者は明確に理解し得るように、説明を簡便かつ簡潔にする目的で、前述のシステム、装置、およびユニットの詳細な動作プロセスについては、前述の方法の実施形態における対応するプロセスを参照されたい。詳細は、ここでは再度説明しない。
【０２８３】
本願において提供されたいくつかの実施形態において、開示されたシステム、装置、および方法は、別の方式で実装され得ることが理解されるべきである。例えば、説明された装置の実施形態は例に過ぎない。例えば、ユニットの分割は、論理的機能の分割に過ぎず、実際の実装例においては他の分割であってよい。例えば、複数のユニットまたはコンポーネントが別のシステムに組み合わされるか、もしくは統合されてよく、または、いくつかの機能が無視されるか、もしくは実行されなくてよい。加えて、表示または説明された相互結合、または直接結合もしくは通信接続は、いくつかのインタフェースを使用することによって実装されてよい。装置間またはユニット間の間接的な結合または通信接続は、電子的形態、機械的形態、または別の形態で実装されてよい。
【０２８４】
別個の部分として説明されるユニットは、物理的に分かれていても、それでなくでもよく、ユニットとして表示される部分は、物理的ユニットであっても、そうでなくてもよく、一か所に位置付けられてよく、または、複数のネットワークユニットにおいて分散されていてよい。実施形態の解決手段の目的を達成するための実際の要件に応じて、ユニットの一部または全部が選択されてよい。
【０２８５】
加えて、本発明の実施形態の機能ユニットは、１つの処理ユニットに統合されてよく、または、当該ユニットの各々は、物理的に単独で存在してよく、または、少なくとも２つのユニットが１つのユニットに統合されてよい。
【０２８６】
機能がソフトウェア機能ユニットの形態で実装され、単独製品として販売または使用されるとき、機能はコンピュータ可読記憶媒体に格納されてよい。そのような理解に基づいて、本発明の技術的解決手段は本質的に、または先行技術に寄与する部分は、または技術的解決手段のいくつかは、ソフトウェア製品の形態で実装されてよい。ソフトウェア製品は、記憶媒体に格納され、本発明の実施形態において説明された方法の段階の全部または一部を実行するよう、（パーソナルコンピュータ、サーバ、ネットワークデバイス、または同様のものであってよい）コンピュータデバイスに命令するためのいくつかの命令を含む。前述の記憶媒体は、プログラムコードを格納できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの任意の媒体を含む。
【０２８７】
前述の説明は、本発明の具体的な実装例に過ぎず、本発明の保護範囲を限定することを意図するものではない。本発明において開示された技術的範囲内で当業者によって容易に案出されたいかなる変形または置き換えも、本発明の保護範囲内に当然に含まれる。したがって、本発明の保護範囲は、特許請求の範囲の保護範囲に当然に従う。
【国際調査報告】
2018522480.tif 000021
2018522480.tif 000022
2018522480.tif 000023
2018522480.tif 000024